(57)【要約】  熱提供層を有するパネルが提示されている。パネルは、パネルを、隣接するパネルに結合するべく構成されたパネル結合手段を含む。長手方向溝は、パネルの長さ全体に沿って、パネル内において配置されている。熱を提供するべく、少なくとも１つの電気端子コネクタが、１つ又は複数の端部パネル結合手段において配置されている。電気端子コネクタは、熱提供層に電気的に接続されるべく、少なくとも部分的な導電性を有するべく、且つ、１つ又は複数の端部パネル結合手段から少なくとも部分的に突出するべく、構成され、これにより、パネルの熱提供層とパネルに結合された少なくとも１つの隣接するパネルの対応する熱提供層の間の電気接続を提供している。又、本発明は、このようなパネル及び電気端子コネクタを有する暖房システムと、このような暖房システムを設置する方法と、にも関する。【選択図】図１
2020521110.tif 000002
【特許請求の範囲】
【請求項１】
パネル（１００）であって、
−ベース層（１０１）と、
−前記ベース層（１０１）に装着された熱提供層（１０２）であって、熱が電気エネルギーによって生成される、熱提供層と、
−前記熱提供層（１０２）に装着されたカバリング層（１０３）と、
−前記パネル（１００）を、隣接するパネル（２０１、２０２、．．．、２０６）に結合するべく構成された、それぞれ反対側の、第１長手方向パネル結合手段（１１５）及び第２長手方向パネル結合手段（１１６）を含む、第１長手方向辺（１０５）及び第２長手方向辺（１０６）と、
−前記パネル（１００）を、隣接するパネル（２０１、２０２、．．．、２０６）に結合するべく構成された、それぞれ反対側の、第１端部パネル結合手段（１１７）及び第２端部パネル結合手段（１１８）を含む、第１端部辺（１０７）及び第２端部辺（１０８）と、
を有するパネルにおいて、
−前記ベース層（１０１）内において、前記第１端部辺（１０７）から前記第２端部辺（１０８）まで配置された、且つ、前記熱提供層（１０２）と対向している、少なくとも第１長手方向溝（１２１）及び第２長手方向溝（１２２）であって、それぞれ、前記第１長手方向辺（１０５）及び第２長手方向辺（１０６）と平行に配置された、且つ、これらに対する少なくとも第１距離（１３１）及び第２距離（１３２）を有する少なくとも第１長手方向溝（１２１）及び第２長手方向溝（１２２）と、
−前記第１端部パネル結合手段（１１７）及び第２端部パネル結合手段（１１８）の１つ又は複数において配置された少なくとも１つの電気端子コネクタ（１５０）であって、前記少なくとも１つの電気端子コネクタ（１５０）は、第１端部部分（１５１）及び第２端部部分（１５２）を含み、前記第１端部部分（１５１）及び第２端部部分（１５２）は、少なくとも部分的な導電性を有し、且つ、前記第１端部パネル結合手段（１１７）及び第２端部パネル結合手段（１１８）の前記１つ又は複数から少なくとも部分的に突出しており、これにより、前記パネル（１００）の前記熱提供層（１０２）と前記パネル（１００）に結合された少なくとも１つの隣接するパネル（２０１、２０２）の対応する熱提供層の間の電気接続を提供している、少なくとも１つの電気端子コネクタと、
を特徴とするパネル。
【請求項２】
前記少なくとも１つの電気端子コネクタ（１５０）の前記第１端部部分（１５１）及び第２端部部分（１５２）は、それぞれ、前記少なくとも第１長手方向溝（１２１）及び第２長手方向溝（１２２）内において配置されている請求項１に記載のパネル（１００）。
【請求項３】
前記少なくとも１つの電気端子コネクタ（１５０）は、少なくとも部分的な弾性を有し、且つ、前記少なくとも部分的に突出する部分（１５３）が、その緩和された状態において、前記第１端部パネル結合手段（１１７）及び第２端部パネル結合手段（１１８）の前記１つ又は複数から少なくとも部分的に突出するように、前記第１端部部分（１５１）及び第２端部部分（１５２）の間において少なくとも部分的に突出する部分（１５３）を含む請求項２に記載のパネル（１００）。
【請求項４】
前記少なくとも第１長手方向溝（１２１）及び第２長手方向溝（１２２）は、それぞれ、前記第１端部辺（１０７）及び前記第２端部辺（１０８）の少なくとも１つに隣接する第１溝端部セクション（１２６）及び第２溝端部セクション（１２７）を含み、前記第１溝端部セクション（１２６）及び第２溝端部セクション（１２７）は、それぞれ、前記少なくとも１つの電気端子コネクタ（１５０）の前記第１端部部分（１５１）及び第２端部部分（１５２）を少なくとも部分的に受け入れるべく構成されている請求項２乃至３のいずれか１項に記載のパネル（１００）。
【請求項５】
前記第１溝端部セクション（１２６）及び第２溝端部セクション（１２７）は、前記少なくとも第１長手方向溝（１２１）及び第２長手方向溝（１２２）の残りの部分に沿って深さＤmidよりも大きな深さＤendを有し、即ち、Ｄend＞Ｄmidであり、前記端部セクションの端部深さＤendは、基本的に、前記少なくとも１つの電気端子コネクタ（１５０）の前記第１端部部分（１５１）及び第２端部部分（１５２）の厚さＴend_conに対応しており、即ち、Ｄend＝Ｔend_conである請求項４に記載のパネル（１００）。
【請求項６】
前記第１溝端部セクション（１２６）及び第２溝端部セクション（１２７）は、前記少なくとも１つの電気端子コネクタ（１５０）の前記第１端部部分（１５１）及び第２端部部分（１５２）が、それぞれ、前記第１溝端部セクション（１２６）及び第２溝端部セクション（１２７）内において受け入れられた際に、前記第１端部パネル結合手段（１１７）及び第２端部パネル結合手段（１１８）の前記１つ又は複数から突出するように、長さＬend_grooveを有する請求項４乃至５のいずれか１つに記載のパネル（１００）。
【請求項７】
前記少なくとも１つの電気端子コネクタ（１５０）の前記第１端部部分（１５１）及び第２端部部分（１５２）は、前記パネル（１００）に結合される隣接するパネル（２０１、２０２）の対応する第１溝端部セクション（１２８）及び第２溝端部セクション（１２９）内において受け入れられる請求項４乃至６のいずれか１項に記載のパネル（１００）。
【請求項８】
前記少なくとも１つの端子コネクタ（１５０）の前記少なくとも部分的に突出する部分（１５３）は、
−湾曲形状、
−アーチ形状、
−Ｖ字形状、及び、
−波形状、
からなる群のうちの少なくとも１つの形状を有する請求項３乃至７のいずれか１項に記載のパネル（１００）。
【請求項９】
前記少なくとも１つの電気端子コネクタ（１５０）の前記少なくとも部分的に突出する部分（１５３）は、少なくとも１つの隣接するパネル（２０１、２０２）の第１端部パネル結合手段（１１７）及び第２端部パネル結合手段（１１８）の少なくとも１つ内にスナップ動作し、これにより、前記パネル（１００）を少なくとも１つの隣接するパネル（２０１、２０２）に機械的にロックするべく構成されている請求項３乃至８のいずれか１項に記載のパネル（１００）。
【請求項１０】
前記パネルは、それぞれ、前記第１端部辺（１０７）及び前記第２端部辺（１０８）の少なくとも１つに隣接する第１パネル端部凹部（１３６）及び第２パネル端部凹部（１３７）を更に含み、前記第１パネル端部凹部（１３６）及び第２パネル端部凹部（１３７）は、それぞれ、前記第１長手方向辺（１０５）及び第２長手方向辺（１０６）に対する少なくとも第１距離（１３３）及び第２距離（１３４）を有し、且つ、前記少なくとも１つの電気端子コネクタ（１５０）の前記第１端部部分（１５１）及び第２端部部分（１５２）を少なくとも部分的に受け入れるべく構成されている請求項１に記載のパネル（１００）。
【請求項１１】
前記第１パネル端部凹部（１３６）及び第２パネル端部凹部（１３７）は、前記少なくとも１つの電気端子コネクタ（１５０）の前記第１端部部分（１５１）及び第２端部部分（１５２）の厚さＴend_conに基本的に対応する深さＤendを有し、即ち、Ｄend＝Ｔend_conである請求項１０に記載のパネル（１００）。
【請求項１２】
前記第１パネル端部凹部（１３６）及び第２パネル端部凹部（１３７）は、前記少なくとも１つの電気端子コネクタ（１５０）の前記第１端部部分（１５１）及び第２端部部分（１５２）が、それぞれ、前記第１パネル端部凹部（１３６）及び第２パネル端部凹部（１３７）内において受け入れられた際に、前記第１端部パネル結合手段（１１７）及び第２端部パネル結合手段（１１８）の前記１つ又は複数から突出するように、長さＬend_recessを有する請求項１１乃至１２のいずれか１項に記載のパネル（１００）。
【請求項１３】
前記少なくとも１つの電気端子コネクタ（１５０）の前記第１端部部分（１５１）及び第２端部部分（１５２）は、それぞれ、前記パネル（１００）に結合される隣接するパネル（２０１、２０２）の対応する第１及び第２パネル端部凹部内において受け入れられる請求項１２に記載のパネル（１００）。
【請求項１４】
前記少なくとも１つの電気端子コネクタ（１５０）は、前記第１端部部分（１５１）及び第２端部部分（１５２）に装着された支持部材（１５６）を含み、前記支持部材（１５６）は、前記第１端部パネル結合手段（１１７）及び第２端部パネル結合手段（１１８）の前記１つ又は複数から突出し、且つ、前記パネル（１００）に結合される隣接するパネル（２０１、２０２）の支持ノッチ（１５５）内に挿入され、これにより、前記パネル（１００）と前記隣接するパネル（２０１、２０２）の間において機械的結合を実現するために、前記パネル（１００）に提供されるトルクＴｑに抗して作用する力Ｆを生成するべく、構成されている請求項１０乃至１３のいずれか１項に記載のパネル（１００）。
【請求項１５】
前記支持部材（１５６）は、少なくとも部分的にテーパー化された部分（１５７）を含む請求項１４に記載のパネル（１００）。
【請求項１６】
前記支持部材（１５６）は、少なくとも部分的に、
−プラグ、
−ピン、及び、
−リップ、
からなる群のうちの１つの形態を有する請求項１４乃至１５のいずれか１項に記載のパネル（１００）。
【請求項１７】
−それぞれ、前記第１端部辺（１０７）から前記第２端部辺（１０８）まで前記少なくとも第１長手方向溝（１２１）及び第２長手方向溝（１２２）内において配置された少なくとも第１長手方向結合要素（１４１）及び第２長手方向結合要素（１４２）を更に有し、これにより、
−前記少なくとも１つの電気端子コネクタ（１５０）の前記第１端部部分（１５１）及び第２端部部分（１５２）は、前記少なくとも第１長手方向結合要素（１４１）及び第２長手方向結合要素（１４２）を利用して前記熱提供層（１０２）に電気的に接続されるべく構成されている請求項１乃至１６のいずれか１項に記載のパネル（１００）。
【請求項１８】
前記熱提供層（１０２）に対向する前記少なくとも第１長手方向結合要素（１４１）及び第２長手方向結合要素（１４２）の少なくとも第１表面（１４３）及び第２表面（１４４）は、前記少なくとも第１長手方向溝（１２１）及び第２長手方向溝（１２２）の外側において前記ベース層（１０１）の表面（１４５）とアライメントされており、且つ、前記熱提供層（１０２）と対向している請求項１７に記載のパネル（１００）。
【請求項１９】
前記少なくとも第１長手方向結合要素（１４１）及び第２長手方向結合要素（１４２）は、少なくとも部分的に弾性を有する且つ導電性を有する材料を含む請求項１７乃至１８のいずれか１項に記載のパネル（１００）。
【請求項２０】
前記少なくとも第１長手方向結合要素（１４１）及び第２長手方向結合要素（１４２）は、固体の、且つ、導電性を有する、材料を含む請求項１７乃至１９のいずれか１項に記載のパネル（１００）。
【請求項２１】
前記少なくとも１つの電気端子コネクタ（１５０）の前記第１端部部分（１５１）及び第２端部部分（１５２）は、前記導電性の少なくとも第１長手方向結合要素（１４１）及び第２長手方向結合要素（１４２）を介して前記熱提供層（１０２）に電気的に接続されている請求項１９乃至２０のいずれか１項に記載のパネル（１００）。
【請求項２２】
前記少なくとも１つの電気端子コネクタ（１５０）の前記第１端部部分（１５１）及び第２端部部分（１５２）は、前記熱提供層（１０２）が前記カバリング層（１０３）と前記少なくとも第１長手方向結合要素（１４１）及び第２長手方向結合要素（１４２）の間において配置されることにより、前記熱提供層（１０２）に電気的に接続され、且つ、前記少なくとも第１長手方向結合要素（１４１）及び第２長手方向結合要素（１４２）に装着されている請求項１９乃至２１のいずれか１項に記載のパネル（１００）。
【請求項２３】
前記少なくとも第１長手方向結合要素（１４１）及び第２長手方向結合要素（１４２）は、前記熱提供層（１０２）と前記少なくとも１つの電気端子コネクタ（１５０）の前記少なくとも１つの第１端部部分（１５１）及び少なくとも１つの第２端部部分（１５２）の間において電気接続を提供するべく、前記熱提供層（１０２）及び前記少なくとも１つの電気端子コネクタ（１５０）の前記第１端部部分（１５１）及び第２端部部分（１５２）を互いに圧接状態において押圧するべく、構成されている請求項２２乃至２３のいずれか１項に記載のパネル（１００）。
【請求項２４】
前記電気接続は、前記熱提供層（１０２）が前記ベース層（１０１）と前記少なくとも第２長手方向結合要素（１４１）及び第２長手方向結合要素（１４２）の間において前記少なくとも第１長手方向溝（１２１）及び第２長手方向溝（１２２）内において配置されることにより、提供され、これにより、前記少なくとも第１（１４１）及び第２（１４２）長手方向結合要素は、それぞれ、前記熱提供層（１０２）及び前記少なくとも１つの電気端子コネクタ（１５０）の前記第１端部部分（１５１）及び第２端部部分（１５２）を互いに圧接状態において押圧するべく、構成されている請求項２３に記載のパネル（１００）。
【請求項２５】
少なくとも１つの絶縁コア（１６０）が、前記ベース層（１０１）内において含まれており、前記少なくとも１つの絶縁コア（１６０）は、断熱及び／又は音響吸収特性を有する請求項１乃至２４のいずれか１項に記載のパネル（１００）。
【請求項２６】
前記熱提供層（１０２）は、
−０．１ｍｍ〜３ｍｍ、
−０．４ｍｍ〜１ｍｍ、
−０．５ｍｍ〜０．８ｍｍ、及び、
−０．６ｍｍ、
からなる群のうちの１つである、前記可視表面（１０４）からの熱深さＤheatにおいて配置されている請求項１乃至２５のいずれか１項に記載のパネル（１００）。
【請求項２７】
前記少なくとも１つの電気端子コネクタ（１５０）の前記第１端部部分（１５１）及び第２端部部分（１５２）は、前記パネル（１００）の前記熱提供層（１０２）との間における、且つ、前記パネル（１００）に結合される隣接するパネル（２０１、２０２、．．．２０６）の対応する熱提供層（１０２）との間における、電気的接触状態となるべく構成された、それぞれ、第１導電性舌（１７１）及び第２導電性舌（１７２）を含む請求項１乃至２６のいずれか１項に記載のパネル（１００）。
【請求項２８】
前記少なくとも１つの電気端子コネクタ（１５０）の前記第１端部部分（１５１）及び第２端部部分（１５２）は、前記パネル（１００）の、それぞれ、前記第１端部辺（１０７）から前記第２端部辺（１０８）まで、前記少なくとも第１長手方向溝（１２１）及び第２長手方向溝（１２２）内において配置された少なくとも第１長手方向結合要素（１４１）及び第２長手方向結合要素（１４２）との間における、且つ、前記パネル（１００）に結合される隣接するパネル（２０１、２０２）の対応する少なくとも第１長手方向結合要素（１４１）及び第２長手方向結合要素（１４２）との間における、電気的接触状態となるべく構成された、それぞれ、第１導電性舌（１７１）及び第２導電性舌（１７２）を含む請求項１乃至２６のいずれか１項に記載のパネル（１００）。
【請求項２９】
前記第１導電性舌（１７１）及び第２導電性舌（１７２）は、少なくとも部分的に波の形態である請求項２７乃至２８のいずれか１項に記載のパネル（１００）。
【請求項３０】
前記少なくとも１つの電気端子コネクタ（１５０）の前記第１端部部分（１５１）及び第２端部部分（１５２）の１つ又は複数は、少なくとも部分的な弾性を有し、これにより、少なくとも１つの隣接するパネル（２０１、２０２）の少なくとも１つの対応する第１端部パネル結合手段（１１７）及び第２端部パネル結合手段（１１８）の少なくとも１つのもののスナップロックのために構成されている請求項１乃至３１のいずれか１項に記載のパネル（１００）。
【請求項３１】
パネル（１００）の第１端部パネル結合手段（１１７）及び第２端部パネル結合手段（１１８）の１つ又は複数内に挿入可能である電気端子コネクタ（１５０）であって、
前記パネル（１００）は、
−ベース層（１０１）と、
−前記ベース層（１０１）に装着された熱提供層（１０２）であって、熱が電気エネルギーによって生成される、熱提供層と、
−前記熱提供層（１０２）に装着されたカバリング層（１０３）と、
−前記パネル（１００）を、隣接するパネル（２０１、２０２、．．．、２０６）に結合するべく構成された、それぞれ反対側の、第１長手方向パネル結合手段（１１５）及び第２長手方向パネル結合手段（１１６）を含む、第１長手方向辺（１０５）及び第２長手方向辺（１０６）と、
−前記パネル（１００）を、隣接するパネル（２０１、２０２、．．．、２０６）に結合するべく構成された、それぞれ反対側の、第１端部パネル結合手段（１１７）及び第２端部パネル結合手段（１１８）を含む、第１端部辺（１０７）及び第２端部辺（１０８）と、
を含み、
前記電気端子コネクタ（１５０）は、
−第１端部部分（１５１）及び第２端部部分（１５２）であって、前記第１端部部分（１５１）及び第２端部部分（１５２）は、少なくとも部分的な導電性を有し、且つ、挿入された際に、前記第１端部パネル結合手段（１１７）及び第２端部パネル結合手段（１１８）の前記１つ又は複数から少なくとも部分的に突出し、これにより、前記パネル（１００）の前記熱提供層（１０２）と前記パネル（１００）に結合された少なくとも１つの隣接するパネル（２０１、２０２）の対応する熱提供層の間の電気接続を提供する、第１及び第２端部部分、
を含む、電気端子コネクタ。
【請求項３２】
暖房システム（８００）であって、
−請求項１乃至３０のいずれか１項に記載の少なくとも１つのパネル（１００、２０１、２０６）と、
−前記電気エネルギーを前記少なくとも１つのパネル（１００）の少なくとも１つの第１電力供給端子コネクタ（１６１）及び少なくとも１つの第２電力供給端子コネクタ（１６２）に提供するべく、前記少なくとも１つのパネル（１００）の前記第１端部辺（１０７、１０７’）及び前記第２端部辺（１０８、１０８’）の少なくとも１つのものに隣接した状態において配置された電気エネルギー提供構成（８１０）と、
を特徴する暖房システム。
【請求項３３】
前記電気エネルギー提供構成（８１０）は、
−前記少なくとも１つの第１電力供給端子コネクタ（１６１）及び少なくとも１つの第２電力供給端子コネクタ（１６２）が、それにより、前記第１端部辺（１０７、１０７’）及び前記第２端部辺（１０８、１０８’）の少なくとも１つから突出する、取付ベースにおいて（８２０）、且つ、
−前記少なくとも１つの第１電力供給端子コネクタ（１６１）及び少なくとも１つの第２電力供給端子コネクタ（１６２）が、それにより、前記第１端部辺（１０７、１０７’）及び前記第２端部辺（１０８、１０８’）の少なくとも１つの周りにおいて折り曲げられ、且つ、前記ベース層（１０１）と前記電気エネルギー提供構成（８１０）の間において、且つ、前記電気エネルギー提供構成（８１０）の少なくとも１つの部分との電気的接触状態において、配置される、前記ベース層（１０１）に対向するように、
という群のうちの１つに従って配置されている請求項３２に記載の暖房システム（８００）。
【請求項３４】
前記電気エネルギーは、パネル（１００）の前記第１端部辺（１０７）の前記第１電力供給端子コネクタ（１６１）及び第２電力供給端子コネクタ（１６２）に、或いは、前記パネル（１００）の前記第１端部辺（１０７）に直接又は間接的に結合された隣接パネル（２０２）の対応する第１端部辺（１０７’）に、供給される第１及び第２極性Ｐ１、Ｐ２によって提供されている請求項３２乃至３３のいずれか１項に記載の暖房システム（８００）。
【請求項３５】
前記電気エネルギーは、
−パネル（１００）の前記第１端部辺（１０７）の前記第１電力供給端子コネクタ（１６１）又は第２電力供給端子コネクタ（１６２）に、或いは、前記パネル（１００）の前記第１端部辺（１０７）に直接又は間接的に結合された隣接するパネル（２０２）の対応する第１端部辺（１０７’）に、供給される第１極性Ｐ１と、
−前記パネルの前記第２端部辺（１０８）の前記第１電力供給端子コネクタ（１６１）又は第２電力供給端子コネクタ（１６２）に、或いは、前記パネル（１００）の前記第２端部辺（１０８）に直接又は間接的に結合された隣接するパネル（２０１）の対応する第２端部辺（１０８’）に、供給される第２極性Ｐ２と、
によって供給されている請求項３２乃至３３のいずれか１項に記載の暖房システム（８００）。
【請求項３６】
請求項３２乃至３５のいずれか１項に記載の前記暖房システム（８００）を設置する方法であって、
−前記電気エネルギー提供構成（８１０）を取り付けるステップと、
−前記第１端部辺（１０７）及び第２端部辺（１０８）上の前記結合手段（１１７、１１８）の使用により、第１パネル（１００）を少なくとも１つの第２パネル（２０１、２０２）と機械的に結合し、これにより、前記第１パネル（１００）及び前記少なくとも１つの第２パネル（２０１、２０２）の列を生成するステップと、
−前記第１パネル（１００）の前記少なくとも１つの端子コネクタ（１５０）の使用により、前記第１パネル（１００）及び前記少なくとも１つの第２パネル（２０１、２０２）を電気的に接続するステップと、
−前記第１パネル（１００）及び前記少なくとも１つの第２パネル（２０１、２０２）の１つ又は複数のものの第１電力供給端子コネクタ（１６１）及び第２電力供給端子コネクタ（１６２）を前記電気エネルギー提供構成（８１０）に接続するステップと、
を特徴とする方法。
【請求項３７】
−前記電気エネルギー提供構成（８１０）を取り付けるステップと、
−前記第１端部辺（１０７）及び第２端部辺（１０８）上の前記結合手段（１１７、１１８）の使用により、第１パネルを少なくとも１つの第２パネル（２０１、２０２）と機械的に結合し、これにより、前記第１パネル（１００）及び前記少なくとも１つの第２パネル（２０１、２０２）の列を生成するステップと、
−前記第１パネル（１００）の前記少なくとも１つの端子コネクタ（１５０）の使用により、前記第１パネル（１００）と前記少なくとも１つの第２パネル（２０１、２０２）を電気的に接続するステップと、
−前記第１パネル（１００）の前記第１端部辺（１０７）上の前記第１電力供給端子コネクタ（１６１）及び第２電力供給端子コネクタ（１６２）の１つを前記電気エネルギー提供構成（８１０）に接続し、これにより、前記電気エネルギーの前記第１極性Ｐ１が提供される、ステップと、
−前記第１パネル（１００）の前記第２端部辺（１０８）上の前記第１電力供給端子コネクタ（１６１）及び第２電力供給端子コネクタ（１６２）の別のものを前記電気エネルギー提供構成（８１０）に接続し、これにより、前記電気エネルギーの前記第２極性Ｐ２が提供される、ステップと、
を含む請求項３６に記載の暖房システム（８００）を設置する方法。
【発明の詳細な説明】
【技術分野】
【０００１】
本発明は、請求項１の前文において定義されているパネルに関する。又、本発明は、請求項３１の前文において定義されている電気端子コネクタにも関する。又、本発明は、請求項３２の前文において定義されている暖房システムにも関する。又、本発明は、請求項３６において定義されている暖房システムを設置する方法にも関する。
【背景技術】
【０００２】
以下の背景情報は、本発明の背景の説明であり、従って、これは、必ずしも、従来技術の説明であるというわけではない。
【０００３】
我々の時代の大きな課題の１つが、世界における全体的なエネルギー消費量を低減する、というものである。世界の多くの地域において、住宅、アパート、事務所、店舗、工場、及び／又はその他の公的又は非公的な空間は、これらの空間において時間を過ごす人々のために、受け入れ可能な環境を提供するべく、暖房する必要がある。従って、このような暖房は、エネルギー消費を最小限に維持する必要があると同時に、快適な温度を提供する必要がある。
【０００４】
受け入れ可能な温度／環境が提供されると同時に、エネルギー消費を低減するべく、床下暖房を使用することができる。現在、床をカバーするべく石及び／又はセラミックタイルが使用される際には、熱源として温水又は電気を使用する床下暖房を設置するのが一般的である。又、床をカバーするべく、パーケットフローリングなどの木製の床が使用される際にも、床下暖房を使用することができる。
【０００５】
これまでのところ、床下暖房を提供するべく使用されている熱は、床板の下方のパイプ／チューブ内を流れる温水により、且つ／又は、床板の下方において配置されたシート材料内の抵抗値を通じて流れる電気により、生成されている。このような既知の解決策については、（特許文献１）において記述されており、この場合には、この特許文献において「暖房装置１と表記されている」マット／シートは、「床カバリング１２」の下方において、即ち、実際の床板の下方において配置されている。従って、これらのパイプ／チューブ及び／又はシート材料は、木製の床の下方において、或いは、石及び／又はセラミックタイルの下方において、配置されている。これらの従来の解決策は、熱が実際に必要とされている空間内に、即ち、木製の床の上方の、且つ／又は、石及び／又はセラミックタイルの上方の、空間内に、熱を提供することにおいて、あまり効率的ではない、という欠点を有する。これは、熱が木製の床の下方において、或いは、石及び／又はセラミックタイルの下方において、生成され、且つ、従って、例えば、人々が存在している空間に到達するには、即ち、暖房を要する空間に到達するには、木製の床の全体を通じて、且つ／又は、石及び／又はセラミックタイルの全体を通じて、熱を搬送する必要がある、という事実に起因している。又、生成された熱の大きな部分が、反対方向において、即ち、木製の床又は石及び／又はセラミックタイルから離れるように、搬送されており、これは、暖房を要する空間から離れることをも意味している。従って、このような従来の暖房システムにおいては、生成された熱の多くが失われており、従って、暖房システムは、非効率的であり、且つ、エネルギーを浪費している。
【０００６】
（特許文献２）において示されている従来技術の解決策においては、その代わりに、フローリングボードに、板の内部における埋め込み型の暖房フォイルが提供されており、これは、電気エネルギーが供給された際に熱を生成するべく、構成されている。これにより、生成された熱は、熱が必要とされている空間に対して格段に効率的に提供されており、その理由は、熱が、その下方の代わりに、実際の床板内において生成されているからである。
【０００７】
但し、（特許文献２）において示されているフローリングボードは、フローリングボードに対する電力供給に関係するいくつかの問題点を有している。フローリングボードは、フローリングボードをその他のフローリングボードと機械的に１つに結合するべく使用される、クイック結合ジョイントの溝及び舌の上部に配置された電気接続手段を有する。電気接続手段が、ジョイントの溝及び舌の上部に配置されていることから、圧力がフローリングボード上において印加された際に、電気接続手段も、小さな運動を経験することになる。ジョイントの一部分、即ち、ジョイントの溝及び舌、は、例えば、人間がフローリングボード上を歩行するたびに、毎回、わずかに運動する。これにより、（特許文献２）における電気接続手段は、ある程度の使用の後に、損耗した状態となる。又、電気接続手段の損耗の結果として、接触の喪失がもたらされる場合もあり、これにより、暖房機能が失われる。又、電気接続手段の損耗により、短絡が発生する場合もあり、これは、例えば、火災のリスクに起因し、危険なものとなりうる。当然のことながら、これらの発生可能な問題点は、特に長い予想寿命を有する床の場合には、非常に不適切なものである。このような床は、誤動作する床の暖房機能に起因し、予想よりもかなり短い時間の後に、交換を要する場合がある。
【先行技術文献】
【特許文献】
【０００８】
【特許文献１】米国特許出願公開第２００８／０２１０６７９号明細書
【特許文献２】米国特許出願公開第２００６／０２８９１４４号明細書
【発明の概要】
【発明が解決しようとする課題】
【０００９】
従って、上述の問題点及び／又は欠点のうちの少なくともいくつかを解決するパネル、暖房システム、及び方法を提供することが、本発明の目的である。この目的は、請求項１の特徴付け部分による上述の言及されたパネルにより、実現される。
【課題を解決するための手段】
【００１０】
パネルは、
−ベース層と、
−ベース層に装着された熱提供層であって、熱が電気エネルギーによって生成される、熱提供層と、
−熱提供層に装着されたカバリング層と、
−パネルを、隣接するパネルに結合するべく構成された、それぞれ反対側の、第１及び第２長手方向パネル結合手段を含む、第１及び第２長手方向辺と、
−パネルを、隣接するパネルに結合するべく構成された、それぞれ反対側の、第１及び第２端部パネル結合手段を含む、第１及び第２端部辺と、
を含む。
【００１１】
パネルは、
−ベース層内において第１端部辺から第２端部辺まで配置された、且つ、熱提供層に対向する、少なくとも第１及び第２長手方向溝であって、それぞれ、第１及び第２長手方向辺と平行に構成された、且つ、これらに対する少なくとも第１及び第２距離を有する、少なくとも第１及び第２長手方向溝と、
−第１及び第２端部パネル結合手段の１つ又は複数において配置された少なくとも１つの電気端子コネクタであって、少なくとも１つの電気端子コネクタは、第１及び第２端部部分を含み、第１及び第２端部部分は、少なくとも部分的な導電性を有し、且つ、第１及び第２端部パネル結合手段の１つ又は複数から少なくとも部分的に突出しており、これにより、パネルの熱提供層とパネルに結合された少なくとも１つの隣接するパネルの対応する熱提供層の間の電気接続を提供している、少なくとも１つの電気端子コネクタと、
を更に含む。
【００１２】
本発明の一実施形態によれば、少なくとも１つの電気端子コネクタの第１及び第２端部部分は、それぞれ、少なくとも第１及び第２長手方向溝内において配置されている。
【００１３】
本発明の一実施形態によれば、少なくとも１つの電気端子コネクタは、少なくとも部分的な弾性を有しており、且つ、少なくとも１つの電気端子コネクタの第１及び第２端部部分が、それぞれ、少なくとも第１及び第２長手方向溝内において配置された際に、少なくとも部分的に突出する部分が、その緩和した状態において、第１及び第２端部パネル結合手段の１つ又は複数から、少なくとも部分的に突出するように、第１及び第２端部部分の間において少なくとも部分的に突出する部分を含む。
【００１４】
本発明の一実施形態によれば、パネルは、それぞれ、第１及び第２端部辺の少なくとも１つに隣接する第１及び第２パネル端部凹部を更に含み、第１及び第２パネル端部凹部は、それぞれ、第１及び第２長手方向辺に対する少なくとも第１及び第２距離を有しており、且つ、少なくとも１つの電気端子コネクタの第１及び第２端部部分を少なくとも部分的に受け入れるべく構成されている。
【００１５】
本発明の一実施形態によれば、少なくとも１つの電気端子コネクタは、第１及び第２端部部分に装着された支持部材を含み、支持部材は、第１及び第２端部パネル結合手段の１つ又は複数から突出し、且つ、パネルに結合された隣接するパネルの支持ノッチ内に挿入され、これにより、パネルと隣接するパネルの間の機械的結合を実現するべくパネルに提供されるトルクＴｑに抗して作用する力Ｆを生成するべく、構成されている。
【００１６】
本発明の一実施形態によれば、パネルは、それぞれ、少なくとも第１及び第２長手方向溝内において第１端部辺から第２端部辺まで配置された少なくとも第１及び第２長手方向結合要素を含む。この結果、電気端子コネクタの第１及び第２端部部分は、少なくとも第１及び第２長手方向結合要素の利用／使用により、熱提供層に電気的に接続されるべく、構成されている。
【００１７】
又、上述の目的は、請求項３１の特徴付け部分による上述の電気端子コネクタによっても実現され、電気端子コネクタは、パネルの第１及び第２端部パネル結合手段の１つ又は複数内に挿入可能であり、パネルは、
−ベース層と、
−ベース層に装着された熱提供層であって、熱が電気エネルギーによって生成される、熱提供層と、
−熱提供層に装着されたカバリング層と、
−パネルを、隣接するパネルに結合するべく構成された、それぞれ反対側の、第１及び第２長手方向パネル結合手段を含む、第１及び第２長手方向辺と、
−パネルを、隣接するパネルに結合するべく構成された、それぞれ反対側の、第１及び第２端部パネル結合手段を含む、第１及び第２端部辺と、
を含み、
電気端子コネクタは、
−第１及び第２端部部分であって、第１及び第２端部部分は、少なくとも部分的な導電性を有し、且つ、その内部に挿入された際に第１及び第２端部パネル結合手段の１つ又は複数から少なくとも部分的に突出し、これにより、パネルの熱提供層とパネルに結合された少なくとも１つの隣接するパネルの対応する熱提供層の間の電気接続を提供している、第１及び第２部分と、
を含む。又、一実施形態によれば、電気端子コネクタは、少なくとも１つの隣接するパネルに対する機械的結合をも提供している。
【００１８】
パネル及び隣接するパネルが１つに機械的に結合された際に、電気端子コネクタの第１及び第２端部部分は、様々な実施形態によれば、パネル及び隣接するパネルの両方のものの第１及び第２溝端部セクション及び／又はパネル端部凹部内に挿入され／受け入れられ、これにより、少なくとも部分的な導電性を有する第１及び第２端部部分は、パネル及び隣接するパネルの熱提供層の間の電気接続を提供している。
【００１９】
又、上述の目的は、請求項３２の特徴付け部分による上述の暖房システムによっても実現される。
【００２０】
暖房システムは、
−本明細書において記述されている少なくとも１つのパネルと、
−電気エネルギーを少なくとも１つの第１及び少なくとも１つの第２電気端子コネクタに提供するべく、少なくとも１つのパネルの第１及び第２端部辺の少なくとも１つに隣接する状態において配置された電気エネルギー提供構成と、
を含む。
【００２１】
又、上述の目的は、請求項３６の特徴付け部分による、本発明による暖房システムを設置する上述の方法によっても実現される。
【００２２】
方法は、
−電気エネルギー提供構成を取り付けるステップと、
−第１及び第２端部辺上における結合手段の使用により、第１パネルを少なくとも１つの第２パネルと機械的に結合し、これにより、第１パネル及び少なくとも１つの第２パネルの列を生成するステップと、
−例えば、第１パネルの少なくとも１つの端子コネクタの使用により、第１パネル及び少なくとも１つの第２パネルの熱提供層を電気的に接続することにより、第１パネル及び少なくとも１つの第２パネルを電気的に接続するステップと、
−第１パネル及び少なくとも１つの第２パネルの１つ又は複数のものの第１及び第２電力供給端子コネクタを電気エネルギー提供構成に接続するステップと、
を含む。
【００２３】
本発明によるパネル及び暖房システムは、基本的に、すべての種類の空間の、エネルギー効率に優れた、且つ、耐久性のある、暖房を提供する。
【００２４】
例えば、フローリングパネル、壁パネル、及び／又は天井パネルなどの、構造パネル内に熱提供層を統合することにより、少なくとも部分的にこのようなパネルを含む床、壁、及び天井によって境界が定められた空間内の屋内気候／温度を効率的に、正確に、且つ、確実に、調節することができる。
【００２５】
熱提供層は、暖房対象の空間の非常に近傍に配置されており、その理由は、これが、カバリング／装飾層の直接下方において配置されているからである。これにより、本発明によるパネルが使用される際には、生成された熱を暖房対象の空間に非常に効率的に搬送することができる。この暖房対象の空間への効率的な熱の搬送により、熱を生成するべく使用される電気エネルギーの消費が極小化される。
【００２６】
本発明によるパネルは、切断することが可能であり、且つ、依然として、床の敷き込みに使用されうる、という意味において、切断可能である。これは、第１及び第２長手方向溝の場所が正確に定義されており、その結果、第１及び第２溝内において配置される第１及び第２電気端子コネクタ及び／又は第１及び第２電力供給端子コネクタの配置も、正確に定義される、という事実に起因している。これにより、切断されたパネルは、別の切断されたパネルに圧接した状態において敷き込まれてもよく、或いは、パネル全体に圧接した状態において敷き込まれてもよく、且つ、依然として、パネル内において熱を生成するための電気エネルギーの確実な供給が提供されることになり、その理由は、パネルの第１及び第２電気端子コネクタ及び／又は第１及び第２電力供給端子コネクタが、接続が実施されるように、フィット／マッチング／遭遇することになるからである。
【００２７】
本発明によるパネルの電気端子コネクタ及び／又は電力供給端子コネクタは、機械的なパネルジョイント結合から、即ち、パネルを１つに機械的に保持するジョイント結合から、少なくとも部分的に分離されている。これにより、電気端子コネクタ及び／又は電力供給端子コネクタは、機械的パネルジョイントの一部分の多くの運動からも、且つ、これらの運動が結果的にもたらしうるコンポーネントの損耗からも、保護されている。
【００２８】
本発明の使用により、パネルに対する安全且つ確実な電力供給が保証される。又、本発明による電気端子コネクタの設計は、安定した電気的結合が提供されると同時に、パネルの一体としての機械的結合を単純化している。
【００２９】
又、本発明によるパネルの端子コネクタは、隣接するパネルの対応する端子コネクタに対する確実且つ安全な電気的接触を提供している。これにより、熱提供層内において熱を生成するべく使用される電気エネルギーは、結合されたパネルのそれぞれのものまで確実に到達しており、且つ、従って、パネルのそれぞれのものの熱提供層にも到達している。
【００３０】
本発明によるパネルは、費用効率に優れた方式で製造することができると共に、設置することができる。熱は、例えば、約２５ボルト又は約５０ボルトなどのように、４〜６０ボルトなどの低電圧の使用によって生成することができることから、パネルは、場合によっては、素人により、即ち、専門家ではない人により、設置することができる。従って、本発明によるパネルの設置によれば、パネルが設置／使用される場所の法律及び規則によっては、電気技術者が存在するニーズがなくなる場合があり、この結果、例えば、住宅の所有者などの、エンドユーザーにとっての合計費用が劇的に低減される。従来技術の電気床下暖房システムは、しばしば、例えば、２３０ボルトなどの、格段に大きな電圧によって駆動されており、このようなシステムは、資格を有する電気技術者によって設置しなければならない。
【００３１】
いくつかの既知の床下暖房システムは、熱を生成する、相対的に小さな電圧のマット／シートを含んでおり、これらは、木製の床の下方において、或いは、石及び／又はセラミックタイルの下方において、配置されている。このような１つの例が、米国特許出願公開第２００８／０２１０６７９号明細書における上述の暖房装置１であり、これは、床カバリング１２の下方において配置されている。この構成は、上述のように、相当のエネルギー損失を結果的にもたらす。又、この従来技術の相対的に小さな電圧のマット／シートは、しばしば、適切に設置するのが困難であり、従って、多くの場合に、技術を有する人物が、例えば、床によってカバーされる対象のエリアにフィットするように、マット／シートのサイズを適合させなければならない。この結果、床の設置の費用が増大する。
【００３２】
但し、本発明によるパネルは、それ自体が既に熱提供層を含んでおり、且つ、従って、なんらかの熱生成マットがその下方において設置されることを必要としてはいない。
【００３３】
非限定的な例として、約１０〜４０Ｗ／Ｍ2又は２０〜３０Ｗ／ｍ2の範囲の電力／床面積を熱の生成のために使用することができる。使用される電力／床面積は、床及び／又は暖房の異なる特性の間のバランスとして見なすことができる。相対的に大きな電力は、一般に、相対的に短い熱提供回路を結果的にもたらし、これは、パネルを切断する際には、利点であり、その理由は、切断に起因した加熱を伴わないパネルの部分が小さくなるからである。但し、相対的に小さな電力／床面積の場合には、相対的に大きな電力及び相対的に小さな抵抗値の場合よりも、熱提供回路の抵抗値の重要性は乏しい。
【００３４】
以下、いくつかの好適な実施形態を示す添付図面を参照し、本発明によるパネル、暖房システム、及び方法の詳細な例示用の実施形態及び利点について説明する。
【００３５】
本発明の実施形態について、本発明の実施形態の例を示す以下の添付図面を参照し、更に詳細に説明する。
【図面の簡単な説明】
【００３６】
【図１】本発明のいくつかの実施形態によるパネルの概略端面図を示す。
【図２ａ−ｄ】本発明のいくつかの実施形態によるパネルのセクションの概略端面図を示す。
【図３ａ−ｄ】本発明のいくつかの実施形態によるパネルのセクションの概略端面図を示す。
【図４ａ−ｂ】本発明のいくつかの実施形態によるパネルの概略図を示す。
【図４ｃ−ｅ】本発明のいくつかの実施形態によるパネルの概略図を示す。
【図５ａ−ｂ】本発明のいくつかの実施形態によるパネル及び／又は電気端子コネクタの概略図を示す。
【図５ｃ−ｅ】本発明のいくつかの実施形態によるパネル及び／又は電気端子コネクタの概略図を示す。
【図５ｆ−ｈ】本発明のいくつかの実施形態によるパネル及び／又は電気端子コネクタの概略図を示す。
【図５ｉ−ｋ】本発明のいくつかの実施形態によるパネル及び／又は電気端子コネクタの概略図を示す。
【図６】本発明のいくつかの実施形態による複数の結合されたパネルを含む床を示す。
【図７】本発明のいくつかの実施形態による暖房システムを概略的に示す。
【図８】本発明のいくつかの実施形態による暖房システムを概略的に示す。
【図９】本発明のいくつかの実施形態による完全な暖房システムを概略的に示す。
【図１０】暖房システムを概略的に示す。
【発明を実施するための形態】
【００３７】
図１、図２ａ−ｄ、図３ａ−ｄ、図４ａ−ｄ、及び図５ａ−ｋは、本発明の様々な実施形態によるパネル１００及び／又は電気端子コネクタ１５０の図を概略的に示している。
【００３８】
例えば、図１に示されているように、パネル１００は、第１長手方向辺１０５により、且つ、第１長手方向辺１０５とは反対側である第２長手方向辺１０６により、境界が定められている。又、パネル１００は、第１端部辺１０７により、且つ、第１端部辺１０７の反対側である第２端部辺１０８により、境界が定められている。
【００３９】
第１長手方向辺１０５、第２長手方向辺１０６、第１端部辺１０７、及び第２端部辺１０８には、それぞれ、例えば、「クリップジョイント」１１５、１１６、１１７、１１８を形成する溝／メス及び舌／ラベット（ｒａｂｂｅｔ）などの、パネル結合手段を提供することができる。パネル結合手段１１５、１１６、１１７、１１８は、一実施形態によれば、パネル１００を少なくとも１つの隣接するパネル２０１、２０２、．．．、２０６に、即ち、少なくとも１つのその他の対応するパネル２０１、２０２、．．．、２０６に、（図６に示されているように）機械的に結合するべく、ベース層１０１内において、パネルの第１長手方向辺１０５及び第２長手方向辺１０６において、且つ、パネルの第１端部辺１０７及び第２端部辺１０８において、配置されており、この場合に、少なくとも１つのその他の対応するパネルには、既知の方式により、対応するパネル結合手段が提供されている。
【００４０】
パネル１００は、ベース／コア層１０１と、カバリング／視覚層１０３と、を更に含む。カバリング／視覚層１０３は、恐らくは、暖房対象の空間から、即ち、パネルが床、壁、及び／又は天井をカバーしている部屋から可視状態にある表面１０４を有する。カバリング／視覚層は、色及び／又はパターンを含む適切な外観／見た目を有することができる。
【００４１】
パネル１００は、ベース層１０１に装着された、即ち、ベース層１０１とカバリング／視覚層１０３の間において配置された、熱提供層１０２を更に含む。又、これは、熱提供層が、暖房対象の空間に非常に近接した状態において、即ち、薄いカバリング／視覚層１０３の直接下方において、配置されていることをも意味している。熱提供層１０２は、導電性を有し、且つ、電流が材料を通じて流れた際に熱を生成するのに、即ち、増大した温度に適した電気抵抗値を有する基本的に任意の材料を含むことができる。材料は、熱生成要素として形成されてもよく、これは、多数の形状を有することができる。例えば、熱提供層は、印刷された電子回路、薄膜、１つ又は複数の抵抗器、シート、テープ、ペンキを有していてもよく、或いは、その電気抵抗値を通じて熱を生成するべく、且つ、本発明によるパネル内において含まれるべく、適した基本的に任意のその他の形状又は形態を有していてもよい。従って、例えば、熱提供層１０２は、電気抵抗値を有する印刷された電子回路、電気抵抗値を有する少なくとも１つの薄膜、及び／又は電気抵抗値を有する１つ又は複数の抵抗器を含む少なくとも１つの熱生成要素を有することができる。
【００４２】
非限定的な例として、電気エネルギーが２５Ｖの電圧を有する際には、即ち、電気エネルギー提供構成が、電源として使用される２５Ｖの電圧を供給している際には、一実施形態によれば、２３Ｗ／ｍ2を熱提供層によって生成することができることに言及しうる。カバリング層における温度増大の時定数は、数分間の範囲における短いものであってもよく、且つ、例えば、３℃の温度増大を迅速に実現することができる。
【００４３】
電圧降下は、床の長さの二乗に伴って増大する。例えば、１０ｍ未満の長さを有する床などの、相対的に短い床の場合には、電圧降下は、生成される熱に対してほとんど影響を有してはいない。但し、例えば、１５ｍよりも長い床などの、相対的に長い床の場合には、電圧降下は、生成される熱に対して顕著な影響を及ぼしうる。
【００４４】
本発明の一実施形態によれば、熱提供層１０２は、０．１ｍｍ〜３ｍｍ、０．４ｍｍ〜１ｍｍ、又は０．５ｍｍ〜０．８ｍｍの範囲における、可視表面１０４からの熱深さＤheatにおいて、且つ／又は、０．６ｍｍの深さにおいて、配置されている。この結果、これは、カバリング層が、熱深さＤheatに等しい厚さＴcovを有していることをも意味しており、これは、暖房対象の空間内への熱エネルギーの効率的な伝達を結果的にもたらし、その理由は、熱提供層１０２が、暖房対象の空間に非常に近接しているからである。
【００４５】
本発明の一実施形態によれば、パネル１００の層、即ち、ベース層１０１、熱提供層１０２、及びカバリング層１０３、は、例えば、糊などの接着剤の使用により、互いに装着／固定されている。
【００４６】
本発明によるパネルは、第１長手方向辺１０５と平行に構成された、且つ、これに対して少なくとも第１距離１３１を有する、第１長手方向溝１２１と、第２長手方向辺１０６と平行に構成された、且つ、これに対して少なくとも第２距離１３２を有する、第２長手方向溝１２２と、を含む。第１長手方向溝１２１及び第２長手方向溝１２２は、パネルのベース層１０１内において配置されており、且つ、第１端部辺１０７から第２端部辺１０８まで延在している。第１長手方向溝１２１及び第２長手方向溝１２２は、熱提供層１０２と対向しており、即ち、溝の開口部／アパーチャは、熱提供層１０２に向かって方向付けされている。
【００４７】
本発明によるパネル１００は、例えば、図１に示されているように、第１端部辺１０７における第１結合手段１１７及び第２端部辺１０８における第２端部パネル結合手段１１８のうちの１つ又は複数において配置された少なくとも１つの電気端子コネクタ１５０を更に含む。
【００４８】
少なくとも１つの電気端子コネクタ１５０は、少なくとも部分的な導電性を有する、即ち、例えば、適切な材料などの、導電性材料を少なくとも部分的に含む、第１端部部分１５１及び第２端部部分１５２を含む。又、第１端部部分１５１及び第２端部部分１５２は、第１端部パネル結合手段１１７及び第２端部パネル結合手段１１８の１つ又は複数において配置された際に、パネルの第１端部パネル結合手段１１７及び第２端部パネル結合手段１１８の１つ又は複数から少なくとも部分的に突出している。この結果、第１端部部分１５１及び第２端部部分１５２は、パネル１００の熱提供層１０２とパネル１００に結合された少なくとも１つの隣接するパネル２０１、２０２の対応する熱提供層の間の電気接続を提供することができる。従って、第１端部部分１５１及び第２端部部分１５２は、パネル１００、２０１、２０２が互いに機械的に結合された際に、（例えば、図６に示されている）少なくとも２つの隣接するパネル２０１、２０２の熱提供層が互いに電気的に接続可能となるようにするべく、構成されている。
【００４９】
図１及び図５ａ−ｈにおいて概略的に示されている、本発明の一実施形態によれば、少なくとも１つの電気端子コネクタ１５０の第１端部部分１５１及び第２端部部分１５２は、それぞれ、少なくとも第１長手方向溝１２１及び第２長手方向溝１２２内において配置されている。
【００５０】
少なくとも１つの電気端子コネクタ１５０は、ここでは、少なくとも部分的な弾性を有することができると共に、図１、図５ｂ、及び図５ｈにおいて示されているように、第１端部部分１５１と第２端部部分１５２の間において少なくとも１つの突出する部分１５２を含むこともできる。これにより、少なくとも部分的に突出する部分１５３は、少なくとも１つの電気端子コネクタ１５０が少なくとも第１長手方向溝１２１及び第２長手方向溝１２２内において配置された際に、その緩和された状態において、第１端部パネル結合手段１１７及び第２端部パネル結合手段１１８の１つ又は複数から少なくとも部分的に突出している。
【００５１】
例えば、（２つのパネル１００、２０２の平面図である）図５ｂ及び（２つのパネル１００、２０１の第２長手方向辺１０７の図である）図５ｆ−ｇに示されているように、少なくとも第１長手方向溝１２１及び第２長手方向溝１２２は、一実施形態によれば、それぞれ、第１端部辺１０７及び第２端部辺１０８の少なくとも１つに隣接した第１溝端部セクション１２６及び第２溝端部セクション１２７を含む。この結果、第１溝端部セクション１２６及び第２溝端部セクション１２７は、それぞれ、少なくとも１つの電気端子コネクタ１５０の第１端部部分１５１及び第２端部部分１５２を少なくとも部分的に受け入れるべく、構成されている。
【００５２】
第１溝端部セクション１２６及び第２溝端部セクション１２７は、図５ｆにおいて示されているように、少なくとも第１長手方向溝１２１及び第２長手方向溝１２２の残りの部分に沿って、深さＤmidよりも大きな深さＤendを有している、即ち、Ｄend＞Ｄminである。端部深さＤendは、ここでは、好ましくは、図５ｄ−ｅにおいて概略的に示されている、少なくとも１つの電気端子コネクタ１５０の第１端部部分１５１及び第２端部部分１５２の厚さＴend_conに基本的に対応したものであってよい。従って、Ｄend＝Ｔend_conである。第１長手方向溝１２１及び第２長手方向溝１２２は、例えば、第１長手方向溝１２１及び第２長手方向溝１２２の長さの中間において、端部辺１０７、１０８に隣接した状態で、端部１２３における第１溝端部セクション１２６及び第２溝端部セクション１２７内からを除いて、中間深さＤmidを有することができる。端部深さＤendが、第１端部部分１５１及び第２端部部分１５２の厚さＴconに対応している際には、パネルの第１端部辺１０７及び第２端部辺１０８には、空隙が存在してはいない。これにより、非常の安定したパネルが提供される。しばしば、例えば、フローリングパネルの損耗は、第１端部辺１０７及び第２端部辺１０８における、且つ／又は、第１長手方向辺１０５及び第２長手方向辺１０６における、ジョイントの近傍において最悪であり、安定したパネル端部を提供する本実施形態によれば、これが、軽減されている。
【００５３】
又、第１溝端部セクション１２６及び第２溝端部セクション１２７は、一実施形態によれば、少なくとも１つの電気端子コネクタ１５０の第１端部部分１５１及び第２端部部分１５２が、それぞれ、第１溝端部セクション１２６及び第２溝端部セクション１２７内において受け入れられた際に、第１端部パネル結合手段１１７及び第２端部パネル結合手段１１８の１つ又は複数から突出するように、長さＬend_grooveを有する。これは、例えば、図５ｆ−ｇにおいて、概略的に示されている。
【００５４】
又、少なくとも１つの電気端子コネクタ１５０の第１端部部分１５１及び第２端部部分１５２は、それぞれ、第１端部パネル結合手段１１７及び第２端部パネル結合手段１１８の１つによってパネル１００に機械的に結合される、隣接するパネル２０１、２０２、．．．、２０６の対応する第１溝端部セクション１２８及び第２溝端部セクション１２９内において受け入れられている。これは、例えば、図５ｆ−ｇにおいて、概略的に示されている。
【００５５】
パネル１００及び隣接するパネル２０２の第１溝端部セクション１２６及び１２８の組み合わせられた長さＬend_goove_combは、一実施形態によれば、少なくとも１つの電気端子コネクタ１５０の第１端部部分１５１の長さＬend_conに基本的に対応している。対応する方式において、パネル１００及び隣接するパネル２０２の第２溝端部セクション１２７及び１２９の組み合わせられた長さＬend_groove_combも、一実施形態によれば、少なくとも１つの電気端子コネクタ１５０の第２端部部分１５２の長さＬend_conに基本的に対応することができる。これにより、第１端部部分１５１及び第２端部部分１５２は、基本的に、溝端部セクションの組み合わせられた長さＬend_groove_comb内に正確にフィットし、これにより、更に詳しく後述するように、安定した、且つ、丈夫な、電気接続が提供される。
【００５６】
本発明の一実施形態によれば、パネル１００及び隣接するパネル２０２の第１溝端部セクション１２６及び１２８の長さＬend_grooveは、異なっている／等しくはない。対応する方式において、パネル１００及び隣接するパネル２０２の第２溝端部セクション１２７及び１２９の長さＬend_grooveも、異なっていてもよく／等しくなくてもよく、これにより、第１端部部分１５１及び第２端部部分１５２は、例えば、図５ｆ−ｇにおいて概略的に示されているように、パネル１００と隣接するパネル２０２の間のジョイント内において、非対称に構成されている。ジョイント内における第１及び第２端部部分の非対称な位置は、パネルを１つに結合する際に安定性を増大させるべく、使用することができる。
【００５７】
本発明の一実施形態によれば、パネル１００及び隣接するパネル２０２の第１溝端部セクション１２６及び１２８のみならず、パネル１００及び隣接するパネル２０２の第２溝端部セクション１２７及び１２９、の長さＬend_grooveは、基本的に等しい長さであってもよく、これにより、第１部分１５１及び第２部分１５２は、パネル１００と隣接するパネル２０２の間のジョイント内において対称的に構成されている。
【００５８】
それぞれ、少なくとも第１長手方向溝１２１及び第２長手方向溝１２２内に挿入されるべく構成された第１端部部分１５１及び第２端部部分１５２を有する少なくとも１つの端子コネクタ１５０は、例えば、図１及び図５ａ−ｈにおいて示されている。
【００５９】
少なくとも１つの端子コネクタ１５０は、例えば、スプリング部材などの、少なくとも部分的に弾性を有する部材１５４により、互いに接続／装着された第１端部部分１５１及び第２端部部分１５２を有する。少なくとも１つの端子コネクタ１５０は、少なくとも部分的に突出する突出部１５３を有していてもよく、これは、例えば、その緩和された状態において、湾曲形状、アーチ形状、Ｖ字形状、及び／又は波形状であることによるなどのように、わずかに折り曲げられた弾性部材１５４により、形成することができる。実際には、少なくとも部分的に突出する部分１５３は、基本的に、端子コネクタ１５０が、自身が配置されている１つ又は複数の第１端部パネル結合手段１１７及び第２端部パネル結合手段１１８から（且つ／又は、その個々の端部辺１０７、１０８から）、その緩和された状態において、少なくとも部分的に突出するようにさせる任意の形状を有することができる。これにより、少なくとも１つの電気端子コネクタ１５０の少なくとも部分的に突出する部分１５３は、その形状及び／又はその弾性により、少なくとも１つの隣接するパネル２０１、２０２の第１の対応する端部パネル結合手段１１７及び第２の対応する端部パネル結合手段１１８の少なくとも１つ内にスナップ結合するべく、構成されている。これにより、パネル１００は、対応する端部パネル結合１１７、１１８の１つ又は複数のリム、アパーチャ、及び／又はノッチ内に少なくとも部分的に突出する部分１５３をロックするスナップフィットにより、少なくとも１つの隣接するパネル２０１、２０２に対して機械的にロックされる。
【００６０】
パネルが設置される際に、端子コネクタ１５０は、例えば、それぞれ、少なくとも第１長手方向溝１２１及び第２長手方向溝１２２内への第１端部部分１５１及び第２端部部分１５２の挿入によって１つのパネル１００に事前固定されることにより、固定される。この結果、少なくとも部分的に突出する部分１５３は、その緩和された状態において、自身が固定されている端部パネル結合手段から突出している。次いで、パネル１００が、まずは、傾斜させられ、且つ、次いで、隣接するパネル２０２に向かって下方に押圧されることにより、隣接するパネル２０２に機械的に結合された際に、少なくとも部分的に突出する部分１５３は、パネル１００が隣接するパネル２０２の対応する端部パネル結合部１１７、１１８内にフィットするべく押し下げられた際に、まずは、その独自の端部パネル結合部１１７、１１８内に押し戻されることになる。但し、パネル１００の端部パネル結合部１１７、１１８及び隣接するパネル２０２の対応する端部パネル結合部１１７、１１８が１つにフィットされた際に、端子コネクタ１５０は、隣接するパネル２０２の対応する端部パネル結合部１１７、１１８の１つ又は複数のリム、アパーチャ、及び／又はノッチ内にスナップアウトすることにより、再度、その緩和された状態の形状に戻り、その結果、パネル１００及び隣接するパネル２０２の相互の機械的な固定が支援されている。
【００６１】
又、パネル１００及び隣接するパネル２０２が、このようにして、互いに装着された際に、少なくとも１つの電気端子コネクタ１５０の第１端部部分１５１及び第２端部部分１５２は、当初、パネル１００の第１溝端部セクション１２６及び第２溝端部セクション１２７内に挿入される／受け入れられる。次いで、パネル１００が、隣接するパネル２０２の対応する端部パネル結合部１１７、１１８内にフィットするべく、押し下げられた際に、少なくとも１つの電気端子コネクタ１５０の第１端部部分１５１及び第２端部部分１５２も、パネル１００に結合された隣接するパネル２０２の対応する第１溝端部セクション１２８及び第２溝端部セクション１２９内に挿入される／受け入れられる。
【００６２】
更に詳細に後述するように、少なくとも１つの電気端子コネクタ１５０の第１端部部分１５１及び第２端部部分１５２は、少なくとも部分的な導電性を有しており、これは、パネル１００と隣接するパネル２０２の間の、即ち、パネル１００及び隣接するパネル２０２の熱提供層の間の、電気接続を促進している。この理由から、少なくとも１つの電気端子コネクタ１５０の第１端部部分１５１及び第２端部部分１５２は、例えば、図１及び図５ｃ−ｆにおいて示されているように、それぞれ、第１導電性舌１７１及び第２導電性舌１７２を含むことができる。舌１７１、１７２は、パネル１００及び１つに結合される隣接するパネル２０２の熱提供層１０２との電気的な接触状態となるべく、構成されている。
【００６３】
図５ｃは、パネル１００の一部分の端部側面図を示している。端部パネル結合手段１１７が、端部辺１０７において配置されている。又、ここには、電気端子コネクタ１５０の第２端部部分１５２が、第２長手方向辺１０６に近接した第２長手方向溝１２２の第２溝端部セクション１２７内において配置／受け入れ／挿入される方式も示されている。（図示されてはいないが）対応する方式において、電気端子コネクタの第１端部部分１５１も、第１長手方向辺１０５に近接した第１長手方向溝１２１の第１溝端部セクション１２６内において配置されている／受け入れられている／挿入されている。
【００６４】
図５ｄ−ｅは、第２端部部分１５２と、例えば、爪（図示されてはいない）により、はんだ付け（図示されてはいない）により、且つ／又は、接着剤（図示されてはいない）により、端部部分１５２に装着された導電性の舌１７２と、を含む、電気端子コネクタ１５０の一部分の２つの図を示している。又、電気端子コネクタ１５０は、弾性部材１５４をも含む。本明細書において記述されているように、電気端子コネクタ１５０は、突出する部分１５４のもう１つの端部上において第１端部部分１５１を更に含んでいる（図示されてはいない）。
【００６５】
本発明の一実施形態によれば、少なくとも１つの電気端子コネクタ１５０の第１端部部分１５１及び第２端部部分１５２の両方が、パネルの第１長手方向溝１２１及び第２長手方向溝１２２内において配置されているわけではなく、即ち、第１端部部分１５１及び第２端部部分１５２の１つ又は複数は、第１長手方向溝１２１及び第２長手方向溝１２２とは別個の凹部内において配置されている。
【００６６】
この結果、端部側面図である図５ｉ−ｊにおいて示されているように、パネル１００は、それぞれ、第１端部辺１０７及び第２端部辺１０８の少なくとも１つに隣接する／これに対向する、即ち、第１端部パネル結合手段１１７及び第２端部パネル結合手段１１８の少なくとも１つに隣接する／これに対向する、第１パネル端部凹部１３６及び第２パネル端部凹部１３７を含む。第１パネル端部凹部１３６及び第２パネル端部凹部１３７は、それぞれ、第１長手方向辺１０５及び第２長手方向辺１０６に対して少なくとも第１距離１３３及び第２距離１３４を有しており、且つ、少なくとも１つの電気端子コネクタ１５０の第１端部部分１５１及び第２端部部分１５２を少なくとも部分的に受け入れるべく、構成されている。第１端部凹部１３６及び第２端部凹部１３７の少なくとも１つは、対応する本明細書において記述されている第１長手方向溝１２１及び第２長手方向溝１２２よりも、その個々の第１長手方向辺１０５及び第２長手方向辺１０６から、遠く離れて配置されている。従って、第１パネル端部凹部１３６及び第２パネル端部凹部１３７の第１長手方向辺の距離１３３及び第２長手方向辺の距離１３４の少なくとも１つは、それぞれ、第１溝１２１及び第２溝１２２の対応する第１長手方向辺の距離１３１及び第２長手方向辺の距離１３２よりも長くなっており、即ち、１３３＞１３１であり、且つ／又は、１３４＞１３２である。
【００６７】
第１パネル端部凹部１３６及び第２パネル端部凹部１３７は、上述の第１溝端部セクション１２６及び第２溝端部セクションに類似しているが、それぞれ、第１溝端部セクション１２６及び第２溝端部セクション１２７の上述の第１長手方向辺の距離１３１及び第２長手方向辺の距離１３２とは別の、もう１つの第１長手方向辺の距離１３３及び第２長手方向辺の距離１３４において配置されている。
【００６８】
従って、一実施形態によれば、第１パネル端部凹部１３６及び第２パネル端部凹部１３７は、少なくとも１つの電気端子コネクタ１５０の第１端部部分１５１及び第２端部部分１５２の厚さＴend_conに基本的に対応した深さＤendを有しており、即ち、Ｄend＝Ｔend_conである。第１パネル端部凹部１３６及び第２パネル端部凹部１３７は、少なくとも第１長手方向溝１２１及び第２長手方向溝１２２の残りの部分に沿って深さＤmidよりも大きな深さＤendを有していてもよく、即ち、Ｄend＞Ｄmidである。端部深さＤendが、少なくとも１つの電気端子コネクタの第１端部部分１５１及び第２端部部分１５２の厚さＴend_conに対応している際には、パネルの第１端部辺１０７及び第２端部辺１０８には、空隙が存在してはいない。これにより、そのジョイントの損耗が軽減された、非常に安定したパネルが提供される。
【００６９】
第１パネル端部凹部１３６及び第２パネル端部凹部１３７は、一実施形態によれば、少なくとも１つの電気端子コネクタ１５０の第１端部部分１５１及び第２端部部分１５２が、それぞれ、第１パネル端部凹部１３６及び第２パネル端部凹部１３７内において受け入れられた際に、第１端部パネル結合手段１１７及び第２端部パネル結合手段１１８の１つ又は複数から突出するように、長さＬend_recessを更に有することができる。
【００７０】
第１パネル端部凹部１３６及び第２パネル端部凹部１３７は、一実施形態によれば、更に詳しく後述するように、電気端子コネクタ１５０の支持部材１５６を受け入れるべく構成された支持ノッチ／リム／アパーチャ１５５を更に含む。
【００７１】
この結果、少なくとも１つの電気端子コネクタ１５０の第１端部部分１５１及び第２端部部分１５２は、それぞれ、パネル１００に機械的に結合される隣接するパネル２０１、２０２の対応する第１及び第２パネル端部凹部内において、受け入れられ、これにより、上述のように、第１端部部分１５１及び第２端部部分１５２を２つの隣接するパネル１００、２０２の間のジョイント内において対称的に又は非対称的に構成することができる。
【００７２】
図５ｋにおいて示されているように、パネル１００が第１パネル端部凹部１３６及び第２パネル端部凹部１３７を含んでいる実施形態の場合には、少なくとも１つの電気端子コネクタ１５０は、第１端部部分１５１及び第２端部部分１５２に装着された、即ち、第１端部部分１５１及び第２端部部分１５２の間に配置／装着された橋絡部材１５９上において構成された、支持部材１５６を含むことができる。図５ｋにおいて、異なる図において示されている支持部材１５６は、自身が第１パネル端部凹部１３６及び第２パネル端部凹部１３７内において受け入れられた／配置された際に、第１端部パネル結合手段１１７及び第２端部パネル結合手段１１８の１つ又は複数から突出している。支持部材１５６は、パネル１００に結合される隣接するパネル２０２の支持ノッチ／リム／アパーチャ１５５内に挿入され、これにより、パネル１００が、端部パネル結合手段により、隣接するパネル２０２に機械的に結合されるべく下方に押圧された際に、パネル１００に対して提供されるトルクＴｑに抗して作用する力Ｆを生成するべく、構成されている。従って、パネル１００の支持部材１５６は、隣接するパネル２０２の支持ノッチ／リム／アパーチャ１５５との協働状態において、押圧トルクＴｑに応答して安定化力Ｆを生成するべく、構成されており、その結果、パネル１００及び隣接するパネル２０２の安全な機械的結合が促進されている。
【００７３】
支持部材１５６は、一実施形態によれば、少なくとも部分的にテーパー化されており、即ち、少なくとも部分的にテーパー化された部分／セクション１５７を有しており、この結果、支持ノッチ／リム／アパーチャ１５５内への支持部材１５６の相対的に容易な挿入が促進されている。支持部材１５６は、基本的に、安定化させる反トルク力Ｆを生成するのに適した任意の形態を有していてもよく、且つ、例えば、図５ｋにおいて示されているように、少なくとも１つのプラグ及び／又はピンの形態を有していてもよく、これにより、支持ノッチ／リム／アパーチャ１５５は、図５ｊにおいて示されているように、力Ｆがそれに圧接状態において作用しうる、少なくとも１つの対応する孔を含んでいる。又、支持部材１５６は、それなりにパネル１００の端部辺に沿って延在しうる唇の形態を有していてもよく、これにより、支持ノッチ／リム／アパーチャ１５５は、安定化力Ｆがそれに圧接状態において作用しうる、対応するエッジを含んでいる。
【００７４】
上述及び後述のように、少なくとも１つの電気端子コネクタ１５０の第１端部部分１５１及び第２端部部分１５２は、少なくとも部分的な導電性を有しており、この結果、パネル１００と隣接パネル２０２の間の、即ち、パネル１００及び隣接パネル２０２の熱提供層の間の、電気接続が促進されている。この理由から、少なくとも１つの電気端子コネクタ１５０の第１端部部分１５１及び第２端部部分１５２は、図５ｋに示されているように、それぞれ、第１導電性舌１７１及び第２導電性舌１７２を含むことができる。舌１７１、１７２は、パネル１００及び１つに結合される隣接するパネル２０２の熱提供層１０２との電気接触状態となるべく、構成されている。
【００７５】
又、少なくとも１つの電気端子コネクタ１５０の第１端部部分１５１及び第２端部部分１５２は、電気接続を提供するべく、それ自体を導電性材料から製造することもできる。
【００７６】
電気端子コネクタ１５０の第１端部部分１５１及び第２端部部分１５２は、パネル１００内の第１端部凹部１３６及び第２端部凹部１３７内において、且つ、パネル１００に機械的に結合される隣接するパネル２００の対応する第１及び第２端部凹部内において、配置されている／受け入れられている／挿入されている。これにより、パネル１００と隣接パネル２００の間の、即ち、パネル１００及び隣接パネル２０２の熱提供層の間の、電気接続が、本明細書において記述されているように、実現／提供されている。
【００７７】
一実施形態によれば、電気結合部は、第１長手方向結合要素１４１及び第２長手方向結合要素１４２について詳細に記述されているように、第１端部凹部１３６及び第２端部凹部１３７内において受け入れられた第１端部部分１５１及び第２端部部分１５２から、パネル１００内の第１長手方向結合要素１４１及び第２長手方向結合要素１４２まで、構成されている。
【００７８】
図５ｋにおいて示されているように、少なくとも１つの電気端子コネクタ１５０の第１端部部分１５１及び第２端部部分１５２の１つ又は複数は、一実施形態によれば、少なくとも部分的に弾性を有していてもよく、例えば、少なくとも１つの隣接するパネル２０１、２０２の少なくとも１つの対応する第１端部パネル結合手段１１７及び第２端部パネル結合手段１１８の少なくとも１つとのスナップロックのために構成された弾性を有する／曲がりやすい部材１５８を有することができる。この結果、弾性部材１５８は、（図５ｋに示されている例においては）第１端部凹部１３６及び第２端部凹部１３７の１つ又は複数内に挿入された際に、１つ又は複数の端部部分１５２に圧接状態において押圧され、且つ、次いで、１つ又は複数の端部部分１５２から外に／離れるように曲がり、且つ、パネル１００及び隣接するパネル２０１、２０２が１つに機械的に結合された際に、隣接するパネル２０１、２０２のアパーチャ／ノッチ／リム内に延在し／スナップ動作し、これにより、スナップロック機能を提供している。パネル１００には、ここでは、ねじ回し又はこれに類似したものなどの器具が、スルーホールを通じて挿入されうると共に、スナップロックをアンロック／解放するべく弾性部材１５８に圧接状態において押圧されうるように、第１長手方向辺１０５及び第２長手方向辺１０６の１つ又は複数から、第１端部凹部１３６及び第２端部凹部１３７の１つ又は複数まで、スルーホールを提供することができる。
【００７９】
一実施形態によれば、第１長手方向結合要素１４１は、第１長手方向溝１２１内において配置されており、且つ、第２長手方向結合要素１４２は、第２長手方向溝１２２内において配置されている。この結果、第１長手方向結合要素１４１及び第２長手方向結合要素１４２は、それぞれ、第１端部辺１０７から第２端部辺１０８まで、即ち、基本的にパネルの長さ全体に沿って、第１長手方向溝１２１及び第２長手方向溝１２２内において延在している。
【００８０】
図２ａ−ｄ及び図３ａ−ｄは、第１長手方向辺１０５に対する第１距離１３１においてパネルのベース層１０１内において形成された第１長手方向溝１２１を含むパネル１００の一部分の断面図を概略的に示している。熱提供層１０２がベース層１０１に装着されており、且つ、カバリング層１０３が熱提供層１０２に装着されている。
【００８１】
本発明の一実施形態によれば、熱提供層１０２に対向する第１長手方向結合要素１４１及び第２長手方向結合要素１４２の第１表面１４３及び第２表面１４４は、パネル１００が組み立てられた際に、ベース層１０１の表面１４５の残りの部分とアライメントされている。従って、第１長手方向溝１２１及び第２長手方向溝１２２の外側のベース層１０１の表面１４５及び第１長手方向結合要素１４１及び第２長手方向結合要素１４２の第１表面１４３及び第２表面１４４は、熱提供層１０２に対向する基本的にフラットな共通表面１４３、１４４、１４５がベース層１０１及び第１長手方向結合要素１４１及び第２長手方向結合要素１４２によって生成されるように、それぞれ、同一のレベルにおいて位置している。これにより、非常に安定したパネルが実現され、これは、カバリング層１０３上の基本的にすべての種類の圧力に対処している。
【００８２】
図２ｃ−ｄにおいて概略的に示されている、一実施形態によれば、第１長手方向結合要素１４１及び第２長手方向結合要素１４２は、例えば、導電性金属などの、少なくとも部分的な弾性を有する且つ導電性を有する材料を有する。この結果、これらの第１長手方向結合要素１４１及び第２長手方向結合要素１４２は、この弾性により、第１長手方向溝１２１及び第２長手方向溝１２２の側部及び／又は底部壁に圧接状態において押圧力を生成し、これにより、第１長手方向溝１２１及び第２長手方向溝１２２内において第１長手方向結合要素１４１及び第２長手方向結合要素１４２が堅固に固定される。第１長手方向結合要素１４１及び第２長手方向結合要素１４２は、例えば、基本的にＵ字の形状であってもよく、且つ、Ｕ字形状の要素の脚部が１つに押圧されている最中に、第１長手方向溝１２１及び第２長手方向溝１２２内において上下逆に挿入されてもよく、これにより、第１長手方向溝１２１及び第２長手方向溝１２２の内側壁に向かうスプリング力が生成される。
【００８３】
図３ａ−ｂにおいて概略的に示されている、本発明の別の実施形態によれば、第１長手方向結合要素１４１及び第２長手方向結合要素１４２は、例えば、導電性金属などの、固体の、且つ、導電性を有する、材料を有する。
【００８４】
例えば、第１電気端子コネクタ１５１及び第２電気端子コネクタ１５２の第１導電性舌１７１及び第２導電性舌１７２などの、第１電気端子コネクタ１５１及び第２電気端子コネクタ１５２は、この結果、図２ｃ−ｄ及び図３ａ−ｂに示されている実施形態の場合に、例えば、第１溝端部セクション１２６及び第２溝端部セクション１２７内などのように、第１長手方向溝１２１及び第２長手方向溝１２２内において配置されることにより、熱提供層１０２に電気的に接続することができる。電気接続は、導電性の少なくとも第１長手方向結合要素１４１及び第２長手方向結合要素１４２を介して提供することができる。熱提供層１０２は、ここでは、図２ｃ−ｄ及び図３ａ−ｂにおいて示されているように、カバリング層１０３と第１長手方向結合要素１４１及び第２長手方向結合要素１４２の間において配置することができる。熱提供層１０２は、例えば、導電性接着剤及び／又は導電性はんだ付けにより、第１長手方向結合要素１４１及び第２長手方向結合要素１４２に装着することができる。第１電気端子コネクタ１５１及び第２電気端子コネクタ１５２及び／又は第１電力供給端子コネクタ１６１及び第２電力供給端子コネクタ１６２は、ここでは、第１長手方向溝１２１及び第２長手方向溝１２２の底部と第１長手方向結合要素１４１及び第２長手方向結合要素１４２の間において配置することができる。従って、例えば、第１電気端子コネクタ１５１及び第２電気端子コネクタ１５２の第１導電性舌１７１及び第２導電性舌１７２などの、第１電気端子コネクタ１５１及び第２電気端子コネクタ１５２は、第１長手方向結合要素１４１及び第２長手方向結合要素１４２により、第１長手方向溝１２１及び第２長手方向溝１２２の底部に圧接状態において押圧されることにより、パネル１００内において固定することができる。
【００８５】
図３ｃ−ｄに概略的に示されている、一実施形態によれば、熱提供層１０２は、第１長手方向溝１２１及び第２長手方向溝１２２の外側において、且つ、ベース層と、それぞれ、第１長手方向結合要素１４１及び第２長手方向結合要素１４２の間の第１長手方向溝１２１及び第２長手方向溝１２２内において、ベース層１０１の表面１４５上に配置することができる。第１長手方向結合要素１４１及び第２長手方向結合要素１４２は、ここでは、例えば、木材又はプラスチック材料のような電気絶縁材料などのように、非導電性であってもよく、或いは、例えば、金属などのように、導電性であってもよい。第１長手方向結合要素１４１及び第２長手方向結合要素１４２の主な機能は、ここでは、熱提供層１０２と、例えば、第１電気端子コネクタ１５１及び第２電気端子コネクタ１５２の第１導電性舌１７１及び第２導電性舌１７２などの、第１電気端子コネクタ１５１及び第２電気端子コネクタ１５２の間の電気接触／接続が確保されるように、例えば、第１電気端子コネクタ１５１及び第２電気端子コネクタ１５２の第１導電性舌１７１及び第２導電性舌１７２に圧接状態において、且つ／又は、第１長手方向溝１２１及び第２長手方向溝１２２内に挿入／配置される後述する第１電力供給端子コネクタ１６１及び第２電力供給端子コネクタ１６２に圧接状態において、などのように、第１電気端子コネクタ１５１及び第２電気端子コネクタ１５２に圧接状態において熱提供層１０２を押圧することにある。
【００８６】
又、図２ｃ−ｄにおいて示されている、Ｕ字形状の、且つ、少なくとも部分的な弾性を有する、第１長手方向結合要素１４１及び第２長手方向結合要素１４２は、熱提供層１０２が、ベース層１０１と、それぞれ、第１長手方向結合要素１４１及び第２長手方向結合要素１４２の間において、第１長手方向溝１２１及び第２長手方向溝１２２内に配置されるように、構成することができる。従って、熱提供層１０２は、この結果、第１長手方向結合要素１４１及び第２長手方向結合要素１４２が、熱提供層１０２の上部上の溝内において、且つ、第１長手方向溝１２１及び第２長手方向溝１２２の外側のベース層１０１の表面１４５上において、挿入された状態において、第１長手方向溝１２１及び第２長手方向溝１２２内において配置されることになろう。この結果、Ｕ字形状の要素の脚部が、溝内への挿入の際に１つに、押圧され、これにより、挿入の後に、少なくとも第１長手方向溝１２１及び第２長手方向溝１２２の内側壁に向かうスプリング力を生成することができる。又、これは、第１長手方向結合要素１４１及び第２長手方向結合要素１４２及び熱提供層１０２が、互いに圧接状態において堅固に押圧されることを結果的にもたらし、この結果、熱提供層１０２上の損耗が極小化されると同時に、２つの間の確実な電気接触が結果的に得られる。
【００８７】
パネル１００は、本発明のいくつかの実施形態によれば、更なる長手方向溝を含んでいてもよく、即ち、合計で、２つ超の長手方向溝を含むことができる。又、この結果、パネルは、更なる対応する長手方向結合要素と、更なる対応する電気端子コネクタと、をも含む。
【００８８】
図４ａ−ｂは、本発明の一実施形態を示しており、この場合に、パネル１００は、ベース層１０１内において含まれた少なくとも１つの挟持／隔離コア１６０を含む。少なくとも１つの挟持／隔離コア１６０は、その生成された熱が、誤った方向において、即ち、暖房対象の空間から離れるように、搬送されることを防止する断熱特性を有することができる。例えば、断熱を伴わないパネルの場合の、例えば、３℃の温度増大は、ベース層１０１に追加された少なくとも１つの挟持／隔離コア１６０を有する同一のパネルの場合には、例えば、５〜６℃の温度増大を結果的にもたらしうるであろう。又、少なくとも１つの挟持／隔離コア１６０は、音響／雑音吸収特性を有していてもよく、これは、その結果、例えば、ハイヒールが床を横断して歩行するなどの雑音を効率的に低減する。
【００８９】
挟持／隔離コア１６０は、例えば、パネル１００の層の組立の際に、且つ／又は、その後に、注入されるポリウレタン発泡体の形態において、例えば、ポリウレタンを含むことができる。
【００９０】
図４ｃ−ｅは、本発明のいくつかの実施形態を示しており、この場合に、パネル１００は、ベース層１０１内において含まれた少なくとも１つの挟持／隔離コア１６０を含む。少なくとも１つの挟持／隔離コア１６０は、ここでは、例えば、それらが相対的に重い負荷を担持しうるように、ピラミッド形態の側部表面Ａ、Ｂにより、パネル１００のベース層１０１の対応するピラミッド形態の部分Ｄ上のピラミッド形態の支持要素Ｅから支持力／圧力を提供しうる、ピラミッド形状の支持要素Ｅを含むことができる。ピラミッド形態の支持要素Ｅは、カバリング層１０４とは別の方向において対向するそのベース面と、カバリング層１０３に向かう尖った面と、を有することができる。上述のように、少なくとも１つの挟持／隔離コア１６０は、熱及び／又は音響／雑音絶縁特性を有することができる。従って、ピラミッド形状の支持要素は、パネルの最適な担持容量との組み合わせにおいて、最適な絶縁を提供している。
【００９１】
図４ｅは、負荷／重量担持要素１７０が、ベース層１０１材料内の挟持／隔離コアのピラミッド形態１６０の間に配置されている、一実施形態を示しており、これは、例えば、木材であるか又は重量を担持するのに適したなんらかのその他の材料であってよい。負荷担持要素１７０は、例えば、円形形態を有していてもよく、例えば、相対的に幅広の部分がカバリング層１０３に向かって方向付けされた状態において、相対的に幅広の円形ヘッド部分及び相対的に細い円形の尖った部分を有するように、基本的にねじ／ボルトの形態であってよい。負荷担持要素１７０は、例えば、金属又はプラスチックなどの、基本的に任意の負荷担持材料から形成することができる。負荷担持要素１７０の円形ヘッド部分は、ベース層１０１のピラミッド形態の部分Ｄの底部領域の強度が、相対的に乏しくなりうるように、即ち、それ自体が担持重量／負荷の全体を引き受けるべく十分強力になる必要がないように、カバリング層１０３に由来する重量／負荷を担持するべく構成されている。従って、カバリング層に由来する重量／負荷は、ここでは、負荷担持要素１７０により、少なくとも部分的に担持されている。
【００９２】
負荷担持要素１７０は、パネルの負荷担持能力を改善するべく、即ち、ベース層１０１材料の負荷／重量担持能力を改善するべく、ベース層１０１材料と共に鋳造／形成することができる。これにより、相対的に安定性の乏しい、且つ、相対的に多孔性の、材料が、ベース層１０１材料の残りの部分に使用されてもよく、これにより、製造費用が低減される。
【００９３】
本発明の一態様によれば、電気端子コネクタ１５０が提示されている。電気端子コネクタ１５０及びその他の実施形態が、本明細書において記述されており、且つ、例えば、図１及び図５ａ−ｋにおいて示されている。電気端子コネクタ１５０は、本明細書において記述されている実施形態によれば、本明細書において記述されているパネル１００の第１端部パネル結合手段１１７及び第２端部パネル結合手段１１８の１つ又は複数内に挿入可能である。
【００９４】
電気端子コネクタ１５０は、少なくとも部分的な導電性を有しており、且つ、第１端部パネル結合手段１１７及び第２端部パネル結合手段１１８の１つ又は複数内に挿入された際に、第１端部パネル結合手段１１７及び第２端部パネル結合手段１１８の１つ又は複数から少なくとも部分的に突出する第１端部部分１５１及び第２端部部分１５２を含む。電気端子コネクタ１５０は、これにより、パネル１００の熱提供層１０２とパネルに結合された少なくとも１つの隣接するパネル２０１、２０２の対応する熱提供層の間の電気接続を提供している。
【００９５】
更に詳しくは、パネル及び隣接するパネルが機械的に１つに結合された際に、電気端子コネクタの第１及び第２端部部分は、様々な実施形態によれば、パネル及び隣接するパネルの両方のものの第１及び第２溝端部セクション及び／又はパネル端部凹部内において挿入され／受け入れられ、これにより、少なくとも部分的な導電性を有する第１及び第２端部部分は、パネルの且つ隣接するパネルの熱提供層の間の電気接続を提供している。
【００９６】
又、一実施形態によれば、電気端子コネクタは、例えば、スナップロックにより、少なくとも１つの隣接するパネルに対する機械的結合をも提供している。
【００９７】
上述のように、且つ、例えば、図１及び図５ａ−ｋにも示されているように、少なくとも１つの電気端子コネクタ１５０の第１端部部分１５１及び第２端部部分１５２は、一実施形態によれば、それぞれ、第１導電性舌１７１及び第２導電性舌１７２を含むことができる。第１導電性舌１７１及び第２導電性舌１７２は、パネル１００が隣接パネル２０１、２０２に結合された際に、パネル１００の熱提供層１０２との間の、且つ、隣接するパネル２０１、２０２の対応する熱提供層１０２との間の、電気接触状態となるべく構成されている。
【００９８】
少なくとも第１長手方向結合要素１４１及び第２長手方向結合要素１４２が使用されている実施形態の場合には、上述のように、第１端部部分１５１及び第２端部部分１５２の第１導電性舌１７１及び第２導電性舌１７２などの、第１端部部分１５１及び第２端部部分１５２は、パネル１００の、それぞれ、少なくとも第１長手方向溝１２１及び第２長手方向溝１２２内において配置された少なくとも第１長手方向結合要素１４１及び第２長手方向結合要素１４２との間における電気接触状態のために、構成することができる。この結果、第１導電性舌１７１及び第２導電性舌１７２は、パネル１００に機械的に結合される隣接するパネル２０１、２０２の対応する少なくとも第１長手方向結合要素１４１及び第２長手方向結合要素１４２との電気接触状態にもなる。
【００９９】
一実施形態によれば、第１導電性舌１７１及び第２導電性舌１７２は、熱提供層１０２との間の、且つ／又は、少なくとも第１長手方向結合要素１４１及び第２長手方向結合要素１４２との間の、緊密な接触を生成するのに適した形態を有する。第１導電性舌１７１及び第２導電性舌１７２は、例えば、少なくとも部分的に波の形態であってもよく、波形態のピークは、熱提供層及び／又は少なくとも第１長手方向結合要素１４１及び第２長手方向結合要素１４２に向かうように向いている。
【０１００】
第１電気端子コネクタ１５１及び第２電気端子コネクタ１５２と、恐らくは、第１長手方向電気結合要素１４１及び第２長手方向電気結合要素１４２と、によって熱提供層に搬送される電気エネルギーは、５ボルト〜６０ボルトの範囲における、或いは、１０ボルト〜５５ボルトの範囲における、或いは、１５ボルト〜５０ボルトの範囲における、或いは、２５ボルト〜５０ボルトの範囲における、電圧を有することができる。本発明によるパネルには、このような低電圧が供給されてもよく、その理由は、隣接するパネルの間の電気接触と、恐らくは、更には、第１及び第２長手方向電気結合要素の、且つ、従って、パネル自体の、電流／電圧伝導特性と、が、非常に良好である、即ち、低損失を有する、からである。
【０１０１】
本発明の例示用の一実施形態によれば、熱を生成するべく熱提供層１０２に供給される電気エネルギーは、２５ボルトの電圧Ｖを有し、即ち、Ｖ＝２５ボルトであり、これは、多くの領域及び／又は国においては、素人により、即ち、非電気技術者により、取り扱うことができる。
【０１０２】
本発明の別の例示用の実施形態によれば、電気エネルギーは、５０ボルトの電圧Ｖを有し、即ち、Ｖ＝５０ボルトであり、これは、いくつかの領域及び／又は国においては、素人によって取り扱うことができる。
【０１０３】
本発明の一態様によれば、暖房システム８００が提示されている。暖房システム８００は、図７において概略的に示されており、且つ、上述のように、少なくとも１つのパネル１００、２０３を含む。暖房システムは、例えば、取付ベース８２０において配置された、且つ／又は、少なくとも１つのパネル１００、２０３の第１端部辺１０７及び第２端部辺１０８の少なくとも１つに隣接したベース層１０１に対向する、電気エネルギー提供構成８１０を更に含む。電気エネルギー提供構成８１０は、電気エネルギーをパネル１００の第１電力供給端子コネクタ１６１及び第２電力供給端子コネクタ１６２に供給している。図７においては、簡潔性を目的として、２つのパネル１００、２０３のみが示されている。当業者には明らかなように、多くの更なるパネルが暖房システム８００内において含まれうる。又、図７のパネル１００、２０３のそれぞれのものは、パネルの列を表していてもよい。本明細書において記述されている電気エネルギー提供構成８１０は、本明細書において記述されたパネル１００に、のみではなく、基本的に任意の電気によって加熱されるパネルに、電気エネルギーを供給するべく、使用されうることに留意されたい。
【０１０４】
図７に示されている実施形態によれば、電気エネルギーは、パネル１００の第１端部辺１０７の第１電力供給端子コネクタ１６１及び第２電力供給端子コネクタ１６２に、或いは、パネル１００の第１端部辺１０７に直接又は間接的に結合される隣接するパネル２０２の対応する第１端部辺１０７’に、供給される第１及び第２極性Ｐ１、Ｐ２により、提供されている。従って、第１及び第２極性Ｐ１、Ｐ２の両方は、その端部辺１０７、１０８において１つに結合されたパネルのそれぞれの列内の第１パネル１００、２０３の第１端部辺１０７に接続されている。その結果、第１及び第２極性Ｐ１、Ｐ２は、床／壁／天井全体のすべてのパネルに電気供給されるように、図６に示されているように敷き詰められたパネルのそれぞれの列内の更なるパネルに電気的に接続されている。これにより、パネルによってカバーされたエリア全体が暖房される。図７において使用されている電圧は、例えば、２５ボルトなどのように、かなり小さいことから、第１及び第２極性Ｐ１、Ｐ２の両方は、パネルの同一の端部辺１０７に供給することができる。これが可能である理由は、基本的に、これらの小さな電圧においては、人物がパネルを設置する際の危険な電気ショックのリスクが存在していないからである。
【０１０５】
本発明の別の実施形態によれば、電気エネルギーは、５０ボルトの電圧を有し、即ち、Ｖ＝５０ボルトであり、これは、いくつかの領域及び／又は国においては、素人により、即ち、非電気技術者により、取り扱うことができる。暖房システム８００は、図８には、概略的に示されており、これは、上述のように、少なくとも１つのパネル１００、２０３、２０７を含む。暖房システムは、例えば、取付ベース８２０において配置された、且つ／又は、床、壁、又は天井の２つの反対側部において、且つ、少なくとも１つのパネル１００、２０３、２０７の第１端部辺１０７及び第２端部辺１０８の両方に隣接した状態で、ベース層１０１に対向する、電気エネルギー提供構成８１０を更に含む。本明細書において記述されている電気エネルギー提供構成８１０は、本明細書において記述されているパネル１００に、のみではなく、基本的に任意の電気によって加熱されるパネルに、電気エネルギーを供給するべく、使用されうることに留意されたい。
【０１０６】
電気エネルギー構成８１０は、接触手段８１１、８１２、８１３、８１４、８１５、８１６を含んでいてもよく、このそれぞれは、接触突出部８１７及び／又は第１電力供給端子コネクタ１６１及び第２電力供給端子コネクタ１６２の使用により、１つの極性Ｐ１、Ｐ２をパネル１００、２０３、２０７に提供するべく、構成されている。又、接触手段８１１、８１２、８１３、８１４、８１５、８１６及び／又はパネル１００、２０３、２０７は、安定性突出部８１８を含むこともできる。
【０１０７】
接触手段８１１、８１２、８１３、８１４、８１５、８１６が、パネル１００、２０３、２０７と組み立てられた、即ち、この内部に挿入された、際に、電気エネルギーは、接触突出部８１８により、パネル１００、２０３、２０７に提供され、且つ、パネル１００、２０３、２０７は、安定性突出部８１７により、定位置において保持される。又、電気エネルギー、即ち、パネル１００、２０３、２０７において熱を生成する電圧、は、接触手段８１１、８１２、８１３、８１４、８１５、８１６により、パネル１００、２０３、２０７内においてカプセル化されている。従って、電気ショックをうけるリスクは、図８に示されている暖房システム８００の場合には、カプセル化された電気エネルギーに部分的に起因して、且つ、部分的には、２つの極性Ｐ１、Ｐ２が、パネルによってカバーされた床、壁、又は天井の反対側に提供されており、且つ、従って、人物が同時にＰ１及びＰ２の両方との物理的接触状態になることが、困難であり、多くの場合には不可能である、ことから、極小化されている。
【０１０８】
又、熱提供層上における電圧降下も、２つの極性Ｐ１、Ｐ２が床の反対側に提供されている際には、約５０％だけ、低減される。
【０１０９】
従って、図８に概略的に示されている、本発明の一実施形態によれば、電気エネルギーは、パネル１００の第１端部辺１０７の第１電力供給端子コネクタ１６１又は第２電力供給端子コネクタ１６２に供給される第１極性Ｐ１により、パネル１００に提供されている。次いで、第２極性Ｐ２は、パネルの第２端部辺１０８の第１電気端子コネクタ１５１又は第２電気端子コネクタ１５２に供給されている。従って、第１極性Ｐ１は、パネル１００の１つの端部辺１０７に供給されており、且つ、第２極性Ｐ２は、パネル１００の反対側の端部辺１０８に供給されている。
【０１１０】
又、第２極性Ｐ２は、図６に示されているように、パネル１００の第１端部辺１０７に直接又は間接的に結合された隣接するパネル２０２の対応する第１端部辺１０７’の第１電力供給端子コネクタ１６１又は第２電力供給端子コネクタ１６２に供給することができる。又、第２極性Ｐ２は、パネル１００の第２端部辺１０８に直接又は間接的に結合された隣接するパネル２０１の対応する第２端部辺１０８’の第１電力供給端子コネクタ１６１又は第２電力供給端子コネクタ１６２に供給することができる。従って、電気エネルギー提供構成８１０は、少なくとも１つのパネル１００、２０３、２０７の２つの反対側端部辺上の第１電力供給端子コネクタ１６１及び第２電力供給端子コネクタ１６２に電気エネルギーを供給している。図８においては、わかりやすさを目的として、３つのパネル１００、２０３、２０７のみが示されている。但し、当業者には明らかなように、多くの更なるパネルが暖房システム８００内に含まれうる。又、図８のパネル１００、２０３、２０７のそれぞれのものは、パネルの列を表すこともできる。
【０１１１】
図９は、完成した暖房システムを概略的に示している。
【０１１２】
図９において示されているように、且つ、上述のように、第１電力供給端子コネクタ１６１及び第２電力供給端子コネクタ１６２は、その端部辺が、パネルの列を開始する端部辺である、即ち、電力がパネルの列に提供される壁、ソケット、又はこれらに類似したものに対向する端部である、場合には、パネルの１つの端部辺１０８上において使用することができる。これらの第１電力供給端子コネクタ１６１及び第２電力供給端子コネクタ１６２は、例えば、第１電力供給端子コネクタ１６１及び第２電力供給端子コネクタ１６２と、例えば、床、壁、又は天井の少なくとも１つの側部上の少なくとも１つの壁に沿って、且つ、少なくとも１つのパネル１００の端部辺に隣接して、配置された、例えば、取付ベース９２０を含む、電気エネルギー提供構成９１０の接触手段９１１の間において接続力を提供する、少なくとも部分的な弾性を有する、且つ、例えば、図９において示されているように、上向きに方向において、わずかに垂直方向において傾斜した、コネクタなどの、緊密な電気接続を生成する基本的に任意の種類のコネクタ／端子であってよい。
【０１１３】
少なくとも１つの第１接触手段９１１は、ここでは、わずかに上向きに傾斜した第１電力供給端子コネクタ１６１及び第２電力供給端子コネクタ１６２用の接触表面を提供するように、例えば、電気エネルギー提供構成９１０内において水平方向において構成された、恐らくは、金属の、導電性接触ストリップとして構成することができる。従って、少なくとも１つのパネル１００と、例えば、取付ベースの形態における電気エネルギー提供構成９１０と、が１つに取り付けられた際に、垂直方向の接触力Ｆconが生成される。
【０１１４】
又、例えば、本明細書において記述されている取付ベース９２０内において含まれている、電気エネルギー提供構成９１０は、上述のように、本明細書において記述されているパネル１００に、のみではなく、基本的に任意の電気によって加熱されるパネルに、且つ／又は、例えば、壁又は天井暖房パネル、ランプ、又はこれらに類似したものなどの、任意のその他の電気エネルギー消費装置９３０に、電気エネルギーを提供するべく、使用することができる。これを理由として、電気エネルギー提供構成９１０は、少なくとも１つの第２接触手段９１２を含むことができる。
【０１１５】
一実施形態によれば、少なくとも１つの第１接触手段９１１には、第１極性Ｐ１を提供することができると共に、少なくとも１つの第２接触手段９１２には、別の第２極性Ｐ２を提供することができる。
【０１１６】
これにより、電気エネルギーは、電気エネルギー提供構成９１０により、電気エネルギー提供構成９１０によって提供される電圧によって駆動される基本的に任意の電気装置９３０に電気エネルギーを供給することができる。例えば、多くの種類のランプは、例えば、２５ボルト又は５０ボルトなどの、相対的に小さな電圧によって駆動されており、且つ、従って、電気エネルギー提供構成９１０から、この電圧を直接的に供給することができる。
【０１１７】
又、例えば、１つに取り付けられた隣接する取付ベース部分の形態における、エネルギー提供構成９１０の隣接する部分の少なくとも１つの第１接触手段９１１及び少なくとも１つの第２接触手段９１２は、本明細書において記述されている第１電気端子コネクタ１５１及び第２電気端子コネクタ１５２に形態及び／又は機能において恐らくは対応しうる、例えば、シート金属の形態における、結合手段９５１、９５２を利用して電気的に結合することができる。
【０１１８】
図１０には、一実施形態による暖房システムが示されている。電気エネルギー提供構成８１０は、ここでは、パネル１００の下方において、即ち、パネルのベース層１０１に対向するように、配置されている。この結果、少なくとも１つの第１電力供給端子コネクタ１６１及び少なくとも１つの第２電力供給端子コネクタ１６２は、パネルの第１端部辺１０７、１０７’及び第２端部辺１０８、１０８’の少なくとも１つのものの周りにおいて折り曲げられ、且つ、パネル１００のベース層１０１と電気エネルギー提供構成８１０の間において配置されている。これにより、少なくとも１つの第１電力供給端子コネクタ１６１及び少なくとも１つの第２電力供給端子コネクタ１６２は、電気エネルギー提供構成８１０の少なくとも一部分に圧接状態において押圧され、且つ、従って、これとの電気接触状態にある。電気エネルギー提供構成８１０は、一実施形態によれば、パネル１００のベース層１０１に対向する導電性要素９６１を有する、少なくとも１つの接触テープを含むことができる。接着テープは、少なくとも１つの第１電力供給端子コネクタ１６１及び少なくとも１つの第２電力供給端子コネクタ１６２との接触を生成するべく、例えば、壁に隣接する床の上部において、且つ、従って、更には、パネル端部辺１０７に隣接した状態において、貼り付けることができる／配置することができる。床の残りの部分上においては、即ち、パネルの残りの部分の下方においては、例えば、薄い発泡体及び／又は紙の層である、ステッピング層９６２により、床をカバーすることができる。
【０１１９】
本発明の一実施形態によれば、暖房システム８００を設置する方法が提示されている。
【０１２０】
例えば、床になるように、本発明によるパネルを組み立てる／敷き詰める必要がある際には、まず、取付ベース８２０、９２０において、且つ／又は、床板を敷く対象の部屋の１つ又は２つの側部においてベース層１０１に対向する状態において、上述の電気エネルギー提供構成８１０、９１０を配置することができる／取り付けることができる。例えば、２５ボルトを提供する、例えば、相対的に低い電圧のエネルギー提供構成が、部屋の１つの壁に沿って配置されてもよく／取り付けられてもよく、且つ、次いで、これにより、電圧の両方の極性Ｐ１、Ｐ２が提供される。この代わりに、例えば、５０ボルトを提供する、相対的に高い電圧のエネルギー提供構成が、部屋の２つの反対側の側部に沿って配置されてもよく、且つ、これにより、部屋のそれぞれの反対側の側部から電圧の１つの極性が提供される。従って、この結果、電気エネルギーは、部屋の１つ又は２つの側部において利用可能である。
【０１２１】
次いで、第１パネル１００が、第１端部辺１０７及び第２端部辺１０８上の機械的結合手段１１７、１１８の使用により、少なくとも１つの第２パネル２０１、２０２に機械的に結合される。これにより、２つ以上のパネル１００、２０１、２０２の列が生成される。このようなパネルの列内の最後の第２パネル２０２は、列の長さが部屋の長さに対応するように、切断する必要がある場合がある。
【０１２２】
列のパネルが機械的に結合されるのと同時に、第１パネル１００及び少なくとも１つの第２パネル２０１、２０２の電気接続が第１パネル１００の少なくとも１つの端子コネクタ１５０によって実現される。従って、パネル１００、２０１、２０２が機械的結合手段１１７、１１８によって１つに押圧されるのに伴って、少なくとも１つの端子コネクタ１５０、即ち、列のパネル１００、２０１、２０２の、少なくとも１つの端子コネクタ１５０の第１端部部分１５１及び第２端部部分１５２、も、第１溝端部セクション１２６、１２８及び第２溝端部セクション１２７、１２９内に、且つ／又は、パネル１００、２０１、２０２の第１パネル端部凹部１３６及び第２パネル端部凹部１３７内に、押圧され、これにより、例えば、列内のパネル１００、２０１、２０３の第１長手方向電気結合要素１４１及び第２長手方向電気結合要素１４２の使用により、パネル１００、２０１、２０２の熱提供層１０２の電気接続が生成される。
【０１２３】
次いで、電気エネルギー提供構成８１０、９１０から、電気エネルギーが、第１パネル１００及び少なくとも１つの第２パネル２０１、２０２の列に供給される。例えば、低電圧の場合に有用である、上述の一実施形態によれば、これは、第１パネル１００の第１電力供給端子コネクタ１６１及び第２電力供給端子コネクタ１６２の両方を電気エネルギー提供構成８１０、９１０に接続することにより、実行されており、この結果、これにより、電圧極性Ｐ１、Ｐ２の両方が第１パネル１００の第１端部辺１０７に供給される。
【０１２４】
例えば、相対的に大きな電圧の場合に有用である、上述の別の実施形態によれば、第１パネル１００の第１端部辺１０７上の第１電力供給端子コネクタ１６１及び第２電力供給端子コネクタ１６２の１つを電気エネルギー提供構成８１０、９１０に接続することにより、電気エネルギー提供構成８１０、９１０から、電気エネルギーが第１パネル１００及び少なくとも１つの第２パネル２０１、２０２の列に供給されている。この結果、電気エネルギー提供構成８１０、９１０は、パネルの列の第１パネル１００の第１端部辺１０７に電気エネルギーの１つの極性Ｐ１を提供する。次いで、列の第２端部辺１０８’上の、即ち、少なくとも１つの第２パネル２０１、２０２の第２端部辺１０８’上の、第１電力供給端子コネクタ１６１及び第２電力供給端子コネクタ１６２の別のものが、電気エネルギー提供構成８１０、９１０に接続される。その結果、電気エネルギー提供構成８１０、９１０は、列の第２端部辺１０８’に電気エネルギーの別の極性Ｐ２を提供する。
【０１２５】
上述のように、列のそれぞれの端部においてパネル１００、２０１、２０２の列に１つの電圧極性を供給することは、床を敷き詰めている人物が、パネルに提供されている電気エネルギーによる電気ショックをうけるリスクが、相当に低減される、という利点を有する。電気ショックをうけるには、即ち、電圧の両方の極性との接触状態となるには、人物は、パネルの列の長さ全体に沿って、部屋全体に跨って延在しなければならなくなり、これは、非常に可能性が小さい。従って、本発明のこの実施形態と共に、相対的に大きな電圧の供給を使用することができる。
【０１２６】
以下には、本明細書において記述されている実施形態のいくつかによる、床の電気特性及び加熱特性のいくつかの非限定的な例の説明が提示されている。
【０１２７】
床の電力消費Ｐは、次式によって与えられ、
Ｐ＝Ｕ＊Ｉ      （式１）
ここで、Ｕは、熱提供層に印加される電圧であり、且つ、Ｉは、対応する印加電流である。印加電圧Ｕは、電源によって提供される電圧Ｕsupplyから電源と熱提供層の間の電圧降下ΔＵを減算することにより、与えられ、即ち、次式のとおりである。
Ｕ＝Ｕsuppiy−ΔＵ      （式２）
【０１２８】
熱提供層を通じて流れる電流Ｉは、オームの法則により、以下のように与えられ、
Ｕ＝Ｒ＊Ｉ      （式３）、
即ち、次式のとおりであり、
Ｉ＝Ｕ／Ｒ      （式４）
ここで、Ｒは、熱提供層の抵抗値である。熱提供層は、加熱モジュール／セクション内において分割される場合があり、この場合に、複数のモジュール／セクションは、並列に結合することができる。１つの熱モジュール／セクションの場合には、抵抗値は、次式によって与えられ、
Ｒ＝ｒｅｓｉｓｔｉｖｉｔｙ＊Ｌc_heat／Ａc_heat      （式５）
ここで、ｒｅｓｉｓｔｉｖｉｔｙは、材料パラメータであり、例えば、純粋なアルミニウムの場合には、約２．８２×１０-8Ωｍであり、Ｌc_heatは、加熱導体（抵抗器）の長さであり、且つ、Ａc_heatは、加熱導体の断面積である。導体の断面積Ａc_heatは、例えば、薄膜の場合には、次式として、与えられ、
Ａc_heat＝ｈc_heat＊ｗc_heat      （式６）
ここで、ｈc_heatは、導体（抵抗器）の高さ／厚さであり、且つ、ｗは、導体（抵抗器）の幅である。
【０１２９】
例えば、６２．５ｍという加熱導体の長さＬc_heat、０．６４２ｍｍという加熱導体の幅ｗc_heat、及び９マイクロメートルという加熱導体薄膜の厚さを有する加熱モジュールの場合には、抵抗値Ｒは、アルミニウムの場合には、約３０５Ωである。
【０１３０】
上述の式１及び式４を組み合わせることにより、電力は、次式によって与えられ、
Ｐ＝Ｕ2／Ｒ      （式７）
即ち、電力は、電圧Ｕの二乗に伴って増大し、且つ、抵抗値Ｒの逆数に伴って減少している。
【０１３１】
電力Ｐは、次式として記述することができる。
Ｐ＝（Ｕ2＊ｗc_heat＊ｈc_heat）／（Ｌc_heat×ｒｅｓｉｓｔｉｖｉｔｙ）      （式８）
【０１３２】
ｒｅｓｉｓｔｉｖｉｔｙは、材料パラメータであり、且つ、導電熱薄膜の厚さは、選択を要する物理パラメータであることから、電力は、次式として記述することができる。
Ｐ＝Ｕ2＊（ｗc_heat／Ｌc_heat）＊ｃｏｎｓｔａｎｔ      （式９）
【０１３３】
これは、選択された熱薄膜のタイプにおける、望ましい電力Ｐは、電圧により、且つ、次いで、加熱導体（抵抗器）の長さＬc_heat及び幅ｗc_heatにより、最も容易に制御されることを意味している。
【０１３４】
すべての電力Ｐがジュール熱Ｑに変換される、即ち、Ｐheat＝ｄＱ／ｄｔである、ことから、Ｐheatは、Ｐに等しい。ジュール熱Ｑの時間微分ｄＱ／ｄｔは、熱エネルギーの流れに対応している。熱流ｄＱ／ｄｔは、温度勾配の負の方向において流れることになる。
【０１３５】
供給電力Ｐは、伝導ｄＱ／ｄｔcondにより、下向きに下敷き構造に流れるｄｑ／ｄｔdownことになる、且つ、対流ｄＱ／ｄｔconv及び放射ｄＱ／ｄｔradにより、上向きに流れるｄＱ／ｄｔupことになる、熱流ｄＱ／ｄｔと、非平衡状態においては、ボード／パネルの温度の上昇ｄＱ／ｄｔboardと、に変換されることになる。
ｄＱ／ｄｔ＝ｄＱ／ｄｔcond＋ｄＱ／ｄｔconv＋ｄＱ／ｄｔrad＋ｄＱ／ｄｔboard      （式１０）
【０１３６】
平衡状態の場合には、次式のとおりである。
ｄＱ／ｄｔ＝ｄＱ／ｄｔcond＋ｄＱ／ｄｔconv＋ｄＱ／ｄｔrad      （式１１）
ｄＱ／ｄｔdown＝ｄＱ／ｄｔcond      （式１２）
ｄＱ／ｄｔup＝ｄＱ／ｄｔconv＋ｄＱ／ｄｔrad      （式１３）
【０１３７】
非平衡状態の場合には、ボードの温度は、ｄQ／ｄｔboardにより、上昇することになる。
【０１３８】
時間的な振る舞いに関しては、ボード／パネルの時間に関する温度微分は、次式のとおりであり、
ｄＴ／ｄｔ＝ｄＱ／ｄｔboard／（ｄ＊ｄｅｎｓｉｔｙ＊ｃp）      （式１４）
ここで、ｄＴ／ｄｔは、従って、ｄＱ／ｄｔboardに比例しており、且つ、明らかに、温度は、ｄｑ／ｄｔboradがゼロでない場合に、上昇することになる。
【０１３９】
ボードが下敷き構造から十分に絶縁されている場合には、ｄＱ／ｄｔcondは、小さく、且つ、従って、ボード／パネル内の温度勾配も、小さくなり、従って、温度は、一階微分方程式にほぼ準拠することになる。次いで、ボード／パネルの温度依存性は、次式のようになり、
Ｔboard＝Ｔinital＋（Ｔend−Ｔinital）＊（１−ｅ-t/tau）      （式１５）
ここで、ｔinitalは、電圧Ｖが印加される前のボード／パネルの温度であり、Ｔendは、最後の温度であり、且つ、ｔａｕは、特性時定数である。
【０１４０】
Ｔend＝Ｐ＊Ｒth_tot      （式１６）
であり、且つ、ｔａｕ／面積単位については、次式のとおりであり、
ｔａｕ＝ｃp＊ｄｅｎｓｉｔｙ＊ｄ      （１７）
ここで、ｃpは、比熱容量であり、Ｒth_totは、総熱抵抗値であり、ｄｅｎｓｉｔｙは、ボード／パネルの密度であり、且つ、ｄは、ボードの厚さである。
【０１４１】
ボード／パネルの熱流ｄＱ／ｄｔ及び温度上昇に関しては、ボード／パネルの表面上の温度上昇は、電力Ｐ、周辺温度Ｔamb、（熱薄膜と周辺床の間の）下向きの熱抵抗値Ｒth_down、薄膜と周辺空気の間の熱抵抗値Ｒth_upに依存することになる。ボード／パネルのそれぞれの層は、その独自の熱抵抗値、即ち、ボード／パネルサブ構造Ｒth_subの場合には、ボードの下方の任意の減衰層Ｒth_damp、加熱薄膜基材Ｒth_substrate、カバリング層Ｒth_top、並びに、カバリング層と周辺空気の間のインターフェイスＲth_conv、を有する。下向きの熱抵抗値は、直列において加算され、且つ、上向きの熱抵抗値も、直列において加算される。但し、下向きの総熱抵抗値及び上向きの総熱抵抗値は、総熱抵抗値Ｒth_totに対して並列の方式により、組み合わせられ、
Ｒth_down＝Ｒth_sub＋Ｒth_damp      （式１８）
Ｒth_up＝Ｒth_substrate＋Ｒth_top＋Ｒth_conv＋Ｒrad      （式１９）、並びに、
１／Ｒth_tot＝１／Ｒth_down＋ｌ／Ｒth_up      （式２０）
であり、これは、以下のように記述することができる。
Ｒth_tot＝（Ｒth_down＊Ｒth_up）／（Ｒth_down＋Ｒth_up）      （式２１）
【０１４２】
加熱薄膜導体（抵抗値）内の温度増大ΔＴfilmは、次式によって与えられる。
ΔＴfilm＝Ｐ＊Ｔth_tot      （式２２）
【０１４３】
熱伝導に起因した固体材料の熱抵抗値Ｒth_condは、次式によって与えられる。
Ｒth_cond＝Ｌmaterial／（Ｌａｍｂｄａ＊Ａ）      （式２３）
【０１４４】
熱抵抗値対流は、次式によって与えられる。
Ｒth_conv＝Ａ／Ｕth_conv      （式２４）
【０１４５】
材料のいくつかの非限定的な例及び熱抵抗値が、以下の表１によって与えられている。
【０１４６】
【表１】
2020521110.tif 000003
【０１４７】
上述の非限定的な例においては、下敷き構造が周辺床と同一の温度を有すると仮定することにより、上向き及び下向きの両方の方向における等しい熱流ｄＱ／ｄｔが提供されている。
【０１４８】
放射に起因した熱流ｄＱ／ｄｔheatは、次式によって与えられ、
ｄＱ／ｄｔheat＝ｅｐｓｉｌｏｎ＊ＳＢ＊（Ｔsurface4−Ｔambienｔ4）      （式２５）
ここで、イプシロンは、放射率係数であり、ＳＢは、ステファン−ボルツマン定数である。
【０１４９】
空洞内の表面の場合に、放射は、形態係数Ｆを考慮しなければならず、従って、放射に起因した熱流は、次式のとおりとなり、
ｄＱ／ｄｔheat＝ｅｐｓｉｌｏｎ＊ＳＢ＊（Ｔsurface4−Ｔambienｔ4）＊Ｆ（ｐｈｙｓｉｃａｌ  ｄｉｍｅｎｓｉｏｎｓ）      （式２６）
ここで、Ｆは、０〜１の範囲をとり、即ち、０〜１の範囲である。
【０１５０】
従って、パネルの表面温度は、下敷き構造への熱漏洩に依存している。例えば、１８ｍｍの発泡ポリスチレン（ＰＳ）などの、十分に絶縁された床パネルの場合には、５０Ｗ／ｍ2の場合に、温度上昇は、約６度となり、且つ、２５Ｗ／ｍ2の場合には、３度となる。但し、例えば、１ｍｍのＰＳなどのように、絶縁が乏しい場合には、温度増大は、より乏しくなり、実験によれば、例えば、５０Ｗ／ｍ2に場合に、３度である。
【０１５１】
電力Ｐは、加熱エリア、即ち、熱提供層、に供給しなければならない。２つの平行なパワーレール、即ち、第１及び第２平行長手方向結合要素、を仮定することにより、加熱エリアへの電流は、異なる場所において取り出すことができる。
【０１５２】
長手方向結合要素（電力供給レール）は、次式による抵抗値を有し、
Ｒrail＝ｒｅｓｉｓｔｉｖｉｔｙrail＊Ｌrail＊ｗrail＊ｈrail      （式２７）
これは、例えば、１ｃｍの幅ｗrailと、９マイクロメートルの高さと、４５ｃｍの長さと、を有するアルミニウムレールの場合には、０．１４Ωの抵抗値を有することになる。
【０１５３】
一端において電源に接続された、即ち、両方の極性Ｐ１及びＰ２がパネルの１つの端部辺に接続された、パネルの場合には、有効抵抗値は、遠い端部におけるモジュール／セクションを除いて、２＊Ｒrailとなる。但し、電源接続がパネルの反対側の両側部において配置されている場合には、有効抵抗値は、Ｒrailとなる。
【０１５４】
１つに結合された隣接するパネルの間には、一定の抵抗値Ｒcontactを有する電気接続が存在している。非限定的な例として、通常の接触抵抗値は、０．００５Ωであってよい。
【０１５５】
レール抵抗値及び接触抵抗値は、直列において加算されることになり、これにより、電力抵抗値が与えられる。
Ｒpower＝Ｒrail＋Ｒcontact      （式２８）
【０１５６】
これは、レール抵抗値Ｒrailに起因する、ボードに沿って電圧降下となり、且つ、これは、接触抵抗値Ｒcontactに起因する、床に沿ったボード／パネルの間の電圧降下となる。電圧降下は、電流Ｉに比例している。列内の複数のボード／パネルを使用することは、電圧降下が、列の長さの二乗として増大することを意味しており、その理由は、電流は、長さに比例して増大することになり、且つ、電力抵抗値Ｒpowerは、床／列の長さにも比例して増大することになるからである。従って、熱流ｄＱ／ｄｔheatは、４の累乗により、減少することになる。従って、電力抵抗値は、大きな床の場合に、重要性を有する。
【０１５７】
電力抵抗値Ｒpowerは、電源が床／パネル／列の１つの側部において接続されている場合には、電源が床／パネル／列の両側部において接続されている場合との比較において、サイズが２倍である。従って、これは、第１極性Ｐ１及び第２極性Ｐ２がパネルの両端部に供給されている上述の実施形態の場合には、利点である。
【０１５８】
非限定的なパネル／ボードの一例として、熱導体（抵抗値）として機能する、長さが６２．５ｍであり、幅が０．６４ｍｍ幅である、９マイクロメートルのアルミニウム加熱薄膜の場合には、抵抗値は、約３０５Ωである。電力供給が、同一の薄膜により、但し、幅が１０ｍｍのパワーレール／結合要素により、実行された場合には、パワーレール／結合要素は、約０．１４Ωの抵抗値を有することになる。０．００５Ωの接触抵抗値に伴い、パワーレール／結合要素抵抗値は、支配的である。３つの加熱モジュール／セクションを有するボード／パネルの場合に、加熱抵抗値は、並列であり、且つ、電力抵抗値は、直列である。その結果、ボード／パネルは、同一の端部辺電源接続の場合に、１０２Ωの加熱抵抗値と、０．８Ωの合計電力抵抗値と、を有することになる。対応する方式で、パネル／ボードは、反対側端部辺接続の場合に、０．４Ωの合計電力抵抗値を有することになり、これは、両方のケースにおいて、約１％の電力降下に結び付く。これは、電源が、薄膜のみにより、ボード／パネル内において十分であることを通知している。
【０１５９】
本発明は、上述の実施形態に限定されるものではない。その代わりに、本発明は、独立請求項の範囲に含まれるすべての異なる実施形態に関し、且つ、これらを包含している。
【図１】
2020521110.tif 000004
【図２ａ−２ｂ】
2020521110.tif 000005
【図２ｃ−２ｄ】
2020521110.tif 000006
【図３ａ−３ｂ】
2020521110.tif 000007
【図３ｃ−３ｄ】
2020521110.tif 000008
【図４ａ】
2020521110.tif 000009
【図４ｂ】
2020521110.tif 000010
【図４ｃ−４ｄ】
2020521110.tif 000011
【図４ｅ】
2020521110.tif 000012
【図５ａ】
2020521110.tif 000013
【図５ｂ】
2020521110.tif 000014
【図５ｃ】
2020521110.tif 000015
【図５ｄ】
2020521110.tif 000016
【図５ｅ】
2020521110.tif 000017
【図５ｆ】
2020521110.tif 000018
【図５ｇ】
2020521110.tif 000019
【図５ｈ】
2020521110.tif 000020
【図５ｉ】
2020521110.tif 000021
【図５ｊ】
2020521110.tif 000022
【図５ｋ】
2020521110.tif 000023
【図６】
2020521110.tif 000024
【図７】
2020521110.tif 000025
【図８】
2020521110.tif 000026
【図９】
2020521110.tif 000027
【図１０】
2020521110.tif 000028
【手続補正書】
【提出日】令和1年11月26日(2019.11.26)
【手続補正１】
【補正対象書類名】明細書
【補正対象項目名】全文
【補正方法】変更
【補正の内容】
【発明の詳細な説明】
【技術分野】
【０００１】
本発明は、請求項１の前文において定義されているパネルに関する。又、本発明は、請求項１３の前文において定義されている電気端子コネクタにも関する。又、本発明は、請求項１４の前文において定義されている暖房システムにも関する。又、本発明は、請求項１５において定義されている暖房システムを設置する方法にも関する。
【背景技術】
【０００２】
以下の背景情報は、本発明の背景の説明であり、従って、これは、必ずしも、従来技術の説明であるというわけではない。
【０００３】
我々の時代の大きな課題の１つが、世界における全体的なエネルギー消費量を低減する、というものである。世界の多くの地域において、住宅、アパート、事務所、店舗、工場、及び／又はその他の公的又は非公的な空間は、これらの空間において時間を過ごす人々のために、受け入れ可能な環境を提供するべく、暖房する必要がある。従って、このような暖房は、エネルギー消費を最小限に維持する必要があると同時に、快適な温度を提供する必要がある。
【０００４】
受け入れ可能な温度／環境が提供されると同時に、エネルギー消費を低減するべく、床下暖房を使用することができる。現在、床をカバーするべく石及び／又はセラミックタイルが使用される際には、熱源として温水又は電気を使用する床下暖房を設置するのが一般的である。又、床をカバーするべく、パーケットフローリングなどの木製の床が使用される際にも、床下暖房を使用することができる。
【０００５】
これまでのところ、床下暖房を提供するべく使用されている熱は、床板の下方のパイプ／チューブ内を流れる温水により、且つ／又は、床板の下方において配置されたシート材料内の抵抗値を通じて流れる電気により、生成されている。このような既知の解決策については、（特許文献１）において記述されており、この場合には、この特許文献において「暖房装置１と表記されている」マット／シートは、「床カバリング１２」の下方において、即ち、実際の床板の下方において配置されている。従って、これらのパイプ／チューブ及び／又はシート材料は、木製の床の下方において、或いは、石及び／又はセラミックタイルの下方において、配置されている。これらの従来の解決策は、熱が実際に必要とされている空間内に、即ち、木製の床の上方の、且つ／又は、石及び／又はセラミックタイルの上方の、空間内に、熱を提供することにおいて、あまり効率的ではない、という欠点を有する。これは、熱が木製の床の下方において、或いは、石及び／又はセラミックタイルの下方において、生成され、且つ、従って、例えば、人々が存在している空間に到達するには、即ち、暖房を要する空間に到達するには、木製の床の全体を通じて、且つ／又は、石及び／又はセラミックタイルの全体を通じて、熱を搬送する必要がある、という事実に起因している。又、生成された熱の大きな部分が、反対方向において、即ち、木製の床又は石及び／又はセラミックタイルから離れるように、搬送されており、これは、暖房を要する空間から離れることをも意味している。従って、このような従来の暖房システムにおいては、生成された熱の多くが失われており、従って、暖房システムは、非効率的であり、且つ、エネルギーを浪費している。
【０００６】
（特許文献２）において示されている従来技術の解決策においては、その代わりに、フローリングボードに、板の内部における埋め込み型の暖房フォイルが提供されており、これは、電気エネルギーが供給された際に熱を生成するべく、構成されている。これにより、生成された熱は、熱が必要とされている空間に対して格段に効率的に提供されており、その理由は、熱が、その下方の代わりに、実際の床板内において生成されているからである。
【０００７】
但し、（特許文献２）において示されているフローリングボードは、フローリングボードに対する電力供給に関係するいくつかの問題点を有している。フローリングボードは、フローリングボードをその他のフローリングボードと機械的に１つに結合するべく使用される、クイック結合ジョイントの溝及び舌の上部に配置された電気接続手段を有する。電気接続手段が、ジョイントの溝及び舌の上部に配置されていることから、圧力がフローリングボード上において印加された際に、電気接続手段も、小さな運動を経験することになる。ジョイントの一部分、即ち、ジョイントの溝及び舌、は、例えば、人間がフローリングボード上を歩行するたびに、毎回、わずかに運動する。これにより、（特許文献２）における電気接続手段は、ある程度の使用の後に、損耗した状態となる。又、電気接続手段の損耗の結果として、接触の喪失がもたらされる場合もあり、これにより、暖房機能が失われる。又、電気接続手段の損耗により、短絡が発生する場合もあり、これは、例えば、火災のリスクに起因し、危険なものとなりうる。当然のことながら、これらの発生可能な問題点は、特に長い予想寿命を有する床の場合には、非常に不適切なものである。このような床は、誤動作する床の暖房機能に起因し、予想よりもかなり短い時間の後に、交換を要する場合がある。
【先行技術文献】
【特許文献】
【０００８】
【特許文献１】米国特許出願公開第２００８／０２１０６７９号明細書
【特許文献２】米国特許出願公開第２００６／０２８９１４４号明細書
【発明の概要】
【発明が解決しようとする課題】
【０００９】
従って、上述の問題点及び／又は欠点のうちの少なくともいくつかを解決するパネル、暖房システム、及び方法を提供することが、本発明の目的である。この目的は、請求項１の特徴付け部分による上述の言及されたパネルにより、実現される。
【課題を解決するための手段】
【００１０】
パネルは、
−ベース層と、
−ベース層に装着された熱提供層であって、熱が電気エネルギーによって生成される、熱提供層と、
−熱提供層に装着されたカバリング層と、
−パネルを、隣接するパネルに結合するべく構成された、それぞれ反対側の、第１及び第２長手方向パネル結合手段を含む、第１及び第２長手方向辺と、
−パネルを、隣接するパネルに結合するべく構成された、それぞれ反対側の、第１及び第２端部パネル結合手段を含む、第１及び第２端部辺と、
を含む。
【００１１】
パネルは、
−ベース層内において第１端部辺から第２端部辺まで配置された、且つ、熱提供層に対向する、少なくとも第１及び第２長手方向溝であって、それぞれ、第１及び第２長手方向辺と平行に構成された、且つ、これらに対する少なくとも第１及び第２距離を有する、少なくとも第１及び第２長手方向溝と、
−第１及び第２端部パネル結合手段の１つ又は複数において配置された少なくとも１つの電気端子コネクタであって、少なくとも１つの電気端子コネクタは、第１及び第２端部部分を含み、第１及び第２端部部分は、少なくとも部分的な導電性を有し、且つ、第１及び第２端部パネル結合手段の１つ又は複数から少なくとも部分的に突出しており、これにより、パネルの熱提供層とパネルに結合された少なくとも１つの隣接するパネルの対応する熱提供層の間の電気接続を提供している、少なくとも１つの電気端子コネクタと、
を更に含む。
【００１２】
本発明の一実施形態によれば、少なくとも１つの電気端子コネクタの第１及び第２端部部分は、それぞれ、少なくとも第１及び第２長手方向溝内において配置されている。
【００１３】
本発明の一実施形態によれば、少なくとも１つの電気端子コネクタは、少なくとも部分的な弾性を有しており、且つ、少なくとも１つの電気端子コネクタの第１及び第２端部部分が、それぞれ、少なくとも第１及び第２長手方向溝内において配置された際に、少なくとも部分的に突出する部分が、その緩和した状態において、第１及び第２端部パネル結合手段の１つ又は複数から、少なくとも部分的に突出するように、第１及び第２端部部分の間において少なくとも部分的に突出する部分を含む。
【００１４】
本発明の一実施形態によれば、パネルは、それぞれ、第１及び第２端部辺の少なくとも１つに隣接する第１及び第２パネル端部凹部を更に含み、第１及び第２パネル端部凹部は、それぞれ、第１及び第２長手方向辺に対する少なくとも第１及び第２距離を有しており、且つ、少なくとも１つの電気端子コネクタの第１及び第２端部部分を少なくとも部分的に受け入れるべく構成されている。
【００１５】
本発明の一実施形態によれば、少なくとも１つの電気端子コネクタは、第１及び第２端部部分に装着された支持部材を含み、支持部材は、第１及び第２端部パネル結合手段の１つ又は複数から突出し、且つ、パネルに結合された隣接するパネルの支持ノッチ内に挿入され、これにより、パネルと隣接するパネルの間の機械的結合を実現するべくパネルに提供されるトルクＴｑに抗して作用する力Ｆを生成するべく、構成されている。
【００１６】
本発明の一実施形態によれば、パネルは、それぞれ、少なくとも第１及び第２長手方向溝内において第１端部辺から第２端部辺まで配置された少なくとも第１及び第２長手方向結合要素を含む。この結果、電気端子コネクタの第１及び第２端部部分は、少なくとも第１及び第２長手方向結合要素の利用／使用により、熱提供層に電気的に接続されるべく、構成されている。
【００１７】
本発明の一実施形態によれば、熱提供層に対向する少なくとも第１長手方向結合要素及び第２長手方向結合要素の少なくとも第１表面及び第２表面は、少なくとも第１長手方向溝及び第２長手方向溝の外側においてベース層の表面とアライメントされており、且つ、熱提供層と対向している。
【００１８】
本発明の一実施形態によれば、少なくとも１つの電気端子コネクタの第１端部部分及び第２端部部分は、熱提供層がカバリング層と少なくとも第１長手方向結合要素及び第２長手方向結合要素の間において配置されることにより、熱提供層に電気的に接続され、且つ、少なくとも第１長手方向結合要素及び第２長手方向結合要素に装着されている。
【００１９】
本発明の一実施形態によれば、少なくとも第１長手方向結合要素及び第２長手方向結合要素は、熱提供層と少なくとも１つの電気端子コネクタの少なくとも１つの第１端部部分及び少なくとも１つの第２端部部分の間において電気接続を提供するべく、熱提供層及び少なくとも１つの電気端子コネクタの第１端部部分及び第２端部部分を互いに圧接状態において押圧するべく、構成されている。
【００２０】
本発明の一実施形態によれば、電気接続は、熱提供層がベース層と少なくとも第２長手方向結合要素及び第２長手方向結合要素の間において少なくとも第１長手方向溝及び第２長手方向溝内において配置されることにより、提供され、これにより、少なくとも第１及び第２長手方向結合要素は、それぞれ、熱提供層及び少なくとも１つの電気端子コネクタの第１端部部分及び第２端部部分を互いに圧接状態において押圧するべく、構成されている。
【００２１】
本発明の一実施形態によれば、少なくとも１つの電気端子コネクタの第１端部部分及び第２端部部分は、パネルの、それぞれ、第１端部辺から第２端部辺まで、少なくとも第１長手方向溝及び第２長手方向溝内において配置された少なくとも第１長手方向結合要素及び第２長手方向結合要素との間における、且つ、パネルに結合される隣接するパネルの対応する少なくとも第１長手方向結合要素及び第２長手方向結合要素との間における、電気的接触状態となるべく構成された、それぞれ、第１導電性舌及び第２導電性舌を含む。
【００２２】
本発明の一実施形態によれば、第１導電性舌及び第２導電性舌は、少なくとも部分的に波の形態である。
【００２３】
本発明の一実施形態によれば、少なくとも１つの電気端子コネクタの第１端部部分及び第２端部部分の１つ又は複数は、少なくとも部分的な弾性を有し、これにより、少なくとも１つの隣接するパネルの少なくとも１つの対応する第１端部パネル結合手段及び第２端部パネル結合手段の少なくとも１つのもののスナップロックのために構成されている。
【００２４】
又、上述の目的は、請求項１３の特徴付け部分による上述の電気端子コネクタによっても実現され、電気端子コネクタは、パネルの第１及び第２端部パネル結合手段の１つ又は複数内に挿入可能であり、パネルは、
−ベース層と、
−ベース層に装着された熱提供層であって、熱が電気エネルギーによって生成される、熱提供層と、
−熱提供層に装着されたカバリング層と、
−パネルを、隣接するパネルに結合するべく構成された、それぞれ反対側の、第１及び第２長手方向パネル結合手段を含む、第１及び第２長手方向辺と、
−パネルを、隣接するパネルに結合するべく構成された、それぞれ反対側の、第１及び第２端部パネル結合手段を含む、第１及び第２端部辺と、
を含み、
電気端子コネクタは、
−第１及び第２端部部分であって、第１及び第２端部部分は、少なくとも部分的な導電性を有し、且つ、その内部に挿入された際に第１及び第２端部パネル結合手段の１つ又は複数から少なくとも部分的に突出し、これにより、パネルの熱提供層とパネルに結合された少なくとも１つの隣接するパネルの対応する熱提供層の間の電気接続を提供している、第１及び第２部分と、
を含む。又、一実施形態によれば、電気端子コネクタは、少なくとも１つの隣接するパネルに対する機械的結合をも提供している。
【００２５】
パネル及び隣接するパネルが１つに機械的に結合された際に、電気端子コネクタの第１及び第２端部部分は、様々な実施形態によれば、パネル及び隣接するパネルの両方のものの第１及び第２溝端部セクション及び／又はパネル端部凹部内に挿入され／受け入れられ、これにより、少なくとも部分的な導電性を有する第１及び第２端部部分は、パネル及び隣接するパネルの熱提供層の間の電気接続を提供している。
【００２６】
又、上述の目的は、請求項１４の特徴付け部分による上述の暖房システムによっても実現される。
【００２７】
暖房システムは、
−本明細書において記述されている少なくとも１つのパネルと、
−電気エネルギーを少なくとも１つの第１及び少なくとも１つの第２電気端子コネクタに提供するべく、少なくとも１つのパネルの第１及び第２端部辺の少なくとも１つに隣接する状態において配置された電気エネルギー提供構成と、
を含む。
【００２８】
本発明の一実施形態によれば、電気エネルギー提供構成は、
−少なくとも１つの第１電力供給端子コネクタ及び少なくとも１つの第２電力供給端子コネクタが、それにより、第１端部辺及び第２端部辺の少なくとも１つから突出する、取付ベースにおいて、且つ、
−少なくとも１つの第１電力供給端子コネクタ及び少なくとも１つの第２電力供給端子コネクタが、それにより、第１端部辺及び第２端部辺の少なくとも１つの周りにおいて折り曲げられ、且つ、ベース層と電気エネルギー提供構成の間において、且つ、電気エネルギー提供構成の少なくとも１つの部分との電気的接触状態において、配置される、ベース層に対向するように、
という群のうちの１つに従って配置されている。
【００２９】
本発明の一実施形態によれば、電気エネルギーは、パネルの第１端部辺の第１電力供給端子コネクタ及び第２電力供給端子コネクタに、或いは、パネルの第１端部辺に直接又は間接的に結合された隣接パネルの対応する第１端部辺に、供給される第１及び第２極性によって提供されている。
【００３０】
本発明の一実施形態によれば、電気エネルギーは、
−パネルの第１端部辺の第１電力供給端子コネクタ又は第２電力供給端子コネクタに、或いは、パネルの第１端部辺に直接又は間接的に結合された隣接するパネルの対応する第１端部辺に、供給される第１極性と、
−パネルの第２端部辺の第１電力供給端子コネクタ又は第２電力供給端子コネクタに、或いは、パネルの第２端部辺に直接又は間接的に結合された隣接するパネルの対応する第２端部辺に、供給される第２極性と、
によって供給されている。
【００３１】
又、上述の目的は、請求項１５の特徴付け部分による、本発明による暖房システムを設置する上述の方法によっても実現される。
【００３２】
方法は、
−電気エネルギー提供構成を取り付けるステップと、
−第１及び第２端部辺上における結合手段の使用により、第１パネルを少なくとも１つの第２パネルと機械的に結合し、これにより、第１パネル及び少なくとも１つの第２パネルの列を生成するステップと、
−例えば、第１パネルの少なくとも１つの端子コネクタの使用により、第１パネル及び少なくとも１つの第２パネルの熱提供層を電気的に接続することにより、第１パネル及び少なくとも１つの第２パネルを電気的に接続するステップと、
−第１パネル及び少なくとも１つの第２パネルの１つ又は複数のものの第１及び第２電力供給端子コネクタを電気エネルギー提供構成に接続するステップと、
を含む。
【００３３】
本発明の一実施形態によれば、方法は、
−電気エネルギー提供構成を取り付けるステップと、
−第１端部辺及び第２端部辺上の結合手段の使用により、第１パネルを少なくとも１つの第２パネルと機械的に結合し、これにより、第１パネル及び少なくとも１つの第２パネルの列を生成するステップと、
−第１パネルの少なくとも１つの端子コネクタの使用により、第１パネルと少なくとも１つの第２パネルを電気的に接続するステップと、
−第１パネルの第１端部辺上の第１電力供給端子コネクタ及び第２電力供給端子コネクタの１つを電気エネルギー提供構成に接続し、これにより、電気エネルギーの第１極性が提供される、ステップと、
−第１パネルの第２端部辺上の第１電力供給端子コネクタ及び第２電力供給端子コネクタの別のものを電気エネルギー提供構成に接続し、これにより、電気エネルギーの第２極性が提供される、ステップと、
を含む。
【００３４】
本発明によるパネル及び暖房システムは、基本的に、すべての種類の空間の、エネルギー効率に優れた、且つ、耐久性のある、暖房を提供する。
【００３５】
例えば、フローリングパネル、壁パネル、及び／又は天井パネルなどの、構造パネル内に熱提供層を統合することにより、少なくとも部分的にこのようなパネルを含む床、壁、及び天井によって境界が定められた空間内の屋内気候／温度を効率的に、正確に、且つ、確実に、調節することができる。
【００３６】
熱提供層は、暖房対象の空間の非常に近傍に配置されており、その理由は、これが、カバリング／装飾層の直接下方において配置されているからである。これにより、本発明によるパネルが使用される際には、生成された熱を暖房対象の空間に非常に効率的に搬送することができる。この暖房対象の空間への効率的な熱の搬送により、熱を生成するべく使用される電気エネルギーの消費が極小化される。
【００３７】
本発明によるパネルは、切断することが可能であり、且つ、依然として、床の敷き込みに使用されうる、という意味において、切断可能である。これは、第１及び第２長手方向溝の場所が正確に定義されており、その結果、第１及び第２溝内において配置される第１及び第２電気端子コネクタ及び／又は第１及び第２電力供給端子コネクタの配置も、正確に定義される、という事実に起因している。これにより、切断されたパネルは、別の切断されたパネルに圧接した状態において敷き込まれてもよく、或いは、パネル全体に圧接した状態において敷き込まれてもよく、且つ、依然として、パネル内において熱を生成するための電気エネルギーの確実な供給が提供されることになり、その理由は、パネルの第１及び第２電気端子コネクタ及び／又は第１及び第２電力供給端子コネクタが、接続が実施されるように、フィット／マッチング／遭遇することになるからである。
【００３８】
本発明によるパネルの電気端子コネクタ及び／又は電力供給端子コネクタは、機械的なパネルジョイント結合から、即ち、パネルを１つに機械的に保持するジョイント結合から、少なくとも部分的に分離されている。これにより、電気端子コネクタ及び／又は電力供給端子コネクタは、機械的パネルジョイントの一部分の多くの運動からも、且つ、これらの運動が結果的にもたらしうるコンポーネントの損耗からも、保護されている。
【００３９】
本発明の使用により、パネルに対する安全且つ確実な電力供給が保証される。又、本発明による電気端子コネクタの設計は、安定した電気的結合が提供されると同時に、パネルの一体としての機械的結合を単純化している。
【００４０】
又、本発明によるパネルの端子コネクタは、隣接するパネルの対応する端子コネクタに対する確実且つ安全な電気的接触を提供している。これにより、熱提供層内において熱を生成するべく使用される電気エネルギーは、結合されたパネルのそれぞれのものまで確実に到達しており、且つ、従って、パネルのそれぞれのものの熱提供層にも到達している。
【００４１】
本発明によるパネルは、費用効率に優れた方式で製造することができると共に、設置することができる。熱は、例えば、約２５ボルト又は約５０ボルトなどのように、４〜６０ボルトなどの低電圧の使用によって生成することができることから、パネルは、場合によっては、素人により、即ち、専門家ではない人により、設置することができる。従って、本発明によるパネルの設置によれば、パネルが設置／使用される場所の法律及び規則によっては、電気技術者が存在するニーズがなくなる場合があり、この結果、例えば、住宅の所有者などの、エンドユーザーにとっての合計費用が劇的に低減される。従来技術の電気床下暖房システムは、しばしば、例えば、２３０ボルトなどの、格段に大きな電圧によって駆動されており、このようなシステムは、資格を有する電気技術者によって設置しなければならない。
【００４２】
いくつかの既知の床下暖房システムは、熱を生成する、相対的に小さな電圧のマット／シートを含んでおり、これらは、木製の床の下方において、或いは、石及び／又はセラミックタイルの下方において、配置されている。このような１つの例が、米国特許出願公開第２００８／０２１０６７９号明細書における上述の暖房装置１であり、これは、床カバリング１２の下方において配置されている。この構成は、上述のように、相当のエネルギー損失を結果的にもたらす。又、この従来技術の相対的に小さな電圧のマット／シートは、しばしば、適切に設置するのが困難であり、従って、多くの場合に、技術を有する人物が、例えば、床によってカバーされる対象のエリアにフィットするように、マット／シートのサイズを適合させなければならない。この結果、床の設置の費用が増大する。
【００４３】
但し、本発明によるパネルは、それ自体が既に熱提供層を含んでおり、且つ、従って、なんらかの熱生成マットがその下方において設置されることを必要としてはいない。
【００４４】
非限定的な例として、約１０〜４０Ｗ／ｍ2又は２０〜３０Ｗ／ｍ2の範囲の電力／床面積を熱の生成のために使用することができる。使用される電力／床面積は、床及び／又は暖房の異なる特性の間のバランスとして見なすことができる。相対的に大きな電力は、一般に、相対的に短い熱提供回路を結果的にもたらし、これは、パネルを切断する際には、利点であり、その理由は、切断に起因した加熱を伴わないパネルの部分が小さくなるからである。但し、相対的に小さな電力／床面積の場合には、相対的に大きな電力及び相対的に小さな抵抗値の場合よりも、熱提供回路の抵抗値の重要性は乏しい。
【００４５】
以下、いくつかの好適な実施形態を示す添付図面を参照し、本発明によるパネル、暖房システム、及び方法の詳細な例示用の実施形態及び利点について説明する。
【００４６】
本発明の実施形態について、本発明の実施形態の例を示す以下の添付図面を参照し、更に詳細に説明する。
【図面の簡単な説明】
【００４７】
【図１】本発明のいくつかの実施形態によるパネルの概略端面図を示す。
【図２ａ−ｄ】本発明のいくつかの実施形態によるパネルのセクションの概略端面図を示す。
【図３ａ−ｄ】本発明のいくつかの実施形態によるパネルのセクションの概略端面図を示す。
【図４ａ−ｂ】本発明のいくつかの実施形態によるパネルの概略図を示す。
【図４ｃ−ｅ】本発明のいくつかの実施形態によるパネルの概略図を示す。
【図５ａ−ｂ】本発明のいくつかの実施形態によるパネル及び／又は電気端子コネクタの概略図を示す。
【図５ｃ−ｅ】本発明のいくつかの実施形態によるパネル及び／又は電気端子コネクタの概略図を示す。
【図５ｆ−ｈ】本発明のいくつかの実施形態によるパネル及び／又は電気端子コネクタの概略図を示す。
【図５ｉ−ｋ】本発明のいくつかの実施形態によるパネル及び／又は電気端子コネクタの概略図を示す。
【図６】本発明のいくつかの実施形態による複数の結合されたパネルを含む床を示す。
【図７】本発明のいくつかの実施形態による暖房システムを概略的に示す。
【図８】本発明のいくつかの実施形態による暖房システムを概略的に示す。
【図９】本発明のいくつかの実施形態による完全な暖房システムを概略的に示す。
【図１０】暖房システムを概略的に示す。
【発明を実施するための形態】
【００４８】
図１、図２ａ−ｄ、図３ａ−ｄ、図４ａ−ｄ、及び図５ａ−ｋは、本発明の様々な実施形態によるパネル１００及び／又は電気端子コネクタ１５０の図を概略的に示している。
【００４９】
例えば、図１に示されているように、パネル１００は、第１長手方向辺１０５により、且つ、第１長手方向辺１０５とは反対側である第２長手方向辺１０６により、境界が定められている。又、パネル１００は、第１端部辺１０７により、且つ、第１端部辺１０７の反対側である第２端部辺１０８により、境界が定められている。
【００５０】
第１長手方向辺１０５、第２長手方向辺１０６、第１端部辺１０７、及び第２端部辺１０８には、それぞれ、例えば、「クリップジョイント」１１５、１１６、１１７、１１８を形成する溝／メス及び舌／ラベット（ｒａｂｂｅｔ）などの、パネル結合手段を提供することができる。パネル結合手段１１５、１１６、１１７、１１８は、一実施形態によれば、パネル１００を少なくとも１つの隣接するパネル２０１、２０２、．．．、２０６に、即ち、少なくとも１つのその他の対応するパネル２０１、２０２、．．．、２０６に、（図６に示されているように）機械的に結合するべく、ベース層１０１内において、パネルの第１長手方向辺１０５及び第２長手方向辺１０６において、且つ、パネルの第１端部辺１０７及び第２端部辺１０８において、配置されており、この場合に、少なくとも１つのその他の対応するパネルには、既知の方式により、対応するパネル結合手段が提供されている。
【００５１】
パネル１００は、ベース／コア層１０１と、カバリング／視覚層１０３と、を更に含む。カバリング／視覚層１０３は、恐らくは、暖房対象の空間から、即ち、パネルが床、壁、及び／又は天井をカバーしている部屋から可視状態にある表面１０４を有する。カバリング／視覚層は、色及び／又はパターンを含む適切な外観／見た目を有することができる。
【００５２】
パネル１００は、ベース層１０１に装着された、即ち、ベース層１０１とカバリング／視覚層１０３の間において配置された、熱提供層１０２を更に含む。又、これは、熱提供層が、暖房対象の空間に非常に近接した状態において、即ち、薄いカバリング／視覚層１０３の直接下方において、配置されていることをも意味している。熱提供層１０２は、導電性を有し、且つ、電流が材料を通じて流れた際に熱を生成するのに、即ち、増大した温度に適した電気抵抗値を有する基本的に任意の材料を含むことができる。材料は、熱生成要素として形成されてもよく、これは、多数の形状を有することができる。例えば、熱提供層は、印刷された電子回路、薄膜、１つ又は複数の抵抗器、シート、テープ、ペンキを有していてもよく、或いは、その電気抵抗値を通じて熱を生成するべく、且つ、本発明によるパネル内において含まれるべく、適した基本的に任意のその他の形状又は形態を有していてもよい。従って、例えば、熱提供層１０２は、電気抵抗値を有する印刷された電子回路、電気抵抗値を有する少なくとも１つの薄膜、及び／又は電気抵抗値を有する１つ又は複数の抵抗器を含む少なくとも１つの熱生成要素を有することができる。
【００５３】
非限定的な例として、電気エネルギーが２５Ｖの電圧を有する際には、即ち、電気エネルギー提供構成が、電源として使用される２５Ｖの電圧を供給している際には、一実施形態によれば、２３Ｗ／ｍ2を熱提供層によって生成することができることに言及しうる。カバリング層における温度増大の時定数は、数分間の範囲における短いものであってもよく、且つ、例えば、３℃の温度増大を迅速に実現することができる。
【００５４】
電圧降下は、床の長さの二乗に伴って増大する。例えば、１０ｍ未満の長さを有する床などの、相対的に短い床の場合には、電圧降下は、生成される熱に対してほとんど影響を有してはいない。但し、例えば、１５ｍよりも長い床などの、相対的に長い床の場合には、電圧降下は、生成される熱に対して顕著な影響を及ぼしうる。
【００５５】
本発明の一実施形態によれば、熱提供層１０２は、０．１ｍｍ〜３ｍｍ、０．４ｍｍ〜１ｍｍ、又は０．５ｍｍ〜０．８ｍｍの範囲における、可視表面１０４からの熱深さＤheatにおいて、且つ／又は、０．６ｍｍの深さにおいて、配置されている。この結果、これは、カバリング層が、熱深さＤheatに等しい厚さＴcovを有していることをも意味しており、これは、暖房対象の空間内への熱エネルギーの効率的な伝達を結果的にもたらし、その理由は、熱提供層１０２が、暖房対象の空間に非常に近接しているからである。
【００５６】
本発明の一実施形態によれば、パネル１００の層、即ち、ベース層１０１、熱提供層１０２、及びカバリング層１０３、は、例えば、糊などの接着剤の使用により、互いに装着／固定されている。
【００５７】
本発明によるパネルは、第１長手方向辺１０５と平行に構成された、且つ、これに対して少なくとも第１距離１３１を有する、第１長手方向溝１２１と、第２長手方向辺１０６と平行に構成された、且つ、これに対して少なくとも第２距離１３２を有する、第２長手方向溝１２２と、を含む。第１長手方向溝１２１及び第２長手方向溝１２２は、パネルのベース層１０１内において配置されており、且つ、第１端部辺１０７から第２端部辺１０８まで延在している。第１長手方向溝１２１及び第２長手方向溝１２２は、熱提供層１０２と対向しており、即ち、溝の開口部／アパーチャは、熱提供層１０２に向かって方向付けされている。
【００５８】
本発明によるパネル１００は、例えば、図１に示されているように、第１端部辺１０７における第１結合手段１１７及び第２端部辺１０８における第２端部パネル結合手段１１８のうちの１つ又は複数において配置された少なくとも１つの電気端子コネクタ１５０を更に含む。
【００５９】
少なくとも１つの電気端子コネクタ１５０は、少なくとも部分的な導電性を有する、即ち、例えば、適切な材料などの、導電性材料を少なくとも部分的に含む、第１端部部分１５１及び第２端部部分１５２を含む。又、第１端部部分１５１及び第２端部部分１５２は、第１端部パネル結合手段１１７及び第２端部パネル結合手段１１８の１つ又は複数において配置された際に、パネルの第１端部パネル結合手段１１７及び第２端部パネル結合手段１１８の１つ又は複数から少なくとも部分的に突出している。この結果、第１端部部分１５１及び第２端部部分１５２は、パネル１００の熱提供層１０２とパネル１００に結合された少なくとも１つの隣接するパネル２０１、２０２の対応する熱提供層の間の電気接続を提供することができる。従って、第１端部部分１５１及び第２端部部分１５２は、パネル１００、２０１、２０２が互いに機械的に結合された際に、（例えば、図６に示されている）少なくとも２つの隣接するパネル２０１、２０２の熱提供層が互いに電気的に接続可能となるようにするべく、構成されている。
【００６０】
図１及び図５ａ−ｈにおいて概略的に示されている、本発明の一実施形態によれば、少なくとも１つの電気端子コネクタ１５０の第１端部部分１５１及び第２端部部分１５２は、それぞれ、少なくとも第１長手方向溝１２１及び第２長手方向溝１２２内において配置されている。
【００６１】
少なくとも１つの電気端子コネクタ１５０は、ここでは、少なくとも部分的な弾性を有することができると共に、図１、図５ｂ、及び図５ｈにおいて示されているように、第１端部部分１５１と第２端部部分１５２の間において少なくとも１つの突出する部分１５２を含むこともできる。これにより、少なくとも部分的に突出する部分１５３は、少なくとも１つの電気端子コネクタ１５０が少なくとも第１長手方向溝１２１及び第２長手方向溝１２２内において配置された際に、その緩和された状態において、第１端部パネル結合手段１１７及び第２端部パネル結合手段１１８の１つ又は複数から少なくとも部分的に突出している。
【００６２】
例えば、（２つのパネル１００、２０２の平面図である）図５ｂ及び（２つのパネル１００、２０１の第２長手方向辺１０７の図である）図５ｆ−ｇに示されているように、少なくとも第１長手方向溝１２１及び第２長手方向溝１２２は、一実施形態によれば、それぞれ、第１端部辺１０７及び第２端部辺１０８の少なくとも１つに隣接した第１溝端部セクション１２６及び第２溝端部セクション１２７を含む。この結果、第１溝端部セクション１２６及び第２溝端部セクション１２７は、それぞれ、少なくとも１つの電気端子コネクタ１５０の第１端部部分１５１及び第２端部部分１５２を少なくとも部分的に受け入れるべく、構成されている。
【００６３】
第１溝端部セクション１２６及び第２溝端部セクション１２７は、図５ｆにおいて示されているように、少なくとも第１長手方向溝１２１及び第２長手方向溝１２２の残りの部分に沿って、深さＤmidよりも大きな深さＤendを有している、即ち、Ｄend＞Ｄminである。端部深さＤendは、ここでは、好ましくは、図５ｄ−ｅにおいて概略的に示されている、少なくとも１つの電気端子コネクタ１５０の第１端部部分１５１及び第２端部部分１５２の厚さＴend_conに基本的に対応したものであってよい。従って、Ｄend＝Ｔend_conである。第１長手方向溝１２１及び第２長手方向溝１２２は、例えば、第１長手方向溝１２１及び第２長手方向溝１２２の長さの中間において、端部辺１０７、１０８に隣接した状態で、端部１２３における第１溝端部セクション１２６及び第２溝端部セクション１２７内からを除いて、中間深さＤmidを有することができる。端部深さＤendが、第１端部部分１５１及び第２端部部分１５２の厚さＴconに対応している際には、パネルの第１端部辺１０７及び第２端部辺１０８には、空隙が存在してはいない。これにより、非常の安定したパネルが提供される。しばしば、例えば、フローリングパネルの損耗は、第１端部辺１０７及び第２端部辺１０８における、且つ／又は、第１長手方向辺１０５及び第２長手方向辺１０６における、ジョイントの近傍において最悪であり、安定したパネル端部を提供する本実施形態によれば、これが、軽減されている。
【００６４】
又、第１溝端部セクション１２６及び第２溝端部セクション１２７は、一実施形態によれば、少なくとも１つの電気端子コネクタ１５０の第１端部部分１５１及び第２端部部分１５２が、それぞれ、第１溝端部セクション１２６及び第２溝端部セクション１２７内において受け入れられた際に、第１端部パネル結合手段１１７及び第２端部パネル結合手段１１８の１つ又は複数から突出するように、長さＬend_grooveを有する。これは、例えば、図５ｆ−ｇにおいて、概略的に示されている。
【００６５】
又、少なくとも１つの電気端子コネクタ１５０の第１端部部分１５１及び第２端部部分１５２は、それぞれ、第１端部パネル結合手段１１７及び第２端部パネル結合手段１１８の１つによってパネル１００に機械的に結合される、隣接するパネル２０１、２０２、．．．、２０６の対応する第１溝端部セクション１２８及び第２溝端部セクション１２９内において受け入れられている。これは、例えば、図５ｆ−ｇにおいて、概略的に示されている。
【００６６】
パネル１００及び隣接するパネル２０２の第１溝端部セクション１２６及び１２８の組み合わせられた長さＬend_goove_combは、一実施形態によれば、少なくとも１つの電気端子コネクタ１５０の第１端部部分１５１の長さＬend_conに基本的に対応している。対応する方式において、パネル１００及び隣接するパネル２０２の第２溝端部セクション１２７及び１２９の組み合わせられた長さＬend_groove_combも、一実施形態によれば、少なくとも１つの電気端子コネクタ１５０の第２端部部分１５２の長さＬend_conに基本的に対応することができる。これにより、第１端部部分１５１及び第２端部部分１５２は、基本的に、溝端部セクションの組み合わせられた長さＬend_groove_comb内に正確にフィットし、これにより、更に詳しく後述するように、安定した、且つ、丈夫な、電気接続が提供される。
【００６７】
本発明の一実施形態によれば、パネル１００及び隣接するパネル２０２の第１溝端部セクション１２６及び１２８の長さＬend_grooveは、異なっている／等しくはない。対応する方式において、パネル１００及び隣接するパネル２０２の第２溝端部セクション１２７及び１２９の長さＬend_grooveも、異なっていてもよく／等しくなくてもよく、これにより、第１端部部分１５１及び第２端部部分１５２は、例えば、図５ｆ−ｇにおいて概略的に示されているように、パネル１００と隣接するパネル２０２の間のジョイント内において、非対称に構成されている。ジョイント内における第１及び第２端部部分の非対称な位置は、パネルを１つに結合する際に安定性を増大させるべく、使用することができる。
【００６８】
本発明の一実施形態によれば、パネル１００及び隣接するパネル２０２の第１溝端部セクション１２６及び１２８のみならず、パネル１００及び隣接するパネル２０２の第２溝端部セクション１２７及び１２９、の長さＬend_grooveは、基本的に等しい長さであってもよく、これにより、第１部分１５１及び第２部分１５２は、パネル１００と隣接するパネル２０２の間のジョイント内において対称的に構成されている。
【００６９】
それぞれ、少なくとも第１長手方向溝１２１及び第２長手方向溝１２２内に挿入されるべく構成された第１端部部分１５１及び第２端部部分１５２を有する少なくとも１つの端子コネクタ１５０は、例えば、図１及び図５ａ−ｈにおいて示されている。
【００７０】
少なくとも１つの端子コネクタ１５０は、例えば、スプリング部材などの、少なくとも部分的に弾性を有する部材１５４により、互いに接続／装着された第１端部部分１５１及び第２端部部分１５２を有する。少なくとも１つの端子コネクタ１５０は、少なくとも部分的に突出する突出部１５３を有していてもよく、これは、例えば、その緩和された状態において、湾曲形状、アーチ形状、Ｖ字形状、及び／又は波形状であることによるなどのように、わずかに折り曲げられた弾性部材１５４により、形成することができる。実際には、少なくとも部分的に突出する部分１５３は、基本的に、端子コネクタ１５０が、自身が配置されている１つ又は複数の第１端部パネル結合手段１１７及び第２端部パネル結合手段１１８から（且つ／又は、その個々の端部辺１０７、１０８から）、その緩和された状態において、少なくとも部分的に突出するようにさせる任意の形状を有することができる。これにより、少なくとも１つの電気端子コネクタ１５０の少なくとも部分的に突出する部分１５３は、その形状及び／又はその弾性により、少なくとも１つの隣接するパネル２０１、２０２の第１の対応する端部パネル結合手段１１７及び第２の対応する端部パネル結合手段１１８の少なくとも１つ内にスナップ結合するべく、構成されている。これにより、パネル１００は、対応する端部パネル結合１１７、１１８の１つ又は複数のリム、アパーチャ、及び／又はノッチ内に少なくとも部分的に突出する部分１５３をロックするスナップフィットにより、少なくとも１つの隣接するパネル２０１、２０２に対して機械的にロックされる。
【００７１】
パネルが設置される際に、端子コネクタ１５０は、例えば、それぞれ、少なくとも第１長手方向溝１２１及び第２長手方向溝１２２内への第１端部部分１５１及び第２端部部分１５２の挿入によって１つのパネル１００に事前固定されることにより、固定される。この結果、少なくとも部分的に突出する部分１５３は、その緩和された状態において、自身が固定されている端部パネル結合手段から突出している。次いで、パネル１００が、まずは、傾斜させられ、且つ、次いで、隣接するパネル２０２に向かって下方に押圧されることにより、隣接するパネル２０２に機械的に結合された際に、少なくとも部分的に突出する部分１５３は、パネル１００が隣接するパネル２０２の対応する端部パネル結合部１１７、１１８内にフィットするべく押し下げられた際に、まずは、その独自の端部パネル結合部１１７、１１８内に押し戻されることになる。但し、パネル１００の端部パネル結合部１１７、１１８及び隣接するパネル２０２の対応する端部パネル結合部１１７、１１８が１つにフィットされた際に、端子コネクタ１５０は、隣接するパネル２０２の対応する端部パネル結合部１１７、１１８の１つ又は複数のリム、アパーチャ、及び／又はノッチ内にスナップアウトすることにより、再度、その緩和された状態の形状に戻り、その結果、パネル１００及び隣接するパネル２０２の相互の機械的な固定が支援されている。
【００７２】
又、パネル１００及び隣接するパネル２０２が、このようにして、互いに装着された際に、少なくとも１つの電気端子コネクタ１５０の第１端部部分１５１及び第２端部部分１５２は、当初、パネル１００の第１溝端部セクション１２６及び第２溝端部セクション１２７内に挿入される／受け入れられる。次いで、パネル１００が、隣接するパネル２０２の対応する端部パネル結合部１１７、１１８内にフィットするべく、押し下げられた際に、少なくとも１つの電気端子コネクタ１５０の第１端部部分１５１及び第２端部部分１５２も、パネル１００に結合された隣接するパネル２０２の対応する第１溝端部セクション１２８及び第２溝端部セクション１２９内に挿入される／受け入れられる。
【００７３】
更に詳細に後述するように、少なくとも１つの電気端子コネクタ１５０の第１端部部分１５１及び第２端部部分１５２は、少なくとも部分的な導電性を有しており、これは、パネル１００と隣接するパネル２０２の間の、即ち、パネル１００及び隣接するパネル２０２の熱提供層の間の、電気接続を促進している。この理由から、少なくとも１つの電気端子コネクタ１５０の第１端部部分１５１及び第２端部部分１５２は、例えば、図１及び図５ｃ−ｆにおいて示されているように、それぞれ、第１導電性舌１７１及び第２導電性舌１７２を含むことができる。舌１７１、１７２は、パネル１００及び１つに結合される隣接するパネル２０２の熱提供層１０２との電気的な接触状態となるべく、構成されている。
【００７４】
図５ｃは、パネル１００の一部分の端部側面図を示している。端部パネル結合手段１１７が、端部辺１０７において配置されている。又、ここには、電気端子コネクタ１５０の第２端部部分１５２が、第２長手方向辺１０６に近接した第２長手方向溝１２２の第２溝端部セクション１２７内において配置／受け入れ／挿入される方式も示されている。（図示されてはいないが）対応する方式において、電気端子コネクタの第１端部部分１５１も、第１長手方向辺１０５に近接した第１長手方向溝１２１の第１溝端部セクション１２６内において配置されている／受け入れられている／挿入されている。
【００７５】
図５ｄ−ｅは、第２端部部分１５２と、例えば、爪（図示されてはいない）により、はんだ付け（図示されてはいない）により、且つ／又は、接着剤（図示されてはいない）により、端部部分１５２に装着された導電性の舌１７２と、を含む、電気端子コネクタ１５０の一部分の２つの図を示している。又、電気端子コネクタ１５０は、弾性部材１５４をも含む。本明細書において記述されているように、電気端子コネクタ１５０は、突出する部分１５４のもう１つの端部上において第１端部部分１５１を更に含んでいる（図示されてはいない）。
【００７６】
本発明の一実施形態によれば、少なくとも１つの電気端子コネクタ１５０の第１端部部分１５１及び第２端部部分１５２の両方が、パネルの第１長手方向溝１２１及び第２長手方向溝１２２内において配置されているわけではなく、即ち、第１端部部分１５１及び第２端部部分１５２の１つ又は複数は、第１長手方向溝１２１及び第２長手方向溝１２２とは別個の凹部内において配置されている。
【００７７】
この結果、端部側面図である図５ｉ−ｊにおいて示されているように、パネル１００は、それぞれ、第１端部辺１０７及び第２端部辺１０８の少なくとも１つに隣接する／これに対向する、即ち、第１端部パネル結合手段１１７及び第２端部パネル結合手段１１８の少なくとも１つに隣接する／これに対向する、第１パネル端部凹部１３６及び第２パネル端部凹部１３７を含む。第１パネル端部凹部１３６及び第２パネル端部凹部１３７は、それぞれ、第１長手方向辺１０５及び第２長手方向辺１０６に対して少なくとも第１距離１３３及び第２距離１３４を有しており、且つ、少なくとも１つの電気端子コネクタ１５０の第１端部部分１５１及び第２端部部分１５２を少なくとも部分的に受け入れるべく、構成されている。第１端部凹部１３６及び第２端部凹部１３７の少なくとも１つは、対応する本明細書において記述されている第１長手方向溝１２１及び第２長手方向溝１２２よりも、その個々の第１長手方向辺１０５及び第２長手方向辺１０６から、遠く離れて配置されている。従って、第１パネル端部凹部１３６及び第２パネル端部凹部１３７の第１長手方向辺の距離１３３及び第２長手方向辺の距離１３４の少なくとも１つは、それぞれ、第１溝１２１及び第２溝１２２の対応する第１長手方向辺の距離１３１及び第２長手方向辺の距離１３２よりも長くなっており、即ち、１３３＞１３１であり、且つ／又は、１３４＞１３２である。
【００７８】
第１パネル端部凹部１３６及び第２パネル端部凹部１３７は、上述の第１溝端部セクション１２６及び第２溝端部セクションに類似しているが、それぞれ、第１溝端部セクション１２６及び第２溝端部セクション１２７の上述の第１長手方向辺の距離１３１及び第２長手方向辺の距離１３２とは別の、もう１つの第１長手方向辺の距離１３３及び第２長手方向辺の距離１３４において配置されている。
【００７９】
従って、一実施形態によれば、第１パネル端部凹部１３６及び第２パネル端部凹部１３７は、少なくとも１つの電気端子コネクタ１５０の第１端部部分１５１及び第２端部部分１５２の厚さＴend_conに基本的に対応した深さＤendを有しており、即ち、Ｄend＝Ｔend_conである。第１パネル端部凹部１３６及び第２パネル端部凹部１３７は、少なくとも第１長手方向溝１２１及び第２長手方向溝１２２の残りの部分に沿って深さＤmidよりも大きな深さＤendを有していてもよく、即ち、Ｄend＞Ｄmidである。端部深さＤendが、少なくとも１つの電気端子コネクタの第１端部部分１５１及び第２端部部分１５２の厚さＴend_conに対応している際には、パネルの第１端部辺１０７及び第２端部辺１０８には、空隙が存在してはいない。これにより、そのジョイントの損耗が軽減された、非常に安定したパネルが提供される。
【００８０】
第１パネル端部凹部１３６及び第２パネル端部凹部１３７は、一実施形態によれば、少なくとも１つの電気端子コネクタ１５０の第１端部部分１５１及び第２端部部分１５２が、それぞれ、第１パネル端部凹部１３６及び第２パネル端部凹部１３７内において受け入れられた際に、第１端部パネル結合手段１１７及び第２端部パネル結合手段１１８の１つ又は複数から突出するように、長さＬend_recessを更に有することができる。
【００８１】
第１パネル端部凹部１３６及び第２パネル端部凹部１３７は、一実施形態によれば、更に詳しく後述するように、電気端子コネクタ１５０の支持部材１５６を受け入れるべく構成された支持ノッチ／リム／アパーチャ１５５を更に含む。
【００８２】
この結果、少なくとも１つの電気端子コネクタ１５０の第１端部部分１５１及び第２端部部分１５２は、それぞれ、パネル１００に機械的に結合される隣接するパネル２０１、２０２の対応する第１及び第２パネル端部凹部内において、受け入れられ、これにより、上述のように、第１端部部分１５１及び第２端部部分１５２を２つの隣接するパネル１００、２０２の間のジョイント内において対称的に又は非対称的に構成することができる。
【００８３】
図５ｋにおいて示されているように、パネル１００が第１パネル端部凹部１３６及び第２パネル端部凹部１３７を含んでいる実施形態の場合には、少なくとも１つの電気端子コネクタ１５０は、第１端部部分１５１及び第２端部部分１５２に装着された、即ち、第１端部部分１５１及び第２端部部分１５２の間に配置／装着された橋絡部材１５９上において構成された、支持部材１５６を含むことができる。図５ｋにおいて、異なる図において示されている支持部材１５６は、自身が第１パネル端部凹部１３６及び第２パネル端部凹部１３７内において受け入れられた／配置された際に、第１端部パネル結合手段１１７及び第２端部パネル結合手段１１８の１つ又は複数から突出している。支持部材１５６は、パネル１００に結合される隣接するパネル２０２の支持ノッチ／リム／アパーチャ１５５内に挿入され、これにより、パネル１００が、端部パネル結合手段により、隣接するパネル２０２に機械的に結合されるべく下方に押圧された際に、パネル１００に対して提供されるトルクＴｑに抗して作用する力Ｆを生成するべく、構成されている。従って、パネル１００の支持部材１５６は、隣接するパネル２０２の支持ノッチ／リム／アパーチャ１５５との協働状態において、押圧トルクＴｑに応答して安定化力Ｆを生成するべく、構成されており、その結果、パネル１００及び隣接するパネル２０２の安全な機械的結合が促進されている。
【００８４】
支持部材１５６は、一実施形態によれば、少なくとも部分的にテーパー化されており、即ち、少なくとも部分的にテーパー化された部分／セクション１５７を有しており、この結果、支持ノッチ／リム／アパーチャ１５５内への支持部材１５６の相対的に容易な挿入が促進されている。支持部材１５６は、基本的に、安定化させる反トルク力Ｆを生成するのに適した任意の形態を有していてもよく、且つ、例えば、図５ｋにおいて示されているように、少なくとも１つのプラグ及び／又はピンの形態を有していてもよく、これにより、支持ノッチ／リム／アパーチャ１５５は、図５ｊにおいて示されているように、力Ｆがそれに圧接状態において作用しうる、少なくとも１つの対応する孔を含んでいる。又、支持部材１５６は、それなりにパネル１００の端部辺に沿って延在しうる唇の形態を有していてもよく、これにより、支持ノッチ／リム／アパーチャ１５５は、安定化力Ｆがそれに圧接状態において作用しうる、対応するエッジを含んでいる。
【００８５】
上述及び後述のように、少なくとも１つの電気端子コネクタ１５０の第１端部部分１５１及び第２端部部分１５２は、少なくとも部分的な導電性を有しており、この結果、パネル１００と隣接パネル２０２の間の、即ち、パネル１００及び隣接パネル２０２の熱提供層の間の、電気接続が促進されている。この理由から、少なくとも１つの電気端子コネクタ１５０の第１端部部分１５１及び第２端部部分１５２は、図５ｋに示されているように、それぞれ、第１導電性舌１７１及び第２導電性舌１７２を含むことができる。舌１７１、１７２は、パネル１００及び１つに結合される隣接するパネル２０２の熱提供層１０２との電気接触状態となるべく、構成されている。
【００８６】
又、少なくとも１つの電気端子コネクタ１５０の第１端部部分１５１及び第２端部部分１５２は、電気接続を提供するべく、それ自体を導電性材料から製造することもできる。
【００８７】
電気端子コネクタ１５０の第１端部部分１５１及び第２端部部分１５２は、パネル１００内の第１端部凹部１３６及び第２端部凹部１３７内において、且つ、パネル１００に機械的に結合される隣接するパネル２００の対応する第１及び第２端部凹部内において、配置されている／受け入れられている／挿入されている。これにより、パネル１００と隣接パネル２００の間の、即ち、パネル１００及び隣接パネル２０２の熱提供層の間の、電気接続が、本明細書において記述されているように、実現／提供されている。
【００８８】
一実施形態によれば、電気結合部は、第１長手方向結合要素１４１及び第２長手方向結合要素１４２について詳細に記述されているように、第１端部凹部１３６及び第２端部凹部１３７内において受け入れられた第１端部部分１５１及び第２端部部分１５２から、パネル１００内の第１長手方向結合要素１４１及び第２長手方向結合要素１４２まで、構成されている。
【００８９】
図５ｋにおいて示されているように、少なくとも１つの電気端子コネクタ１５０の第１端部部分１５１及び第２端部部分１５２の１つ又は複数は、一実施形態によれば、少なくとも部分的に弾性を有していてもよく、例えば、少なくとも１つの隣接するパネル２０１、２０２の少なくとも１つの対応する第１端部パネル結合手段１１７及び第２端部パネル結合手段１１８の少なくとも１つとのスナップロックのために構成された弾性を有する／曲がりやすい部材１５８を有することができる。この結果、弾性部材１５８は、（図５ｋに示されている例においては）第１端部凹部１３６及び第２端部凹部１３７の１つ又は複数内に挿入された際に、１つ又は複数の端部部分１５２に圧接状態において押圧され、且つ、次いで、１つ又は複数の端部部分１５２から外に／離れるように曲がり、且つ、パネル１００及び隣接するパネル２０１、２０２が１つに機械的に結合された際に、隣接するパネル２０１、２０２のアパーチャ／ノッチ／リム内に延在し／スナップ動作し、これにより、スナップロック機能を提供している。パネル１００には、ここでは、ねじ回し又はこれに類似したものなどの器具が、スルーホールを通じて挿入されうると共に、スナップロックをアンロック／解放するべく弾性部材１５８に圧接状態において押圧されうるように、第１長手方向辺１０５及び第２長手方向辺１０６の１つ又は複数から、第１端部凹部１３６及び第２端部凹部１３７の１つ又は複数まで、スルーホールを提供することができる。
【００９０】
一実施形態によれば、第１長手方向結合要素１４１は、第１長手方向溝１２１内において配置されており、且つ、第２長手方向結合要素１４２は、第２長手方向溝１２２内において配置されている。この結果、第１長手方向結合要素１４１及び第２長手方向結合要素１４２は、それぞれ、第１端部辺１０７から第２端部辺１０８まで、即ち、基本的にパネルの長さ全体に沿って、第１長手方向溝１２１及び第２長手方向溝１２２内において延在している。
【００９１】
図２ａ−ｄ及び図３ａ−ｄは、第１長手方向辺１０５に対する第１距離１３１においてパネルのベース層１０１内において形成された第１長手方向溝１２１を含むパネル１００の一部分の断面図を概略的に示している。熱提供層１０２がベース層１０１に装着されており、且つ、カバリング層１０３が熱提供層１０２に装着されている。
【００９２】
本発明の一実施形態によれば、熱提供層１０２に対向する第１長手方向結合要素１４１及び第２長手方向結合要素１４２の第１表面１４３及び第２表面１４４は、パネル１００が組み立てられた際に、ベース層１０１の表面１４５の残りの部分とアライメントされている。従って、第１長手方向溝１２１及び第２長手方向溝１２２の外側のベース層１０１の表面１４５及び第１長手方向結合要素１４１及び第２長手方向結合要素１４２の第１表面１４３及び第２表面１４４は、熱提供層１０２に対向する基本的にフラットな共通表面１４３、１４４、１４５がベース層１０１及び第１長手方向結合要素１４１及び第２長手方向結合要素１４２によって生成されるように、それぞれ、同一のレベルにおいて位置している。これにより、非常に安定したパネルが実現され、これは、カバリング層１０３上の基本的にすべての種類の圧力に対処している。
【００９３】
図２ｃ−ｄにおいて概略的に示されている、一実施形態によれば、第１長手方向結合要素１４１及び第２長手方向結合要素１４２は、例えば、導電性金属などの、少なくとも部分的な弾性を有する且つ導電性を有する材料を有する。この結果、これらの第１長手方向結合要素１４１及び第２長手方向結合要素１４２は、この弾性により、第１長手方向溝１２１及び第２長手方向溝１２２の側部及び／又は底部壁に圧接状態において押圧力を生成し、これにより、第１長手方向溝１２１及び第２長手方向溝１２２内において第１長手方向結合要素１４１及び第２長手方向結合要素１４２が堅固に固定される。第１長手方向結合要素１４１及び第２長手方向結合要素１４２は、例えば、基本的にＵ字の形状であってもよく、且つ、Ｕ字形状の要素の脚部が１つに押圧されている最中に、第１長手方向溝１２１及び第２長手方向溝１２２内において上下逆に挿入されてもよく、これにより、第１長手方向溝１２１及び第２長手方向溝１２２の内側壁に向かうスプリング力が生成される。
【００９４】
図３ａ−ｂにおいて概略的に示されている、本発明の別の実施形態によれば、第１長手方向結合要素１４１及び第２長手方向結合要素１４２は、例えば、導電性金属などの、固体の、且つ、導電性を有する、材料を有する。
【００９５】
例えば、第１電気端子コネクタ１５１及び第２電気端子コネクタ１５２の第１導電性舌１７１及び第２導電性舌１７２などの、第１電気端子コネクタ１５１及び第２電気端子コネクタ１５２は、この結果、図２ｃ−ｄ及び図３ａ−ｂに示されている実施形態の場合に、例えば、第１溝端部セクション１２６及び第２溝端部セクション１２７内などのように、第１長手方向溝１２１及び第２長手方向溝１２２内において配置されることにより、熱提供層１０２に電気的に接続することができる。電気接続は、導電性の少なくとも第１長手方向結合要素１４１及び第２長手方向結合要素１４２を介して提供することができる。熱提供層１０２は、ここでは、図２ｃ−ｄ及び図３ａ−ｂにおいて示されているように、カバリング層１０３と第１長手方向結合要素１４１及び第２長手方向結合要素１４２の間において配置することができる。熱提供層１０２は、例えば、導電性接着剤及び／又は導電性はんだ付けにより、第１長手方向結合要素１４１及び第２長手方向結合要素１４２に装着することができる。第１電気端子コネクタ１５１及び第２電気端子コネクタ１５２及び／又は第１電力供給端子コネクタ１６１及び第２電力供給端子コネクタ１６２は、ここでは、第１長手方向溝１２１及び第２長手方向溝１２２の底部と第１長手方向結合要素１４１及び第２長手方向結合要素１４２の間において配置することができる。従って、例えば、第１電気端子コネクタ１５１及び第２電気端子コネクタ１５２の第１導電性舌１７１及び第２導電性舌１７２などの、第１電気端子コネクタ１５１及び第２電気端子コネクタ１５２は、第１長手方向結合要素１４１及び第２長手方向結合要素１４２により、第１長手方向溝１２１及び第２長手方向溝１２２の底部に圧接状態において押圧されることにより、パネル１００内において固定することができる。
【００９６】
図３ｃ−ｄに概略的に示されている、一実施形態によれば、熱提供層１０２は、第１長手方向溝１２１及び第２長手方向溝１２２の外側において、且つ、ベース層と、それぞれ、第１長手方向結合要素１４１及び第２長手方向結合要素１４２の間の第１長手方向溝１２１及び第２長手方向溝１２２内において、ベース層１０１の表面１４５上に配置することができる。第１長手方向結合要素１４１及び第２長手方向結合要素１４２は、ここでは、例えば、木材又はプラスチック材料のような電気絶縁材料などのように、非導電性であってもよく、或いは、例えば、金属などのように、導電性であってもよい。第１長手方向結合要素１４１及び第２長手方向結合要素１４２の主な機能は、ここでは、熱提供層１０２と、例えば、第１電気端子コネクタ１５１及び第２電気端子コネクタ１５２の第１導電性舌１７１及び第２導電性舌１７２などの、第１電気端子コネクタ１５１及び第２電気端子コネクタ１５２の間の電気接触／接続が確保されるように、例えば、第１電気端子コネクタ１５１及び第２電気端子コネクタ１５２の第１導電性舌１７１及び第２導電性舌１７２に圧接状態において、且つ／又は、第１長手方向溝１２１及び第２長手方向溝１２２内に挿入／配置される後述する第１電力供給端子コネクタ１６１及び第２電力供給端子コネクタ１６２に圧接状態において、などのように、第１電気端子コネクタ１５１及び第２電気端子コネクタ１５２に圧接状態において熱提供層１０２を押圧することにある。
【００９７】
又、図２ｃ−ｄにおいて示されている、Ｕ字形状の、且つ、少なくとも部分的な弾性を有する、第１長手方向結合要素１４１及び第２長手方向結合要素１４２は、熱提供層１０２が、ベース層１０１と、それぞれ、第１長手方向結合要素１４１及び第２長手方向結合要素１４２の間において、第１長手方向溝１２１及び第２長手方向溝１２２内に配置されるように、構成することができる。従って、熱提供層１０２は、この結果、第１長手方向結合要素１４１及び第２長手方向結合要素１４２が、熱提供層１０２の上部上の溝内において、且つ、第１長手方向溝１２１及び第２長手方向溝１２２の外側のベース層１０１の表面１４５上において、挿入された状態において、第１長手方向溝１２１及び第２長手方向溝１２２内において配置されることになろう。この結果、Ｕ字形状の要素の脚部が、溝内への挿入の際に１つに、押圧され、これにより、挿入の後に、少なくとも第１長手方向溝１２１及び第２長手方向溝１２２の内側壁に向かうスプリング力を生成することができる。又、これは、第１長手方向結合要素１４１及び第２長手方向結合要素１４２及び熱提供層１０２が、互いに圧接状態において堅固に押圧されることを結果的にもたらし、この結果、熱提供層１０２上の損耗が極小化されると同時に、２つの間の確実な電気接触が結果的に得られる。
【００９８】
パネル１００は、本発明のいくつかの実施形態によれば、更なる長手方向溝を含んでいてもよく、即ち、合計で、２つ超の長手方向溝を含むことができる。又、この結果、パネルは、更なる対応する長手方向結合要素と、更なる対応する電気端子コネクタと、をも含む。
【００９９】
図４ａ−ｂは、本発明の一実施形態を示しており、この場合に、パネル１００は、ベース層１０１内において含まれた少なくとも１つの挟持／隔離コア１６０を含む。少なくとも１つの挟持／隔離コア１６０は、その生成された熱が、誤った方向において、即ち、暖房対象の空間から離れるように、搬送されることを防止する断熱特性を有することができる。例えば、断熱を伴わないパネルの場合の、例えば、３℃の温度増大は、ベース層１０１に追加された少なくとも１つの挟持／隔離コア１６０を有する同一のパネルの場合には、例えば、５〜６℃の温度増大を結果的にもたらしうるであろう。又、少なくとも１つの挟持／隔離コア１６０は、音響／雑音吸収特性を有していてもよく、これは、その結果、例えば、ハイヒールが床を横断して歩行するなどの雑音を効率的に低減する。
【０１００】
挟持／隔離コア１６０は、例えば、パネル１００の層の組立の際に、且つ／又は、その後に、注入されるポリウレタン発泡体の形態において、例えば、ポリウレタンを含むことができる。
【０１０１】
図４ｃ−ｅは、本発明のいくつかの実施形態を示しており、この場合に、パネル１００は、ベース層１０１内において含まれた少なくとも１つの挟持／隔離コア１６０を含む。少なくとも１つの挟持／隔離コア１６０は、ここでは、例えば、それらが相対的に重い負荷を担持しうるように、ピラミッド形態の側部表面Ａ、Ｂにより、パネル１００のベース層１０１の対応するピラミッド形態の部分Ｄ上のピラミッド形態の支持要素Ｅから支持力／圧力を提供しうる、ピラミッド形状の支持要素Ｅを含むことができる。ピラミッド形態の支持要素Ｅは、カバリング層１０４とは別の方向において対向するそのベース面と、カバリング層１０３に向かう尖った面と、を有することができる。上述のように、少なくとも１つの挟持／隔離コア１６０は、熱及び／又は音響／雑音絶縁特性を有することができる。従って、ピラミッド形状の支持要素は、パネルの最適な担持容量との組み合わせにおいて、最適な絶縁を提供している。
【０１０２】
図４ｅは、負荷／重量担持要素１７０が、ベース層１０１材料内の挟持／隔離コアのピラミッド形態１６０の間に配置されている、一実施形態を示しており、これは、例えば、木材であるか又は重量を担持するのに適したなんらかのその他の材料であってよい。負荷担持要素１７０は、例えば、円形形態を有していてもよく、例えば、相対的に幅広の部分がカバリング層１０３に向かって方向付けされた状態において、相対的に幅広の円形ヘッド部分及び相対的に細い円形の尖った部分を有するように、基本的にねじ／ボルトの形態であってよい。負荷担持要素１７０は、例えば、金属又はプラスチックなどの、基本的に任意の負荷担持材料から形成することができる。負荷担持要素１７０の円形ヘッド部分は、ベース層１０１のピラミッド形態の部分Ｄの底部領域の強度が、相対的に乏しくなりうるように、即ち、それ自体が担持重量／負荷の全体を引き受けるべく十分強力になる必要がないように、カバリング層１０３に由来する重量／負荷を担持するべく構成されている。従って、カバリング層に由来する重量／負荷は、ここでは、負荷担持要素１７０により、少なくとも部分的に担持されている。
【０１０３】
負荷担持要素１７０は、パネルの負荷担持能力を改善するべく、即ち、ベース層１０１材料の負荷／重量担持能力を改善するべく、ベース層１０１材料と共に鋳造／形成することができる。これにより、相対的に安定性の乏しい、且つ、相対的に多孔性の、材料が、ベース層１０１材料の残りの部分に使用されてもよく、これにより、製造費用が低減される。
【０１０４】
本発明の一態様によれば、電気端子コネクタ１５０が提示されている。電気端子コネクタ１５０及びその他の実施形態が、本明細書において記述されており、且つ、例えば、図１及び図５ａ−ｋにおいて示されている。電気端子コネクタ１５０は、本明細書において記述されている実施形態によれば、本明細書において記述されているパネル１００の第１端部パネル結合手段１１７及び第２端部パネル結合手段１１８の１つ又は複数内に挿入可能である。
【０１０５】
電気端子コネクタ１５０は、少なくとも部分的な導電性を有しており、且つ、第１端部パネル結合手段１１７及び第２端部パネル結合手段１１８の１つ又は複数内に挿入された際に、第１端部パネル結合手段１１７及び第２端部パネル結合手段１１８の１つ又は複数から少なくとも部分的に突出する第１端部部分１５１及び第２端部部分１５２を含む。電気端子コネクタ１５０は、これにより、パネル１００の熱提供層１０２とパネルに結合された少なくとも１つの隣接するパネル２０１、２０２の対応する熱提供層の間の電気接続を提供している。
【０１０６】
更に詳しくは、パネル及び隣接するパネルが機械的に１つに結合された際に、電気端子コネクタの第１及び第２端部部分は、様々な実施形態によれば、パネル及び隣接するパネルの両方のものの第１及び第２溝端部セクション及び／又はパネル端部凹部内において挿入され／受け入れられ、これにより、少なくとも部分的な導電性を有する第１及び第２端部部分は、パネルの且つ隣接するパネルの熱提供層の間の電気接続を提供している。
【０１０７】
又、一実施形態によれば、電気端子コネクタは、例えば、スナップロックにより、少なくとも１つの隣接するパネルに対する機械的結合をも提供している。
【０１０８】
上述のように、且つ、例えば、図１及び図５ａ−ｋにも示されているように、少なくとも１つの電気端子コネクタ１５０の第１端部部分１５１及び第２端部部分１５２は、一実施形態によれば、それぞれ、第１導電性舌１７１及び第２導電性舌１７２を含むことができる。第１導電性舌１７１及び第２導電性舌１７２は、パネル１００が隣接パネル２０１、２０２に結合された際に、パネル１００の熱提供層１０２との間の、且つ、隣接するパネル２０１、２０２の対応する熱提供層１０２との間の、電気接触状態となるべく構成されている。
【０１０９】
少なくとも第１長手方向結合要素１４１及び第２長手方向結合要素１４２が使用されている実施形態の場合には、上述のように、第１端部部分１５１及び第２端部部分１５２の第１導電性舌１７１及び第２導電性舌１７２などの、第１端部部分１５１及び第２端部部分１５２は、パネル１００の、それぞれ、少なくとも第１長手方向溝１２１及び第２長手方向溝１２２内において配置された少なくとも第１長手方向結合要素１４１及び第２長手方向結合要素１４２との間における電気接触状態のために、構成することができる。この結果、第１導電性舌１７１及び第２導電性舌１７２は、パネル１００に機械的に結合される隣接するパネル２０１、２０２の対応する少なくとも第１長手方向結合要素１４１及び第２長手方向結合要素１４２との電気接触状態にもなる。
【０１１０】
一実施形態によれば、第１導電性舌１７１及び第２導電性舌１７２は、熱提供層１０２との間の、且つ／又は、少なくとも第１長手方向結合要素１４１及び第２長手方向結合要素１４２との間の、緊密な接触を生成するのに適した形態を有する。第１導電性舌１７１及び第２導電性舌１７２は、例えば、少なくとも部分的に波の形態であってもよく、波形態のピークは、熱提供層及び／又は少なくとも第１長手方向結合要素１４１及び第２長手方向結合要素１４２に向かうように向いている。
【０１１１】
第１電気端子コネクタ１５１及び第２電気端子コネクタ１５２と、恐らくは、第１長手方向電気結合要素１４１及び第２長手方向電気結合要素１４２と、によって熱提供層に搬送される電気エネルギーは、５ボルト〜６０ボルトの範囲における、或いは、１０ボルト〜５５ボルトの範囲における、或いは、１５ボルト〜５０ボルトの範囲における、或いは、２５ボルト〜５０ボルトの範囲における、電圧を有することができる。本発明によるパネルには、このような低電圧が供給されてもよく、その理由は、隣接するパネルの間の電気接触と、恐らくは、更には、第１及び第２長手方向電気結合要素の、且つ、従って、パネル自体の、電流／電圧伝導特性と、が、非常に良好である、即ち、低損失を有する、からである。
【０１１２】
本発明の例示用の一実施形態によれば、熱を生成するべく熱提供層１０２に供給される電気エネルギーは、２５ボルトの電圧Ｖを有し、即ち、Ｖ＝２５ボルトであり、これは、多くの領域及び／又は国においては、素人により、即ち、非電気技術者により、取り扱うことができる。
【０１１３】
本発明の別の例示用の実施形態によれば、電気エネルギーは、５０ボルトの電圧Ｖを有し、即ち、Ｖ＝５０ボルトであり、これは、いくつかの領域及び／又は国においては、素人によって取り扱うことができる。
【０１１４】
本発明の一態様によれば、暖房システム８００が提示されている。暖房システム８００は、図７において概略的に示されており、且つ、上述のように、少なくとも１つのパネル１００、２０３を含む。暖房システムは、例えば、取付ベース８２０において配置された、且つ／又は、少なくとも１つのパネル１００、２０３の第１端部辺１０７及び第２端部辺１０８の少なくとも１つに隣接したベース層１０１に対向する、電気エネルギー提供構成８１０を更に含む。電気エネルギー提供構成８１０は、電気エネルギーをパネル１００の第１電力供給端子コネクタ１６１及び第２電力供給端子コネクタ１６２に供給している。図７においては、簡潔性を目的として、２つのパネル１００、２０３のみが示されている。当業者には明らかなように、多くの更なるパネルが暖房システム８００内において含まれうる。又、図７のパネル１００、２０３のそれぞれのものは、パネルの列を表していてもよい。本明細書において記述されている電気エネルギー提供構成８１０は、本明細書において記述されたパネル１００に、のみではなく、基本的に任意の電気によって加熱されるパネルに、電気エネルギーを供給するべく、使用されうることに留意されたい。
【０１１５】
図７に示されている実施形態によれば、電気エネルギーは、パネル１００の第１端部辺１０７の第１電力供給端子コネクタ１６１及び第２電力供給端子コネクタ１６２に、或いは、パネル１００の第１端部辺１０７に直接又は間接的に結合される隣接するパネル２０２の対応する第１端部辺１０７’に、供給される第１及び第２極性Ｐ１、Ｐ２により、提供されている。従って、第１及び第２極性Ｐ１、Ｐ２の両方は、その端部辺１０７、１０８において１つに結合されたパネルのそれぞれの列内の第１パネル１００、２０３の第１端部辺１０７に接続されている。その結果、第１及び第２極性Ｐ１、Ｐ２は、床／壁／天井全体のすべてのパネルに電気供給されるように、図６に示されているように敷き詰められたパネルのそれぞれの列内の更なるパネルに電気的に接続されている。これにより、パネルによってカバーされたエリア全体が暖房される。図７において使用されている電圧は、例えば、２５ボルトなどのように、かなり小さいことから、第１及び第２極性Ｐ１、Ｐ２の両方は、パネルの同一の端部辺１０７に供給することができる。これが可能である理由は、基本的に、これらの小さな電圧においては、人物がパネルを設置する際の危険な電気ショックのリスクが存在していないからである。
【０１１６】
本発明の別の実施形態によれば、電気エネルギーは、５０ボルトの電圧を有し、即ち、Ｖ＝５０ボルトであり、これは、いくつかの領域及び／又は国においては、素人により、即ち、非電気技術者により、取り扱うことができる。暖房システム８００は、図８には、概略的に示されており、これは、上述のように、少なくとも１つのパネル１００、２０３、２０７を含む。暖房システムは、例えば、取付ベース８２０において配置された、且つ／又は、床、壁、又は天井の２つの反対側部において、且つ、少なくとも１つのパネル１００、２０３、２０７の第１端部辺１０７及び第２端部辺１０８の両方に隣接した状態で、ベース層１０１に対向する、電気エネルギー提供構成８１０を更に含む。本明細書において記述されている電気エネルギー提供構成８１０は、本明細書において記述されているパネル１００に、のみではなく、基本的に任意の電気によって加熱されるパネルに、電気エネルギーを供給するべく、使用されうることに留意されたい。
【０１１７】
電気エネルギー構成８１０は、接触手段８１１、８１２、８１３、８１４、８１５、８１６を含んでいてもよく、このそれぞれは、接触突出部８１７及び／又は第１電力供給端子コネクタ１６１及び第２電力供給端子コネクタ１６２の使用により、１つの極性Ｐ１、Ｐ２をパネル１００、２０３、２０７に提供するべく、構成されている。又、接触手段８１１、８１２、８１３、８１４、８１５、８１６及び／又はパネル１００、２０３、２０７は、安定性突出部８１８を含むこともできる。
【０１１８】
接触手段８１１、８１２、８１３、８１４、８１５、８１６が、パネル１００、２０３、２０７と組み立てられた、即ち、この内部に挿入された、際に、電気エネルギーは、接触突出部８１８により、パネル１００、２０３、２０７に提供され、且つ、パネル１００、２０３、２０７は、安定性突出部８１７により、定位置において保持される。又、電気エネルギー、即ち、パネル１００、２０３、２０７において熱を生成する電圧、は、接触手段８１１、８１２、８１３、８１４、８１５、８１６により、パネル１００、２０３、２０７内においてカプセル化されている。従って、電気ショックをうけるリスクは、図８に示されている暖房システム８００の場合には、カプセル化された電気エネルギーに部分的に起因して、且つ、部分的には、２つの極性Ｐ１、Ｐ２が、パネルによってカバーされた床、壁、又は天井の反対側に提供されており、且つ、従って、人物が同時にＰ１及びＰ２の両方との物理的接触状態になることが、困難であり、多くの場合には不可能である、ことから、極小化されている。
【０１１９】
又、熱提供層上における電圧降下も、２つの極性Ｐ１、Ｐ２が床の反対側に提供されている際には、約５０％だけ、低減される。
【０１２０】
従って、図８に概略的に示されている、本発明の一実施形態によれば、電気エネルギーは、パネル１００の第１端部辺１０７の第１電力供給端子コネクタ１６１又は第２電力供給端子コネクタ１６２に供給される第１極性Ｐ１により、パネル１００に提供されている。次いで、第２極性Ｐ２は、パネルの第２端部辺１０８の第１電気端子コネクタ１５１又は第２電気端子コネクタ１５２に供給されている。従って、第１極性Ｐ１は、パネル１００の１つの端部辺１０７に供給されており、且つ、第２極性Ｐ２は、パネル１００の反対側の端部辺１０８に供給されている。
【０１２１】
又、第２極性Ｐ２は、図６に示されているように、パネル１００の第１端部辺１０７に直接又は間接的に結合された隣接するパネル２０２の対応する第１端部辺１０７’の第１電力供給端子コネクタ１６１又は第２電力供給端子コネクタ１６２に供給することができる。又、第２極性Ｐ２は、パネル１００の第２端部辺１０８に直接又は間接的に結合された隣接するパネル２０１の対応する第２端部辺１０８’の第１電力供給端子コネクタ１６１又は第２電力供給端子コネクタ１６２に供給することができる。従って、電気エネルギー提供構成８１０は、少なくとも１つのパネル１００、２０３、２０７の２つの反対側端部辺上の第１電力供給端子コネクタ１６１及び第２電力供給端子コネクタ１６２に電気エネルギーを供給している。図８においては、わかりやすさを目的として、３つのパネル１００、２０３、２０７のみが示されている。但し、当業者には明らかなように、多くの更なるパネルが暖房システム８００内に含まれうる。又、図８のパネル１００、２０３、２０７のそれぞれのものは、パネルの列を表すこともできる。
【０１２２】
図９は、完成した暖房システムを概略的に示している。
【０１２３】
図９において示されているように、且つ、上述のように、第１電力供給端子コネクタ１６１及び第２電力供給端子コネクタ１６２は、その端部辺が、パネルの列を開始する端部辺である、即ち、電力がパネルの列に提供される壁、ソケット、又はこれらに類似したものに対向する端部である、場合には、パネルの１つの端部辺１０８上において使用することができる。これらの第１電力供給端子コネクタ１６１及び第２電力供給端子コネクタ１６２は、例えば、第１電力供給端子コネクタ１６１及び第２電力供給端子コネクタ１６２と、例えば、床、壁、又は天井の少なくとも１つの側部上の少なくとも１つの壁に沿って、且つ、少なくとも１つのパネル１００の端部辺に隣接して、配置された、例えば、取付ベース９２０を含む、電気エネルギー提供構成９１０の接触手段９１１の間において接続力を提供する、少なくとも部分的な弾性を有する、且つ、例えば、図９において示されているように、上向きに方向において、わずかに垂直方向において傾斜した、コネクタなどの、緊密な電気接続を生成する基本的に任意の種類のコネクタ／端子であってよい。
【０１２４】
少なくとも１つの第１接触手段９１１は、ここでは、わずかに上向きに傾斜した第１電力供給端子コネクタ１６１及び第２電力供給端子コネクタ１６２用の接触表面を提供するように、例えば、電気エネルギー提供構成９１０内において水平方向において構成された、恐らくは、金属の、導電性接触ストリップとして構成することができる。従って、少なくとも１つのパネル１００と、例えば、取付ベースの形態における電気エネルギー提供構成９１０と、が１つに取り付けられた際に、垂直方向の接触力Ｆconが生成される。
【０１２５】
又、例えば、本明細書において記述されている取付ベース９２０内において含まれている、電気エネルギー提供構成９１０は、上述のように、本明細書において記述されているパネル１００に、のみではなく、基本的に任意の電気によって加熱されるパネルに、且つ／又は、例えば、壁又は天井暖房パネル、ランプ、又はこれらに類似したものなどの、任意のその他の電気エネルギー消費装置９３０に、電気エネルギーを提供するべく、使用することができる。これを理由として、電気エネルギー提供構成９１０は、少なくとも１つの第２接触手段９１２を含むことができる。
【０１２６】
一実施形態によれば、少なくとも１つの第１接触手段９１１には、第１極性Ｐ１を提供することができると共に、少なくとも１つの第２接触手段９１２には、別の第２極性Ｐ２を提供することができる。
【０１２７】
これにより、電気エネルギーは、電気エネルギー提供構成９１０により、電気エネルギー提供構成９１０によって提供される電圧によって駆動される基本的に任意の電気装置９３０に電気エネルギーを供給することができる。例えば、多くの種類のランプは、例えば、２５ボルト又は５０ボルトなどの、相対的に小さな電圧によって駆動されており、且つ、従って、電気エネルギー提供構成９１０から、この電圧を直接的に供給することができる。
【０１２８】
又、例えば、１つに取り付けられた隣接する取付ベース部分の形態における、エネルギー提供構成９１０の隣接する部分の少なくとも１つの第１接触手段９１１及び少なくとも１つの第２接触手段９１２は、本明細書において記述されている第１電気端子コネクタ１５１及び第２電気端子コネクタ１５２に形態及び／又は機能において恐らくは対応しうる、例えば、シート金属の形態における、結合手段９５１、９５２を利用して電気的に結合することができる。
【０１２９】
図１０には、一実施形態による暖房システムが示されている。電気エネルギー提供構成８１０は、ここでは、パネル１００の下方において、即ち、パネルのベース層１０１に対向するように、配置されている。この結果、少なくとも１つの第１電力供給端子コネクタ１６１及び少なくとも１つの第２電力供給端子コネクタ１６２は、パネルの第１端部辺１０７、１０７’及び第２端部辺１０８、１０８’の少なくとも１つのものの周りにおいて折り曲げられ、且つ、パネル１００のベース層１０１と電気エネルギー提供構成８１０の間において配置されている。これにより、少なくとも１つの第１電力供給端子コネクタ１６１及び少なくとも１つの第２電力供給端子コネクタ１６２は、電気エネルギー提供構成８１０の少なくとも一部分に圧接状態において押圧され、且つ、従って、これとの電気接触状態にある。電気エネルギー提供構成８１０は、一実施形態によれば、パネル１００のベース層１０１に対向する導電性要素９６１を有する、少なくとも１つの接触テープを含むことができる。接着テープは、少なくとも１つの第１電力供給端子コネクタ１６１及び少なくとも１つの第２電力供給端子コネクタ１６２との接触を生成するべく、例えば、壁に隣接する床の上部において、且つ、従って、更には、パネル端部辺１０７に隣接した状態において、貼り付けることができる／配置することができる。床の残りの部分上においては、即ち、パネルの残りの部分の下方においては、例えば、薄い発泡体及び／又は紙の層である、ステッピング層９６２により、床をカバーすることができる。
【０１３０】
本発明の一実施形態によれば、暖房システム８００を設置する方法が提示されている。
【０１３１】
例えば、床になるように、本発明によるパネルを組み立てる／敷き詰める必要がある際には、まず、取付ベース８２０、９２０において、且つ／又は、床板を敷く対象の部屋の１つ又は２つの側部においてベース層１０１に対向する状態において、上述の電気エネルギー提供構成８１０、９１０を配置することができる／取り付けることができる。例えば、２５ボルトを提供する、例えば、相対的に低い電圧のエネルギー提供構成が、部屋の１つの壁に沿って配置されてもよく／取り付けられてもよく、且つ、次いで、これにより、電圧の両方の極性Ｐ１、Ｐ２が提供される。この代わりに、例えば、５０ボルトを提供する、相対的に高い電圧のエネルギー提供構成が、部屋の２つの反対側の側部に沿って配置されてもよく、且つ、これにより、部屋のそれぞれの反対側の側部から電圧の１つの極性が提供される。従って、この結果、電気エネルギーは、部屋の１つ又は２つの側部において利用可能である。
【０１３２】
次いで、第１パネル１００が、第１端部辺１０７及び第２端部辺１０８上の機械的結合手段１１７、１１８の使用により、少なくとも１つの第２パネル２０１、２０２に機械的に結合される。これにより、２つ以上のパネル１００、２０１、２０２の列が生成される。このようなパネルの列内の最後の第２パネル２０２は、列の長さが部屋の長さに対応するように、切断する必要がある場合がある。
【０１３３】
列のパネルが機械的に結合されるのと同時に、第１パネル１００及び少なくとも１つの第２パネル２０１、２０２の電気接続が第１パネル１００の少なくとも１つの端子コネクタ１５０によって実現される。従って、パネル１００、２０１、２０２が機械的結合手段１１７、１１８によって１つに押圧されるのに伴って、少なくとも１つの端子コネクタ１５０、即ち、列のパネル１００、２０１、２０２の、少なくとも１つの端子コネクタ１５０の第１端部部分１５１及び第２端部部分１５２、も、第１溝端部セクション１２６、１２８及び第２溝端部セクション１２７、１２９内に、且つ／又は、パネル１００、２０１、２０２の第１パネル端部凹部１３６及び第２パネル端部凹部１３７内に、押圧され、これにより、例えば、列内のパネル１００、２０１、２０３の第１長手方向電気結合要素１４１及び第２長手方向電気結合要素１４２の使用により、パネル１００、２０１、２０２の熱提供層１０２の電気接続が生成される。
【０１３４】
次いで、電気エネルギー提供構成８１０、９１０から、電気エネルギーが、第１パネル１００及び少なくとも１つの第２パネル２０１、２０２の列に供給される。例えば、低電圧の場合に有用である、上述の一実施形態によれば、これは、第１パネル１００の第１電力供給端子コネクタ１６１及び第２電力供給端子コネクタ１６２の両方を電気エネルギー提供構成８１０、９１０に接続することにより、実行されており、この結果、これにより、電圧極性Ｐ１、Ｐ２の両方が第１パネル１００の第１端部辺１０７に供給される。
【０１３５】
例えば、相対的に大きな電圧の場合に有用である、上述の別の実施形態によれば、第１パネル１００の第１端部辺１０７上の第１電力供給端子コネクタ１６１及び第２電力供給端子コネクタ１６２の１つを電気エネルギー提供構成８１０、９１０に接続することにより、電気エネルギー提供構成８１０、９１０から、電気エネルギーが第１パネル１００及び少なくとも１つの第２パネル２０１、２０２の列に供給されている。この結果、電気エネルギー提供構成８１０、９１０は、パネルの列の第１パネル１００の第１端部辺１０７に電気エネルギーの１つの極性Ｐ１を提供する。次いで、列の第２端部辺１０８’上の、即ち、少なくとも１つの第２パネル２０１、２０２の第２端部辺１０８’上の、第１電力供給端子コネクタ１６１及び第２電力供給端子コネクタ１６２の別のものが、電気エネルギー提供構成８１０、９１０に接続される。その結果、電気エネルギー提供構成８１０、９１０は、列の第２端部辺１０８’に電気エネルギーの別の極性Ｐ２を提供する。
【０１３６】
上述のように、列のそれぞれの端部においてパネル１００、２０１、２０２の列に１つの電圧極性を供給することは、床を敷き詰めている人物が、パネルに提供されている電気エネルギーによる電気ショックをうけるリスクが、相当に低減される、という利点を有する。電気ショックをうけるには、即ち、電圧の両方の極性との接触状態となるには、人物は、パネルの列の長さ全体に沿って、部屋全体に跨って延在しなければならなくなり、これは、非常に可能性が小さい。従って、本発明のこの実施形態と共に、相対的に大きな電圧の供給を使用することができる。
【０１３７】
以下には、本明細書において記述されている実施形態のいくつかによる、床の電気特性及び加熱特性のいくつかの非限定的な例の説明が提示されている。
【０１３８】
床の電力消費Ｐは、次式によって与えられ、
Ｐ＝Ｕ＊Ｉ      （式１）
ここで、Ｕは、熱提供層に印加される電圧であり、且つ、Ｉは、対応する印加電流である。印加電圧Ｕは、電源によって提供される電圧Ｕsupplyから電源と熱提供層の間の電圧降下ΔＵを減算することにより、与えられ、即ち、次式のとおりである。
Ｕ＝Ｕsuppiy−ΔＵ      （式２）
【０１３９】
熱提供層を通じて流れる電流Ｉは、オームの法則により、以下のように与えられ、
Ｕ＝Ｒ＊Ｉ      （式３）、
即ち、次式のとおりであり、
Ｉ＝Ｕ／Ｒ      （式４）
ここで、Ｒは、熱提供層の抵抗値である。熱提供層は、加熱モジュール／セクション内において分割される場合があり、この場合に、複数のモジュール／セクションは、並列に結合することができる。１つの熱モジュール／セクションの場合には、抵抗値は、次式によって与えられ、
Ｒ＝ｒｅｓｉｓｔｉｖｉｔｙ＊Ｌc_heat／Ａc_heat      （式５）
ここで、ｒｅｓｉｓｔｉｖｉｔｙは、材料パラメータであり、例えば、純粋なアルミニウムの場合には、約２．８２×１０-8Ωｍであり、Ｌc_heatは、加熱導体（抵抗器）の長さであり、且つ、Ａc_heatは、加熱導体の断面積である。導体の断面積Ａc_heatは、例えば、薄膜の場合には、次式として、与えられ、
Ａc_heat＝ｈc_heat＊ｗc_heat      （式６）
ここで、ｈc_heatは、導体（抵抗器）の高さ／厚さであり、且つ、ｗは、導体（抵抗器）の幅である。
【０１４０】
例えば、６２．５ｍという加熱導体の長さＬc_heat、０．６４２ｍｍという加熱導体の幅ｗc_heat、及び９マイクロメートルという加熱導体薄膜の厚さを有する加熱モジュールの場合には、抵抗値Ｒは、アルミニウムの場合には、約３０５Ωである。
【０１４１】
上述の式１及び式４を組み合わせることにより、電力は、次式によって与えられ、
Ｐ＝Ｕ2／Ｒ      （式７）
即ち、電力は、電圧Ｕの二乗に伴って増大し、且つ、抵抗値Ｒの逆数に伴って減少している。
【０１４２】
電力Ｐは、次式として記述することができる。
Ｐ＝（Ｕ2＊ｗc_heat＊ｈc_heat）／（Ｌc_heat×ｒｅｓｉｓｔｉｖｉｔｙ）      （式８）
【０１４３】
ｒｅｓｉｓｔｉｖｉｔｙは、材料パラメータであり、且つ、導電熱薄膜の厚さは、選択を要する物理パラメータであることから、電力は、次式として記述することができる。
Ｐ＝Ｕ2＊（ｗc_heat／Ｌc_heat）＊ｃｏｎｓｔａｎｔ      （式９）
【０１４４】
これは、選択された熱薄膜のタイプにおける、望ましい電力Ｐは、電圧により、且つ、次いで、加熱導体（抵抗器）の長さＬc_heat及び幅ｗc_heatにより、最も容易に制御されることを意味している。
【０１４５】
すべての電力Ｐがジュール熱Ｑに変換される、即ち、Ｐheat＝ｄＱ／ｄｔである、ことから、Ｐheatは、Ｐに等しい。ジュール熱Ｑの時間微分ｄＱ／ｄｔは、熱エネルギーの流れに対応している。熱流ｄＱ／ｄｔは、温度勾配の負の方向において流れることになる。
【０１４６】
供給電力Ｐは、伝導ｄＱ／ｄｔcondにより、下向きに下敷き構造に流れるｄｑ／ｄｔdownことになる、且つ、対流ｄＱ／ｄｔconv及び放射ｄＱ／ｄｔradにより、上向きに流れるｄＱ／ｄｔupことになる、熱流ｄＱ／ｄｔと、非平衡状態においては、ボード／パネルの温度の上昇ｄＱ／ｄｔboardと、に変換されることになる。
ｄＱ／ｄｔ＝ｄＱ／ｄｔcond＋ｄＱ／ｄｔconv＋ｄＱ／ｄｔrad＋ｄＱ／ｄｔboard      （式１０）
【０１４７】
平衡状態の場合には、次式のとおりである。
ｄＱ／ｄｔ＝ｄＱ／ｄｔcond＋ｄＱ／ｄｔconv＋ｄＱ／ｄｔrad      （式１１）
ｄＱ／ｄｔdown＝ｄＱ／ｄｔcond      （式１２）
ｄＱ／ｄｔup＝ｄＱ／ｄｔconv＋ｄＱ／ｄｔrad      （式１３）
【０１４８】
非平衡状態の場合には、ボードの温度は、ｄQ／ｄｔboardにより、上昇することになる。
【０１４９】
時間的な振る舞いに関しては、ボード／パネルの時間に関する温度微分は、次式のとおりであり、
ｄＴ／ｄｔ＝ｄＱ／ｄｔboard／（ｄ＊ｄｅｎｓｉｔｙ＊ｃp）      （式１４）
ここで、ｄＴ／ｄｔは、従って、ｄＱ／ｄｔboardに比例しており、且つ、明らかに、温度は、ｄｑ／ｄｔboradがゼロでない場合に、上昇することになる。
【０１５０】
ボードが下敷き構造から十分に絶縁されている場合には、ｄＱ／ｄｔcondは、小さく、且つ、従って、ボード／パネル内の温度勾配も、小さくなり、従って、温度は、一階微分方程式にほぼ準拠することになる。次いで、ボード／パネルの温度依存性は、次式のようになり、
Ｔboard＝Ｔinital＋（Ｔend−Ｔinital）＊（１−ｅ-t/tau）      （式１５）
ここで、ｔinitalは、電圧Ｖが印加される前のボード／パネルの温度であり、Ｔendは、最後の温度であり、且つ、ｔａｕは、特性時定数である。
【０１５１】
Ｔend＝Ｐ＊Ｒth_tot      （式１６）
であり、且つ、ｔａｕ／面積単位については、次式のとおりであり、
ｔａｕ＝ｃp＊ｄｅｎｓｉｔｙ＊ｄ      （１７）
ここで、ｃpは、比熱容量であり、Ｒth_totは、総熱抵抗値であり、ｄｅｎｓｉｔｙは、ボード／パネルの密度であり、且つ、ｄは、ボードの厚さである。
【０１５２】
ボード／パネルの熱流ｄＱ／ｄｔ及び温度上昇に関しては、ボード／パネルの表面上の温度上昇は、電力Ｐ、周辺温度Ｔamb、（熱薄膜と周辺床の間の）下向きの熱抵抗値Ｒth_down、薄膜と周辺空気の間の熱抵抗値Ｒth_upに依存することになる。ボード／パネルのそれぞれの層は、その独自の熱抵抗値、即ち、ボード／パネルサブ構造Ｒth_subの場合には、ボードの下方の任意の減衰層Ｒth_damp、加熱薄膜基材Ｒth_substrate、カバリング層Ｒth_top、並びに、カバリング層と周辺空気の間のインターフェイスＲth_conv、を有する。下向きの熱抵抗値は、直列において加算され、且つ、上向きの熱抵抗値も、直列において加算される。但し、下向きの総熱抵抗値及び上向きの総熱抵抗値は、総熱抵抗値Ｒth_totに対して並列の方式により、組み合わせられ、
Ｒth_down＝Ｒth_sub＋Ｒth_damp      （式１８）
Ｒth_up＝Ｒth_substrate＋Ｒth_top＋Ｒth_conv＋Ｒrad      （式１９）、並びに、
１／Ｒth_tot＝１／Ｒth_down＋ｌ／Ｒth_up      （式２０）
であり、これは、以下のように記述することができる。
Ｒth_tot＝（Ｒth_down＊Ｒth_up）／（Ｒth_down＋Ｒth_up）      （式２１）
【０１５３】
加熱薄膜導体（抵抗値）内の温度増大ΔＴfilmは、次式によって与えられる。
ΔＴfilm＝Ｐ＊Ｔth_tot      （式２２）
【０１５４】
熱伝導に起因した固体材料の熱抵抗値Ｒth_condは、次式によって与えられる。
Ｒth_cond＝Ｌmaterial／（Ｌａｍｂｄａ＊Ａ）      （式２３）
【０１５５】
熱抵抗値対流は、次式によって与えられる。
Ｒth_conv＝Ａ／Ｕth_conv      （式２４）
【０１５６】
材料のいくつかの非限定的な例及び熱抵抗値が、以下の表１によって与えられている。
【０１５７】
【表１】
2020521110.tif 000029
【０１５８】
上述の非限定的な例においては、下敷き構造が周辺床と同一の温度を有すると仮定することにより、上向き及び下向きの両方の方向における等しい熱流ｄＱ／ｄｔが提供されている。
【０１５９】
放射に起因した熱流ｄＱ／ｄｔheatは、次式によって与えられ、
ｄＱ／ｄｔheat＝ｅｐｓｉｌｏｎ＊ＳＢ＊（Ｔsurface4−Ｔambienｔ4）      （式２５）
ここで、イプシロンは、放射率係数であり、ＳＢは、ステファン−ボルツマン定数である。
【０１６０】
空洞内の表面の場合に、放射は、形態係数Ｆを考慮しなければならず、従って、放射に起因した熱流は、次式のとおりとなり、
ｄＱ／ｄｔheat＝ｅｐｓｉｌｏｎ＊ＳＢ＊（Ｔsurface4−Ｔambienｔ4）＊Ｆ（ｐｈｙｓｉｃａｌ  ｄｉｍｅｎｓｉｏｎｓ）      （式２６）
ここで、Ｆは、０〜１の範囲をとり、即ち、０〜１の範囲である。
【０１６１】
従って、パネルの表面温度は、下敷き構造への熱漏洩に依存している。例えば、１８ｍｍの発泡ポリスチレン（ＰＳ）などの、十分に絶縁された床パネルの場合には、５０Ｗ／ｍ2の場合に、温度上昇は、約６度となり、且つ、２５Ｗ／ｍ2の場合には、３度となる。但し、例えば、１ｍｍのＰＳなどのように、絶縁が乏しい場合には、温度増大は、より乏しくなり、実験によれば、例えば、５０Ｗ／ｍ2に場合に、３度である。
【０１６２】
電力Ｐは、加熱エリア、即ち、熱提供層、に供給しなければならない。２つの平行なパワーレール、即ち、第１及び第２平行長手方向結合要素、を仮定することにより、加熱エリアへの電流は、異なる場所において取り出すことができる。
【０１６３】
長手方向結合要素（電力供給レール）は、次式による抵抗値を有し、
Ｒrail＝ｒｅｓｉｓｔｉｖｉｔｙrail＊Ｌrail＊ｗrail＊ｈrail      （式２７）
これは、例えば、１ｃｍの幅ｗrailと、９マイクロメートルの高さと、４５ｃｍの長さと、を有するアルミニウムレールの場合には、０．１４Ωの抵抗値を有することになる。
【０１６４】
一端において電源に接続された、即ち、両方の極性Ｐ１及びＰ２がパネルの１つの端部辺に接続された、パネルの場合には、有効抵抗値は、遠い端部におけるモジュール／セクションを除いて、２＊Ｒrailとなる。但し、電源接続がパネルの反対側の両側部において配置されている場合には、有効抵抗値は、Ｒrailとなる。
【０１６５】
１つに結合された隣接するパネルの間には、一定の抵抗値Ｒcontactを有する電気接続が存在している。非限定的な例として、通常の接触抵抗値は、０．００５Ωであってよい。
【０１６６】
レール抵抗値及び接触抵抗値は、直列において加算されることになり、これにより、電力抵抗値が与えられる。
Ｒpower＝Ｒrail＋Ｒcontact      （式２８）
【０１６７】
これは、レール抵抗値Ｒrailに起因する、ボードに沿って電圧降下となり、且つ、これは、接触抵抗値Ｒcontactに起因する、床に沿ったボード／パネルの間の電圧降下となる。電圧降下は、電流Ｉに比例している。列内の複数のボード／パネルを使用することは、電圧降下が、列の長さの二乗として増大することを意味しており、その理由は、電流は、長さに比例して増大することになり、且つ、電力抵抗値Ｒpowerは、床／列の長さにも比例して増大することになるからである。従って、熱流ｄＱ／ｄｔheatは、４の累乗により、減少することになる。従って、電力抵抗値は、大きな床の場合に、重要性を有する。
【０１６８】
電力抵抗値Ｒpowerは、電源が床／パネル／列の１つの側部において接続されている場合には、電源が床／パネル／列の両側部において接続されている場合との比較において、サイズが２倍である。従って、これは、第１極性Ｐ１及び第２極性Ｐ２がパネルの両端部に供給されている上述の実施形態の場合には、利点である。
【０１６９】
非限定的なパネル／ボードの一例として、熱導体（抵抗値）として機能する、長さが６２．５ｍであり、幅が０．６４ｍｍ幅である、９マイクロメートルのアルミニウム加熱薄膜の場合には、抵抗値は、約３０５Ωである。電力供給が、同一の薄膜により、但し、幅が１０ｍｍのパワーレール／結合要素により、実行された場合には、パワーレール／結合要素は、約０．１４Ωの抵抗値を有することになる。０．００５Ωの接触抵抗値に伴い、パワーレール／結合要素抵抗値は、支配的である。３つの加熱モジュール／セクションを有するボード／パネルの場合に、加熱抵抗値は、並列であり、且つ、電力抵抗値は、直列である。その結果、ボード／パネルは、同一の端部辺電源接続の場合に、１０２Ωの加熱抵抗値と、０．８Ωの合計電力抵抗値と、を有することになる。対応する方式で、パネル／ボードは、反対側端部辺接続の場合に、０．４Ωの合計電力抵抗値を有することになり、これは、両方のケースにおいて、約１％の電力降下に結び付く。これは、電源が、薄膜のみにより、ボード／パネル内において十分であることを通知している。
【０１７０】
本発明は、上述の実施形態に限定されるものではない。その代わりに、本発明は、独立請求項の範囲に含まれるすべての異なる実施形態に関し、且つ、これらを包含している。
【手続補正２】
【補正対象書類名】特許請求の範囲
【補正対象項目名】全文
【補正方法】変更
【補正の内容】
【特許請求の範囲】
【請求項１】
パネル（１００）であって、
−ベース層（１０１）と、
−前記ベース層（１０１）に装着された熱提供層（１０２）であって、熱が電気エネルギーによって生成される、熱提供層と、
−前記熱提供層（１０２）に装着されたカバリング層（１０３）と、
−前記パネル（１００）を、隣接するパネル（２０１、２０２、．．．、２０６）に結合するべく構成された、それぞれ反対側の、第１長手方向パネル結合手段（１１５）及び第２長手方向パネル結合手段（１１６）を含む、第１長手方向辺（１０５）及び第２長手方向辺（１０６）と、
−前記パネル（１００）を、隣接するパネル（２０１、２０２、．．．、２０６）に結合するべく構成された、それぞれ反対側の、第１端部パネル結合手段（１１７）及び第２端部パネル結合手段（１１８）を含む、第１端部辺（１０７）及び第２端部辺（１０８）と、
を有するパネルにおいて、
−前記ベース層（１０１）内において、前記第１端部辺（１０７）から前記第２端部辺（１０８）まで配置された、且つ、前記熱提供層（１０２）と対向している、少なくとも第１長手方向溝（１２１）及び第２長手方向溝（１２２）であって、それぞれ、前記第１長手方向辺（１０５）及び第２長手方向辺（１０６）と平行に配置された、且つ、これらに対する少なくとも第１距離（１３１）及び第２距離（１３２）を有する少なくとも第１長手方向溝（１２１）及び第２長手方向溝（１２２）と、
−前記第１端部パネル結合手段（１１７）及び第２端部パネル結合手段（１１８）の１つ又は複数において配置された少なくとも１つの電気端子コネクタ（１５０）であって、前記少なくとも１つの電気端子コネクタ（１５０）は、第１端部部分（１５１）及び第２端部部分（１５２）を含み、前記第１端部部分（１５１）及び第２端部部分（１５２）は、少なくとも部分的な導電性を有し、且つ、前記第１端部パネル結合手段（１１７）及び第２端部パネル結合手段（１１８）の前記１つ又は複数から少なくとも部分的に突出しており、これにより、前記パネル（１００）の前記熱提供層（１０２）と前記パネル（１００）に結合された少なくとも１つの隣接するパネル（２０１、２０２）の対応する熱提供層の間の電気接続を提供している、少なくとも１つの電気端子コネクタと、
を特徴とするパネル。
【請求項２】
前記少なくとも１つの電気端子コネクタ（１５０）の前記第１端部部分（１５１）及び第２端部部分（１５２）は、それぞれ、前記少なくとも第１長手方向溝（１２１）及び第２長手方向溝（１２２）内において配置されている請求項１に記載のパネル（１００）。
【請求項３】
前記少なくとも１つの電気端子コネクタ（１５０）は、少なくとも部分的な弾性を有し、且つ、前記少なくとも部分的に突出する部分（１５３）が、その緩和された状態において、前記第１端部パネル結合手段（１１７）及び第２端部パネル結合手段（１１８）の前記１つ又は複数から少なくとも部分的に突出するように、前記第１端部部分（１５１）及び第２端部部分（１５２）の間において少なくとも部分的に突出する部分（１５３）を含む請求項２に記載のパネル（１００）。
【請求項４】
前記少なくとも第１長手方向溝（１２１）及び第２長手方向溝（１２２）は、それぞれ、前記第１端部辺（１０７）及び前記第２端部辺（１０８）の少なくとも１つに隣接する第１溝端部セクション（１２６）及び第２溝端部セクション（１２７）を含み、前記第１溝端部セクション（１２６）及び第２溝端部セクション（１２７）は、それぞれ、前記少なくとも１つの電気端子コネクタ（１５０）の前記第１端部部分（１５１）及び第２端部部分（１５２）を少なくとも部分的に受け入れるべく構成されている請求項２乃至３のいずれか１項に記載のパネル（１００）。
【請求項５】
前記少なくとも１つの電気端子コネクタ（１５０）の前記第１端部部分（１５１）及び第２端部部分（１５２）は、前記パネル（１００）に結合される隣接するパネル（２０１、２０２）の対応する第１溝端部セクション（１２８）及び第２溝端部セクション（１２９）内において受け入れられる請求項４に記載のパネル（１００）。
【請求項６】
前記少なくとも１つの電気端子コネクタ（１５０）の前記少なくとも部分的に突出する部分（１５３）は、少なくとも１つの隣接するパネル（２０１、２０２）の第１端部パネル結合手段（１１７）及び第２端部パネル結合手段（１１８）の少なくとも１つ内にスナップ動作し、これにより、前記パネル（１００）を少なくとも１つの隣接するパネル（２０１、２０２）に機械的にロックするべく構成されている請求項３乃至５のいずれか１項に記載のパネル（１００）。
【請求項７】
前記パネルは、それぞれ、前記第１端部辺（１０７）及び前記第２端部辺（１０８）の少なくとも１つに隣接する第１パネル端部凹部（１３６）及び第２パネル端部凹部（１３７）を更に含み、前記第１パネル端部凹部（１３６）及び第２パネル端部凹部（１３７）は、それぞれ、前記第１長手方向辺（１０５）及び第２長手方向辺（１０６）に対する少なくとも第１距離（１３３）及び第２距離（１３４）を有し、且つ、前記少なくとも１つの電気端子コネクタ（１５０）の前記第１端部部分（１５１）及び第２端部部分（１５２）を少なくとも部分的に受け入れるべく構成されている請求項１に記載のパネル（１００）。
【請求項８】
前記少なくとも１つの電気端子コネクタ（１５０）は、前記第１端部部分（１５１）及び第２端部部分（１５２）に装着された支持部材（１５６）を含み、前記支持部材（１５６）は、前記第１端部パネル結合手段（１１７）及び第２端部パネル結合手段（１１８）の前記１つ又は複数から突出し、且つ、前記パネル（１００）に結合される隣接するパネル（２０１、２０２）の支持ノッチ（１５５）内に挿入され、これにより、前記パネル（１００）と前記隣接するパネル（２０１、２０２）の間において機械的結合を実現するために、前記パネル（１００）に提供されるトルクＴｑに抗して作用する力Ｆを生成するべく、構成されている請求項７に記載のパネル（１００）。
【請求項９】
−それぞれ、前記第１端部辺（１０７）から前記第２端部辺（１０８）まで前記少なくとも第１長手方向溝（１２１）及び第２長手方向溝（１２２）内において配置された少なくとも第１長手方向結合要素（１４１）及び第２長手方向結合要素（１４２）を更に有し、これにより、
−前記少なくとも１つの電気端子コネクタ（１５０）の前記第１端部部分（１５１）及び第２端部部分（１５２）は、前記少なくとも第１長手方向結合要素（１４１）及び第２長手方向結合要素（１４２）を利用して前記熱提供層（１０２）に電気的に接続されるべく構成されている請求項１乃至８のいずれか１項に記載のパネル（１００）。
【請求項１０】
前記少なくとも第１長手方向結合要素（１４１）及び第２長手方向結合要素（１４２）は、
−少なくとも部分的に弾性を有する且つ導電性を有する材料と、
−固体の、且つ、導電性を有する材料と、
の群のうちの少なくとも一つを含む請求項９に記載のパネル（１００）。
【請求項１１】
前記少なくとも１つの電気端子コネクタ（１５０）の前記第１端部部分（１５１）及び第２端部部分（１５２）は、前記導電性の少なくとも第１長手方向結合要素（１４１）及び第２長手方向結合要素（１４２）を介して前記熱提供層（１０２）に電気的に接続されている請求項１０に記載のパネル（１００）。
【請求項１２】
前記少なくとも１つの電気端子コネクタ（１５０）の前記第１端部部分（１５１）及び第２端部部分（１５２）は、前記パネル（１００）の前記熱提供層（１０２）との間における、且つ、前記パネル（１００）に結合される隣接するパネル（２０１、２０２、．．．２０６）の対応する熱提供層（１０２）との間における、電気的接触状態となるべく構成された、それぞれ、第１導電性舌（１７１）及び第２導電性舌（１７２）を含む請求項１乃至１１のいずれか１項に記載のパネル（１００）。
【請求項１３】
パネル（１００）の第１端部パネル結合手段（１１７）及び第２端部パネル結合手段（１１８）の１つ又は複数内に挿入可能である電気端子コネクタ（１５０）であって、
前記パネル（１００）は、
−ベース層（１０１）と、
−前記ベース層（１０１）に装着された熱提供層（１０２）であって、熱が電気エネルギーによって生成される、熱提供層と、
−前記熱提供層（１０２）に装着されたカバリング層（１０３）と、
−前記パネル（１００）を、隣接するパネル（２０１、２０２、．．．、２０６）に結合するべく構成された、それぞれ反対側の、第１長手方向パネル結合手段（１１５）及び第２長手方向パネル結合手段（１１６）を含む、第１長手方向辺（１０５）及び第２長手方向辺（１０６）と、
−前記パネル（１００）を、隣接するパネル（２０１、２０２、．．．、２０６）に結合するべく構成された、それぞれ反対側の、第１端部パネル結合手段（１１７）及び第２端部パネル結合手段（１１８）を含む、第１端部辺（１０７）及び第２端部辺（１０８）と、
を含み、
前記電気端子コネクタ（１５０）は、
−第１端部部分（１５１）及び第２端部部分（１５２）であって、前記第１端部部分（１５１）及び第２端部部分（１５２）は、少なくとも部分的な導電性を有し、且つ、挿入された際に、前記第１端部パネル結合手段（１１７）及び第２端部パネル結合手段（１１８）の前記１つ又は複数から少なくとも部分的に突出し、これにより、前記パネル（１００）の前記熱提供層（１０２）と前記パネル（１００）に結合された少なくとも１つの隣接するパネル（２０１、２０２）の対応する熱提供層の間の電気接続を提供する、第１及び第２端部部分、
を含む、電気端子コネクタ。
【請求項１４】
暖房システム（８００）であって、
−請求項１乃至１２のいずれか１項に記載の少なくとも１つのパネル（１００、２０１、２０６）と、
−前記電気エネルギーを前記少なくとも１つのパネル（１００）の少なくとも１つの第１電力供給端子コネクタ（１６１）及び少なくとも１つの第２電力供給端子コネクタ（１６２）に提供するべく、前記少なくとも１つのパネル（１００）の前記第１端部辺（１０７、１０７’）及び前記第２端部辺（１０８、１０８’）の少なくとも１つのものに隣接した状態において配置された電気エネルギー提供構成（８１０）と、
を特徴する暖房システム。
【請求項１５】
請求項１４に記載の前記暖房システム（８００）を設置する方法であって、
−前記電気エネルギー提供構成（８１０）を取り付けるステップと、
−前記第１端部辺（１０７）及び第２端部辺（１０８）上の前記結合手段（１１７、１１８）の使用により、第１パネル（１００）を少なくとも１つの第２パネル（２０１、２０２）と機械的に結合し、これにより、前記第１パネル（１００）及び前記少なくとも１つの第２パネル（２０１、２０２）の列を生成するステップと、
−前記第１パネル（１００）の前記少なくとも１つの端子コネクタ（１５０）の使用により、前記第１パネル（１００）及び前記少なくとも１つの第２パネル（２０１、２０２）を電気的に接続するステップと、
−前記第１パネル（１００）及び前記少なくとも１つの第２パネル（２０１、２０２）の１つ又は複数のものの第１電力供給端子コネクタ（１６１）及び第２電力供給端子コネクタ（１６２）を前記電気エネルギー提供構成（８１０）に接続するステップと、
を特徴とする方法。
【国際調査報告】
2020521110.tif 000030
2020521110.tif 000031
2020521110.tif 000032
2020521110.tif 000033